(57)【特許請求の範囲】
【請求項１】
基地局装置と通信する端末装置であって、
下りリンク制御情報フォーマットを介して、送信電力制御コマンドを受信する受信部と、
前記送信電力制御コマンドを用いて、送信電力の電力補正を行なう送信電力制御部と、
を備え、
前記受信部は、
第１の状態である場合には、下りリンクサブフレームのいずれかにおいて前記送信電力制御コマンドを受信し、
第２の状態である場合には、
第１のサブフレームセットに属するサブフレームに対応する下りリンクサブフレームにおいて、第１の送信電力制御コマンドを受信し、
第２のサブフレームセットに属するサブフレームに対応する下りリンクサブフレームにおいて、第２の送信電力制御コマンドを受信し、
前記第１の状態は、伝搬路測定用参照信号に関する第１の設定が設定される状態であり、
前記第２の状態は、前記伝搬路測定用参照信号に関する前記第１の設定および第２の設定と、上りリンク信号に関するサブフレームサブセットと、が設定される状態である、
端末装置。
【請求項２】
前記第２の状態である場合、且つ、物理上りリンク共用チャネルの送信が前記第１のサブフレームセットに基づく第１のサブフレームで生じ、サウンディング参照信号の送信が前記第２のサブフレームセットに基づく第２のサブフレームで生じる場合、
前記送信電力制御部は、
前記第１の送信電力制御コマンドの補正値に基づいて、前記物理上りリンク共用チャネルの送信電力に対する電力補正を行ない、
前記第２の送信電力制御コマンドの補正値に基づいて、前記サウンディング参照信号の送信電力に対する電力補正を行なう、
請求項１記載の端末装置。
【請求項３】
端末装置と通信する基地局装置であって、
下りリンク制御情報フォーマットを介して、送信電力制御コマンドを送信する送信部を備え、
前記送信部は、
第１の状態の端末装置に対しては、前記送信電力制御コマンドをいずれかの下りリンクサブフレームで送信し、
第２の状態の端末装置に対しては、
第１のサブフレームセットに属するサブフレームに対応する下りリンクサブフレームにおいて、前記下りリンク制御情報フォーマットを介して、第１の送信電力制御コマンドを送信し、
第２のサブフレームセットに属するサブフレームに対応する下りリンクサブフレームにおいて、前記下りリンク制御情報フォーマットを介して、第２の送信電力制御コマンドを送信し、
前記第１の状態は、前記端末装置に対して、伝送路測定用参照信号に関する第１の設定が設定される状態であり、
前記第２の状態は、前記端末装置に対して、前記伝送路測定用参照信号に関する前記第１の設定および第２の設定と、上りリンク信号に関するサブフレームサブセットと、が設定される状態である、
基地局装置。
【請求項４】
前記送信部は、前記第２の状態の端末装置に対して、
前記第１のサブフレームセットに基づく第１のサブフレームで物理上りリンク共用チャネルを送信させる場合には、前記第１の送信電力制御コマンドを送信し、
前記第２のサブフレームセットに基づく第２のサブフレームでサウンディング参照信号を送信させる場合には、前記第２の送信電力制御コマンドを送信する、
請求項３記載の基地局装置。
【請求項５】
基地局装置と通信する端末装置における方法であって、
下りリンク制御情報フォーマットを介して、送信電力制御コマンドを受信するステップと、
前記送信電力制御コマンドを用いて、送信電力の電力補正を行なうステップと、
を含み、
前記送信電力制御コマンドを受信するステップでは、
第１の状態である場合には、下りリンクサブフレームにおいて、前記送信電力制御コマンドを受信し、
第２の状態である場合には、
第１のサブフレームセットに属するサブフレームに対応する下りリンクサブフレームにおいて、前記第１の送信電力制御コマンドを受信し、
第２のサブフレームセットに属するサブフレームに対応する下りリンクサブフレームにおいて、前記第２の送信電力制御コマンドを受信し、
前記第１の状態は、伝搬路測定用参照信号に関する第１の設定が設定される状態であり、
前記第２の状態は、前記伝搬路測定用参照信号に関する前記第１の設定および第２の設定と、上りリンク信号に関するサブフレームサブセットと、が設定される状態である、
方法。
【請求項６】
前記第２の状態である場合、且つ、物理上りリンク共用チャネルの送信が前記第１のサブフレームセットに基づく第１のサブフレームで生じ、サウンディング参照信号の送信が前記第２のサブフレームセットに基づく第２のサブフレームで生じる場合、
前記送信電力の電力補正を行なうステップでは、
前記第１の送信電力制御コマンドの補正値に基づいて、前記物理上りリンク共用チャネルの送信電力に対する電力補正を行ない、
前記第２の送信電力制御コマンドの補正値に基づいて、前記サウンディング参照信号の送信電力に対する電力補正を行なう、
請求項５記載の方法。
【請求項７】
端末装置と通信する基地局装置における方法であって、
下りリンク制御情報フォーマットを介して、送信電力制御コマンドを送信するステップを含み、
前記送信電力制御コマンドを送信するステップでは、
第１の状態の端末装置に対しては、前記送信電力制御コマンドをいずれかの下りリンクサブフレームで送信し、
第２の状態の端末装置に対しては、
第１のサブフレームセットに属するサブフレームに対応する下りリンクサブフレームにおいて、前記下りリンク制御情報フォーマットを介して、第１の送信電力制御コマンドを送信し、
第２のサブフレームセットに属するサブフレームに対応する下りリンクサブフレームにおいて、前記下りリンク制御情報フォーマットを介して、第２の送信電力制御コマンドを送信し、
前記第１の状態は、前記端末装置に対して、伝送路測定用参照信号に関する第１の設定が設定される状態であり、
前記第２の状態は、前記端末装置に対して、前記伝送路測定用参照信号に関する前記第１の設定および第２の設定と、上りリンク信号に関するサブフレームサブセットと、が設定される状態である、
方法。
【請求項８】
前記送信電力制御コマンドを送信するステップでは、
前記第２の状態の端末装置に対して、
前記第１のサブフレームセットに基づく第１のサブフレームで物理上りリンク共用チャネルを送信させる場合には、前記第１の送信電力制御コマンドを送信し、
前記第２のサブフレームセットに基づく第２のサブフレームでサウンディング参照信号を送信させる場合には、前記第２の送信電力制御コマンドを送信する、
請求項７記載の方法。
【発明の詳細な説明】
【技術分野】
【０００１】
本発明は、基地局、端末、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような通信システムでは、基地局（セル、送信局、送信装置、eNodeB）および端末（移動端末、受信局、移動局、受信装置、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。
【０００３】
その通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行う。例えば、基地局は、端末に対して、リソースの割り当て情報、データ信号の変調および符号化情報、データ信号の空間多重数情報、送信電力制御情報等を通知することにより、データ通信を実現する。そのような制御情報は、非特許文献１に記載された方法を用いることができる。
【０００４】
また、下りリンクにおけるＭＩＭＯ技術を用いた通信方法は、様々な方法を用いることができ、例えば、同一のリソースを異なる端末に割り当てるマルチユーザＭＩＭＯ方式や、複数の基地局が互いに協調してデータ通信を行うＣｏＭＰ（Cooperative Multipoint, Coordinated Multipoint）方式等を用いることができる。
【０００５】
図３７は、マルチユーザＭＩＭＯ方式を行う一例を示す図である。図３７では、基地局３７０１は、下りリンク３７０４を通じて端末３７０２にデータ通信を行い、下りリンク３７０５を通じて端末３７０３にデータ通信を行う。このとき、端末３７０２および端末３７０３は、マルチユーザＭＩＭＯによるデータ通信を行う。下りリンク３４０４および下りリンク３７０５では、同一のリソースが用いられる。リソースは周波数方向および時間方向のリソースから構成される。また、基地局３７０１はプレコーディング技術等を用い、下りリンク３７０４および下りリンク３７０５のそれぞれに対してビームを制御することにより、互いに直交性の維持または同一チャネル干渉の低減を行う。これにより、基地局３７０１は、端末３７０２および端末３７０３に対して、同一のリソースを用いたデータ通信を実現できる。
【０００６】
図３８は、下りリンクＣｏＭＰ方式を行う一例を示す図である。図３８では、カバレッジの広いマクロ基地局３８０１と、そのマクロ基地局３８０１よりもカバレッジの狭いＲＲＨ（Remote Radio Head）３８０２とにより、ヘテロジーニアスネットワーク構成を用いた無線通信システムを構築する場合を示す。ここで、マクロ基地局３８０１のカバレッジは、ＲＲＨ３８０２のカバレッジの一部または全部を含んで構成する場合を考える。図３８に示す例では、マクロ基地局３８０１、ＲＲＨ３８０２によりヘテロジーニアスネットワーク構成を構築し、互いに協調して、それぞれ下りリンク３８０５および下りリンク３８０６を通じて、端末３８０４に対するデータ通信を行う。マクロ基地局３８０１は、回線３８０３を通じてＲＲＨ３８０２と接続しており、ＲＲＨ３８０２と制御信号やデータ信号を送受信することができる。回線３８０３は、光ファイバ等の有線回線やリレー技術を用いた無線回線を用いることができる。このとき、マクロ基地局３８０１およびＲＲＨ３８０２がそれぞれ一部または全部が同一の周波数（リソース）を用いることで、マクロ基地局３８０１が構築するカバレッジのエリア内の総合的な周波数利用効率（伝送容量）が向上できる。
【０００７】
端末３８０４は、基地局３８０１またはＲＲＨ３８０２の付近に位置している場合、基地局３８０１またはＲＲＨ３８０２とシングルセル通信することができる。さらに、端末３８０４は、ＲＲＨ３８０２が構築するカバレッジの端付近（セルエッジ）に位置する場合、マクロ基地局３８０１からの同一チャネル干渉に対する対策が必要になる。マクロ基地局３８０１とＲＲＨ３８０２とのマルチセル通信（協調通信、マルチポイント通信、ＣｏＭＰ）として、マクロ基地局３８０１とＲＲＨ３８０２とが互いに協調するＣｏＭＰ方式を用いることにより、セルエッジ領域の端末３８０４に対する干渉を軽減または抑圧する方法が検討されている。例えば、そのようなＣｏＭＰ方式として、非特許文献２に記載された方法が検討されている。
【０００８】
図３９は、上りリンクＣｏＭＰ方式を行う一例を示す図である。図３９では、カバレッジの広いマクロ基地局３９０１と、そのマクロ基地局よりもカバレッジの狭いＲＲＨ（Remote Radio Head）３９０２とにより、ヘテロジーニアスネットワーク構成を用いた無線通信システムを構築する場合を示す。ここで、マクロ基地局３９０１のカバレッジは、ＲＲＨ３９０２のカバレッジの一部または全部を含んで構成する場合を考える。図３９に示す例では、マクロ基地局３９０１とＲＲＨ３９０２とによりヘテロジーニアスネットワーク構成を構築し、互いに協調して、それぞれ上りリンク３９０５および上りリンク３９０６を通じて、端末３９０４に対するデータ通信を行う。マクロ基地局３９０１は、回線３９０３を通じてＲＲＨ３９０２と接続しており、ＲＲＨ３９０２と受信信号や制御信号やデータ信号を送受信することができる。回線３８０３は、光ファイバ等の有線回線やリレー技術を用いた無線回線を用いることができる。このとき、マクロ基地局３９０１およびＲＲＨ３９０２がそれぞれ一部または全部が同一の周波数（リソース）を用いることで、マクロ基地局３９０１が構築するカバレッジのエリア内の総合的な周波数利用効率（伝送容量）が向上できる。
【０００９】
端末３９０４は、基地局３９０１またはＲＲＨ３９０２の付近に位置している場合、基地局３９０１またはＲＲＨ３９０２とシングルセル通信することができる。この場合、端末３９０４が基地局３９０１付近に位置している場合には、基地局３９０１は上りリンク３９０５を通じて受信された信号を受信、復調する。もしくは、端末３９０４がＲＲＨ３９０２付近に位置している場合には、ＲＲＨ３９０２は上りリンク３９０６を通じて受信された信号を受信、復調する。さらに、端末３９０４が、ＲＲＨ３９０２が構築するカバレッジの端付近（セルエッジ）もしくは基地局３９０１とＲＲＨ３９０２との中間地点付近に位置する場合、マクロ基地局３９０１は上りリンク３９０５を通じて受信された信号を受信し、ＲＲＨ３９０２は上りリンク３９０６を通じて受信された信号を受信した後、マクロ基地局３９０１とＲＲＨ３９０２は回線３９０３を通じてこれら端末３９０４から受信された信号の送受信を行い、端末３９０４から受信された信号の合成を行い、合成信号の復調を行う。これらの処理により、データ通信の特性改善が期待される。これが合成受信（ＪＲ：Joint Reception）と呼ばれる方法であり、上りリンクマルチセル通信（協調通信、マルチポイント通信、ＣｏＭＰ）として、マクロ基地局３９０１とＲＲＨ３９０２間で互いに協調するＣｏＭＰ方式を用いることにより、セルエッジ領域、もしくはマクロ基地局３９０１とＲＲＨ３９０２との中間付近の領域でのデータ通信の特性改善が可能となる。
【先行技術文献】
【非特許文献】
【００１０】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １０）、２０１１年３月、３ＧＰＰ  ＴＳ  ３６．２１２  Ｖ１０．１．０  （２０１１−０３）。
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ（Ｒｅｌｅａｓｅ  ９）、２０１０年３月、３ＧＰＰ  ＴＲ  ３６．８１４  Ｖ９．０．０  （２０１０−０３）。
【発明の概要】
【発明が解決しようとする課題】
【００１１】
しかしながら、ＣｏＭＰ方式のような協調通信を行うことができる通信システムにおいて、端末が適切な上りリンク送信電力で上りリンク信号を行うことによって、適切なリソース割り当てを行うことができ、システム全体のスループットの向上が見込める。
【００１２】
本発明は、上記問題を鑑みてなされたものであり、その目的は、基地局と端末が通信する通信システムにおいて、端末が適切な上りリンク送信電力の設定が可能となる基地局、端末、通信システムおよび通信方法を提供することにある。
【課題を解決するための手段】
【００１３】
（１）この発明は上述した課題を解決するためになされたもので、本発明の一態様による端末は、基地局と通信を行う端末であって、第１の状態において、下りリンク制御情報（ＤＣＩ）フォーマットを検出した場合、前記ＤＣＩフォーマットに含まれる送信電力制御（ＴＰＣ）コマンドを第１のＴＰＣコマンドとして復調処理を行い、前記第１のＴＰＣコマンドから電力補正値を得る手段と、第２の状態において、前記ＤＣＩフォーマットを検出した場合、前記ＤＣＩフォーマットに含まれるＴＰＣコマンドは前記第１のＴＰＣコマンドに加え、第２のＴＰＣコマンドに対しても復調処理を行い、前記第１のＴＰＣコマンドおよび前記第２のＴＰＣコマンドからそれぞれ電力補正値を得る手段と、を有することを特徴とする。
【００１４】
（２）また、本発明の一態様による端末は、基地局と通信を行う端末であって、第１の状態において、下りリンク制御情報（ＤＣＩ）フォーマットを検出した場合、前記ＤＣＩフォーマットに含まれる送信電力制御（ＴＰＣ）コマンドを第１のＴＰＣコマンドとして復調処理を行い、前記第１のＴＰＣコマンドから電力補正値を得る手段と、第２の状態において、第１の制御チャネル領域で前記ＤＣＩフォーマットを検出した場合、前記ＴＰＣコマンドを前記第１のＴＰＣコマンドとして復調処理を行い、前記第１のＴＰＣコマンドから電力補正値を得る手段と、前記第２の状態において、前記第１の制御チャネル領域とは異なる領域である第２の制御チャネル領域で前記ＤＣＩフォーマットを検出した場合、前記ＴＰＣコマンドを第１および第２のＴＰＣコマンドとして復調処理を行い、それぞれの電力補正値を得る手段と、を有することを特徴とする。
【００１５】
（３）また、本発明の一態様による端末は、基地局と通信を行う端末であって、第１の状態において、下りリンク制御情報（ＤＣＩ）フォーマットを検出した場合、前記ＤＣＩフォーマットに含まれる送信電力制御（ＴＰＣ）コマンドを第１のＴＰＣコマンドとして復調処理を行い、前記第１のＴＰＣコマンドから電力補正値を得る手段と、第２の状態において、第１のサブフレームサブセットに含まれる下りリンクサブフレームで前記ＤＣＩフォーマットを検出した場合、前記ＴＰＣコマンドを前記第１のＴＰＣコマンドとして復調処理を行い、前記第１のＴＰＣコマンドから電力補正値を得る手段と、前記第２の状態において、第２のサブフレームサブセットに含まれる下りリンクサブフレームで前記ＤＣＩフォーマットを検出した場合、前記ＴＰＣコマンドを第１および第２のＴＰＣコマンドとして復調処理を行い、前記第１および第２のＴＰＣコマンドからそれぞれ電力補正値を得る手段と、を有することを特徴とする。
【００１６】
（４）また、本発明の一態様による端末は、基地局と通信を行う端末であって、第１の状態において、プライマリーセルおよびセカンダリーセルで下りリンク制御情報（ＤＣＩ）フォーマットを検出した場合、前記ＤＣＩフォーマットに含まれる送信電力制御（ＴＰＣ）コマンドを第１のＴＰＣコマンドとして復調処理を行い、前記第１のＴＰＣコマンドから電力補正値を得る手段と、第２の状態において、プライマリーセルで前記ＤＣＩフォーマットを検出した場合、前記ＤＣＩフォーマットに含まれるＴＰＣコマンドを第１のＴＰＣコマンドとして復調処理を行い、前記第１のＴＰＣコマンドから電力補正値を得る手段と、前記第２の状態において、セカンダリーセルで前記ＤＣＩフォーマットを検出した場合、前記ＤＣＩフォーマットに含まれるＴＰＣコマンドを第１および第２のＴＰＣコマンドとして復調処理を行い、前記第１および第２のＴＰＣコマンドからそれぞれ電力補正値を得る手段と、を有することを特徴とする。
【００１７】
（５）また、本発明の一態様による端末は、基地局と通信を行う端末であって、第１の状態において、下りリンク制御情報（ＤＣＩ）フォーマットを検出した場合、前記ＤＣＩフォーマットに含まれる送信電力制御（ＴＰＣ）コマンドの復調処理を行い、前記ＴＰＣコマンドから電力補正値を得る手段と、第２の状態において、ＤＣＩフォーマットを検出し、前記ＤＣＩフォーマットが上りリンクグラントである場合には、前記ＤＣＩフォーマットに含まれるＴＰＣコマンドの復調処理を行い、前記ＴＰＣコマンドから電力補正値を得る手段と、前記第２の状態においてＤＣＩフォーマットを検出し、前記ＤＣＩフォーマットが下りリンクアサインメントである場合には、前記ＤＣＩフォーマットに含まれるＴＰＣコマンドには、第１のＴＰＣコマンドだけでなく第２のＴＰＣコマンドも含まれていると判断し、復調処理を行い、前記第１のＴＰＣコマンドと前記第２のＴＰＣコマンドからそれぞれ電力補正値を得る手段と、を有することを特徴とする。
【００１８】
（６）また、本発明の一態様による端末は、上記の端末であって、前記第１のＴＰＣコマンドからは物理上りリンク共用チャネル（ＰＵＳＣＨ）の電力補正値を得て、前記第２のＴＰＣコマンドからはサウンディング参照信号（ＳＲＳ）の電力補正値を得ることを特徴とする。
【００１９】
（７）また、本発明の一態様による端末は、上記の端末であって、前記第１のＴＰＣコマンドからは物理上りリンク制御チャネル（ＰＵＣＣＨ）の電力補正値を得て、前記第２のＴＰＣコマンドからはサウンディング参照信号（ＳＲＳ）の電力補正値を得ることを特徴とする。
【００２０】
（８）また、本発明の一態様による端末は、上記の端末であって、前記第１の状態は、伝送路状況測定用参照信号（ＣＳＩ−ＲＳ）に関する設定情報が１つだけセットされている状態であり、前記第２の状態は、前記ＣＳＩ−ＲＳに関する設定情報が２つ以上セットされている状態であることを特徴とする。
【００２１】
（９）また、本発明の一態様による端末は、上記の端末であって、前記第１の状態は、第１の制御チャネル領域でのみ下りリンク制御信号を検出できる状態であり、前記第２の状態は、第１および第２の制御チャネル領域で下りリンク制御信号を検出できる状態であることを特徴とする。
【００２２】
（１０）また、本発明の一態様による端末は、上記の端末であって、前記ＤＣＩフォーマットにＳＲＳリクエストによる送信要求が含まれている場合には、第１の状態では、ＰＵＳＣＨのＴＰＣコマンドから得られた電力補正値を基にＳＲＳの送信電力を計算し、第２の状態では、ＳＲＳのＴＰＣコマンドから得られた電力補正値を基にＳＲＳの送信電力を計算することを特徴とする。
【００２３】
（１１）また、本発明の一態様による通信システムは、基地局と端末との間で通信を行う通信システムであって、前記基地局は、第１および／または第２の送信電力制御（ＴＰＣ）コマンドを含むＤＣＩフォーマットを前記端末へ通知し、前記端末は、第１の状態において、前記ＤＣＩフォーマットを検出した場合、前記ＤＣＩフォーマットに含まれるＴＰＣコマンドを前記第１のＴＰＣコマンドとして復調処理を行い、前記第１のＴＰＣコマンドから電力補正値を得て、第２の状態において、前記ＤＣＩフォーマットを検出した場合、前記ＤＣＩフォーマットに含まれるＴＰＣコマンドは前記第１のＴＰＣコマンドに加え、前記第２のＴＰＣコマンドに対しても復調処理を行い、前記第１のＴＰＣコマンドおよび前記第２のＴＰＣコマンドからそれぞれ電力補正値を得ることを特徴とする。
【００２４】
（１２）また、本発明の一態様による通信システムは、基地局と端末との間で通信を行う通信システムであって、前記基地局は、第１および／または第２の送信電力制御（ＴＰＣ）コマンドを含むＤＣＩフォーマットを前記端末へ通知し、前記端末は、第１の状態において、前記ＤＣＩフォーマットを検出した場合、前記ＤＣＩフォーマットに含まれるＴＰＣコマンドを第１のＴＰＣコマンドとして復調処理を行い、前記第１のＴＰＣコマンドから電力補正値を得て、第２の状態において、第１の制御チャネル領域で前記ＤＣＩフォーマットを検出した場合、前記ＴＰＣコマンドを前記第１のＴＰＣコマンドとして復調処理を行い、前記第１のＴＰＣコマンドから電力補正値を得て、前記第２の状態において、前記第１の制御チャネル領域とは異なる領域である第２の制御チャネル領域で前記ＤＣＩフォーマットを検出した場合、前記ＴＰＣコマンドを前記第１および第２のＴＰＣコマンドとして復調処理を行い、それぞれの電力補正値を得ることを特徴とする。
【００２５】
（１３）また、本発明の一態様による通信システムは、基地局と端末との間で通信を行う通信システムであって、前記基地局は、第１および／または第２の送信電力制御（ＴＰＣ）コマンドを含むＤＣＩフォーマットを前記端末へ通知し、前記端末は、第１の状態において、前記ＤＣＩフォーマットを検出した場合、前記ＤＣＩフォーマットに含まれるＴＰＣコマンドを前記第１のＴＰＣコマンドとして復調処理を行い、前記第１のＴＰＣコマンドから電力補正値を得て、第２の状態において、第１のサブフレームサブセットに含まれる下りリンクサブフレームで前記ＤＣＩフォーマットを検出した場合、前記ＴＰＣコマンドを前記第１のＴＰＣコマンドとして復調処理を行い、前記第１のＴＰＣコマンドから電力補正値を得て、前記第２の状態において、第２のサブフレームサブセットに含まれる下りリンクサブフレームで前記ＤＣＩフォーマットを検出した場合、前記ＴＰＣコマンドを前記第１および第２のＴＰＣコマンドとして復調処理を行い、前記第１および第２のＴＰＣコマンドからそれぞれ電力補正値を得ることを特徴とする。
【００２６】
（１４）また、本発明の一態様による通信システムは、基地局と端末との間で通信を行う通信システムであって、前記基地局は、第１および／または第２の送信電力制御（ＴＰＣ）コマンドを含むＤＣＩフォーマットを前記端末へ通知し、前記端末は、第１の状態において、プライマリーセルおよびセカンダリーセルで前記ＤＣＩフォーマットを検出した場合、前記ＤＣＩフォーマットに含まれるＴＰＣコマンドを前記第１のＴＰＣコマンドとして復調処理を行い、前記第１のＴＰＣコマンドから電力補正値を得て、第２の状態において、プライマリーセルで前記ＤＣＩフォーマットを検出した場合、前記ＤＣＩフォーマットに含まれるＴＰＣコマンドを第１のＴＰＣコマンドとして復調処理を行い、前記第１のＴＰＣコマンドから電力補正値を得て、前記第２の状態において、セカンダリーセルで前記ＤＣＩフォーマットを検出した場合、前記ＤＣＩフォーマットに含まれるＴＰＣコマンドを第１および第２のＴＰＣコマンドとして復調処理を行い、前記第１および第２のＴＰＣコマンドからそれぞれ電力補正値を得ることを特徴とする。
【００２７】
（１５）また、本発明の一態様による通信システムは、基地局と端末との間で通信を行う通信システムであって、前記基地局は、第１および／または第２の送信電力制御（ＴＰＣ）コマンドを含むＤＣＩフォーマットを前記端末へ通知し、前記端末は、第１の状態において、前記ＤＣＩフォーマットを検出した場合、前記ＤＣＩフォーマットに含まれるＴＰＣコマンドの復調処理を行い、前記ＴＰＣコマンドから電力補正値を得て、第２の状態において、ＤＣＩフォーマットを検出し、前記ＤＣＩフォーマットが上りリンクグラントである場合には、前記ＤＣＩフォーマットに含まれるＴＰＣコマンドの復調処理を行い、前記ＴＰＣコマンドから電力補正値を得て、前記第２の状態においてＤＣＩフォーマットを検出し、前記ＤＣＩフォーマットが下りリンクアサインメントである場合には、前記ＤＣＩフォーマットに含まれるＴＰＣコマンドには、第１のＴＰＣコマンドだけでなく第２のＴＰＣコマンドも含まれていると判断し、復調処理を行い、前記第１のＴＰＣコマンドと前記第２のＴＰＣコマンドからそれぞれ電力補正値を得ることを特徴とする。
【００２８】
（１６）また、本発明の一態様による通信システムは、上記の通信システムであって、前記第１のＴＰＣコマンドからは物理上りリンク共用チャネル（ＰＵＳＣＨ）の電力補正値を得て、前記第２のＴＰＣコマンドからはサウンディング参照信号（ＳＲＳ）の電力補正値を得ることを特徴とする。
【００２９】
（１７）また、本発明の一態様による通信システムは、上記の通信システムであって、前記第１のＴＰＣコマンドからは物理上りリンク制御チャネル（ＰＵＣＣＨ）の電力補正値を得て、前記第２のＴＰＣコマンドからはサウンディング参照信号（ＳＲＳ）の電力補正値を得ることを特徴とする。
【００３０】
（１８）また、本発明の一態様による通信システムは、上記の通信システムであって、前記第１の状態は、伝送路状況測定用参照信号（ＣＳＩ−ＲＳ）に関する設定情報が１つだけセットされている状態であり、前記第２の状態は、前記ＣＳＩ−ＲＳに関する設定情報が２つ以上セットされている状態であることを特徴とする。
【００３１】
（１９）また、本発明の一態様による通信システムは、前記第１の状態は、第１の制御チャネル領域でのみ下りリンク制御信号を検出できる状態であり、前記第２の状態は、第１および第２の制御チャネル領域で下りリンク制御信号を検出できる状態であることを特徴とする。
【００３２】
（２０）また、本発明の一態様による通信システムは、上記の通信システムであって、前記ＤＣＩフォーマットにＳＲＳリクエストによる送信要求が含まれている場合には、第１の状態では、ＰＵＳＣＨのＴＰＣコマンドから得られた電力補正値を基にＳＲＳの送信電力を計算し、第２の状態では、ＳＲＳのＴＰＣコマンドから得られた電力補正値を基にＳＲＳの送信電力を計算することを特徴とする。
【００３３】
（２１）また、本発明の一態様による通信方法は、基地局と端末の間で行う通信方法であって、前記基地局は、第１および／または第２の送信電力制御（ＴＰＣ）コマンドを含むＤＣＩフォーマットを前記端末へ通知するステップと、前記端末は、第１の状態において、前記ＤＣＩフォーマットを検出した場合、前記ＤＣＩフォーマットに含まれるＴＰＣコマンドを前記第１のＴＰＣコマンドとして復調処理を行い、前記第１のＴＰＣコマンドから電力補正値を得て、第２の状態において、前記ＤＣＩフォーマットを検出した場合、前記ＤＣＩフォーマットに含まれるＴＰＣコマンドは前記第１のＴＰＣコマンドに加え、前記第２のＴＰＣコマンドに対しても復調処理を行い、前記第１のＴＰＣコマンドおよび前記第２のＴＰＣコマンドからそれぞれ電力補正値を得るステップと、を含むことを特徴とする。
【００３４】
（２２）また、本発明の一態様による基地局は、端末と通信を行う基地局であって、第１の状態の端末に対して、第１の送信電力制御（ＴＰＣ）コマンドを含む下りリンク制御情報（ＤＣＩ）フォーマットを前記第１の状態の端末へ通知する手段と、第２の状態の端末に対して、第１および第２のＴＰＣコマンドを含むＤＣＩフォーマットを前記第２の状態の端末へ通知する手段と、を有することを特徴とする。
【００３５】
このことにより、基地局は、端末に対して基地局またはＲＲＨへの適切な上りリンクの送信電力制御をダイナミックに行うことができる。
【発明の効果】
【００３６】
この発明によれば、基地局と端末が通信する通信システムにおいて、端末が適切な上りリンク送信電力の設定を行うことができる。
【図面の簡単な説明】
【００３７】
【図１】本発明の第１の実施形態に係るデータ伝送を行う通信システムを示す概略図である。
【図２】基地局１０１がマッピングする１つのリソースブロックペアの一例を示す図である。
【図３】基地局１０１がマッピングする１つのリソースブロックペアの別の一例を示す図である。
【図４】本発明の第１の実施形態にかかわる端末の上りリンク信号の送信処理の詳細を示すシーケンスフローチャートである。
【図５】本発明の第１の実施形態に係る基地局１０１の構成を示す概略ブロック図である。
【図６】本発明の第１の実施形態に係る端末１０２の構成を示す概略ブロック図である。
【図７】基地局１０１がマッピングするチャネルの一例を示す図である。
【図８】伝送路状況測定用参照信号設定の詳細を示す図である。
【図９】図４  ステップ４０３における第２の測定対象設定に関するパラメータの詳細の一例を示す図である。
【図１０】図４  ステップ４０３における第２の測定対象設定に関するパラメータの詳細の別の一例を示す図である。
【図１１】ＣＳＩ-ＲＳ測定設定の詳細の一例を示す図である。
【図１２】ＣＳＩ-ＲＳ測定設定の詳細の別の一例を示す図である。
【図１３】図４  ステップ４０３における第３の測定対象設定および報告設定の詳細を示す図である。
【図１４】第３の測定対象設定の詳細の一例を示す図である。
【図１５】測定オブジェクトＥＵＴＲＡの詳細を示す図である。
【図１６】図４  ステップ４０３における第２の測定対象設定および報告設定の詳細を示す図である。
【図１７】第２の報告設定の詳細を示す図である。
【図１８】レポート設定の一例を示す図である。
【図１９】測定レポートの詳細を示す図である。
【図２０】ＥＵＴＲＡ測定結果リストの詳細を示す図である。
【図２１】第２の測定レポートの詳細を示す図である。
【図２２】上りリンク電力制御に関するパラメータの設定の詳細の一例を示す図である。
【図２３】上りリンク電力制御に関するパラメータの設定の詳細の別の一例を示す図である。
【図２４】パスロス参照リソースの詳細を示す図である。
【図２５】端末１０２が上りリンクグラントを検出したタイミングによるパスロス参照リソースの詳細を示す図である。
【図２６】端末１０２が上りリンクグラントを検出する制御チャネル領域によるパスロス参照リソースの詳細を示す図である。
【図２７】本願の本実施形態における第２の上りリンク電力制御に関するパラメータの設定の一例を示す図である。
【図２８】各無線リソース設定に含まれる第１の上りリンク電力制御に関するパラメータの設定と第２の上りリンク電力制御に関するパラメータの設定の一例を示す図である。
【図２９】第２のセル固有上りリンク電力制御に関するパラメータの設定の一例を示す図である。
【図３０】第１の端末固有上りリンク電力制御に関するパラメータの設定と第２の端末固有上りリンク電力制御に関するパラメータの設定の一例を示す図である。
【図３１】パスロス参照リソースの一例を示す図である。
【図３２】パスロス参照リソースの別の一例（別例１）を示す図である。
【図３３】パスロス参照リソースの別の一例（別例２）を示す図である。
【図３４】本発明の第７の実施形態に係る各上りリンク物理チャネルに設定される上りリンク電力制御に関するパラメータの一例である。
【図３５】第１のＴＰＣコマンドフィールドと第２のＴＰＣコマンドフィールドを構成するビットの数またはインデックスの数が異なる場合の一例を示す図である。
【図３６】第１のＴＰＣコマンドフィールドと第２のＴＰＣコマンドフィールドが異なるテーブルで管理されている場合について示した図である。
【図３７】マルチユーザＭＩＭＯ方式を行う一例を示す図である。
【図３８】下りリンクＣｏＭＰ方式を行う一例を示す図である。
【図３９】上りリンクＣｏＭＰ方式を行う一例を示す図である。
【発明を実施するための形態】
【００３８】
（第１の実施形態）
以下、本発明の第１の実施形態について説明する。本第１の実施形態における通信システムは、マクロ基地局（基地局、送信装置、セル、送信点、送信アンテナ群、送信アンテナポート群、受信アンテナポート群、受信点、コンポーネントキャリア、ｅＮｏｄｅＢ、送信ポイント、受信ポイント、ポイント、送受信ポイント、参照点、参照ポイント）、ＲＲＨ（Remote Radio Head、リモートアンテナ、分散アンテナ、基地局、送信装置、セル、送信点、送信アンテナ群、送信アンテナポート群、受信点、コンポーネントキャリア、ｅＮｏｄｅＢ、送信ポイント、受信ポイント、ポイント、送受信ポイント、参照点、参照ポイント）および端末（端末装置、移動端末、移動局、受信点、受信端末、受信装置、第３の通信装置、送信アンテナポート群、送信点、受信アンテナ群、受信アンテナポート群、ＵＥ、送信ポイント、受信ポイント、ポイント、送受信ポイント）を備える。下りリンク通信においては、マクロ基地局およびＲＲＨが送信点（ＴＰ：Transmission Point）になり、端末が受信点（ＲＰ：Reception Point）になる。また、上りリンク通信においては、マクロ基地局およびＲＲＨが受信点になり、端末が送信点になる。また、下りリンク送信点および上りリンク受信点は、下りリンクパスロス測定用のパスロス参照点（Pathloss Reference Point, Reference Point）になり得る。また、パスロス測定用の参照点は、送信点や受信点とは独立に設定され得る。また、端末１０２と接続している基地局１０１、ＲＲＨ１０３、下りリンク送信点、上りリンク受信点を総称して参照ポイント（Reference Point）と呼称する場合もある。なお、基地局１０１またはＲＲＨ１０３は、端末１０２に対してサービングセルに対応するコンポーネントキャリア（キャリアコンポーネント）を設定することができる。
【００３９】
図１は、本発明の第１の実施形態に係るデータ伝送を行う通信システムを示す概略図である。図１では、基地局（マクロ基地局）１０１は、端末１０２とデータ通信を行うため、下りリンク１０５および上りリンク１０６を通じて、制御情報および情報データを送受信する。同様にＲＲＨ１０３は、端末１０２とデータ通信を行うため、下りリンク１０７および上りリンク１０８を通じて、制御情報および情報データを送受信する。回線１０４は、光ファイバ等の有線回線やリレー技術を用いた無線回線を用いることができる。このとき、マクロ基地局１０１およびＲＲＨ１０３がそれぞれ一部または全部が同一の周波数（リソース）を用いることで、マクロ基地局１０１が構築するカバレッジのエリア内の総合的な周波数利用効率（伝送容量）が向上できる。この様な隣接局間（例えば、マクロ基地局−ＲＲＨ間）で同一の周波数を用いて構築されるネットワークのことを単一周波数ネットワーク（ＳＦＮ：Single Frequency Network）と呼ぶ。また図１において基地局１０１からセルＩＤが通知され、後述するセル固有参照信号（ＣＲＳ：Cell-specific Reference Signal）や端末固有参照信号（ＤＬ  ＤＭＲＳ：Downlink Demodulation Reference Signal，ＵＥ−ＲＳ：UE-specific Reference Signal）に利用される。またＲＲＨ１０３からもセルＩＤを通知することができる。ＲＲＨ１０３から通知されるセルＩＤは基地局１０１から通知されるものと同じ場合もあるし、異なる場合もある。なお、以降で示す基地局１０１は図1で示す基地局１０１およびＲＲＨ１０３のことを指し示す場合がある。なお、以降で示す基地局１０１およびＲＲＨ１０３間での説明は、マクロ基地局間、ＲＲＨ間のことを指し示してもかまわない。
【００４０】
図２は、基地局１０１およびまたはＲＲＨ１０３が下りリンク１０５もしくは下りリンク１０７を通してマッピングする１つのリソースブロックペアの一例を示す図である。図２は、２つのリソースブロック（リソースブロックペア）を表しており、１つのリソースブロックは周波数方向に１２のサブキャリアと時間方向に７のＯＦＤＭシンボルで構成される。１つのＯＦＤＭシンボルのうち、それぞれのサブキャリアをリソースエレメント（ＲＥ：Resource Element）と呼ぶ。リソースブロックペアは周波数方向に並べられ、そのリソースブロックペアの数は基地局１０１毎に設定できる。例えば、そのリソースブロックペアの数は６〜１１０個に設定できる。その時の周波数方向の幅は、システム帯域幅と呼ばれる。また、リソースブロックペアの時間方向は、サブフレームと呼ばれる。それぞれのサブフレームのうち、時間方向に前後の７つのＯＦＤＭシンボルをそれぞれスロットとも呼ぶ。また、以下の説明では、リソースブロックペアは、単にリソースブロック（ＲＢ：Resource Block）とも呼ばれる。
【００４１】
網掛けしたリソースエレメントのうち、Ｒ０〜Ｒ１は、それぞれアンテナポート０〜１のセル固有参照信号（ＣＲＳ）を示す。ここで、図２に示すセル固有参照信号は、２つのアンテナポートの場合であるが、その数を変えることができ、例えば、１つのアンテナポートや４つのアンテナポートに対するセル固有参照信号をマッピングすることができる。また、セル固有参照信号は、最大４つのアンテナポート（アンテナポート０〜３）に設定できる。
【００４２】
また基地局１０１およびＲＲＨ１０３はそれぞれ異なるリソースエレメントに上記Ｒ０〜Ｒ１を割り当てる場合もあるし、同じリソースエレメントに上記Ｒ０〜Ｒ１を割り当てる場合もある。例えば、基地局１０１およびＲＲＨ１０３はそれぞれ異なるリソースエレメントおよび／または異なる信号系列に上記Ｒ０〜Ｒ１を割り当てる場合には、端末１０２はセル固有参照信号を用いてそれぞれの受信電力（受信信号電力）を個別に算出することができる。特に、基地局１０１およびＲＲＨ１０３から通知されるセルＩＤが異なる場合には前述のような設定が可能となる。別の例では、基地局１０１のみが一部のリソースエレメントに上記Ｒ０〜Ｒ１を割り当て、ＲＲＨ１０３は何れのリソースエレメントにも上記Ｒ０〜Ｒ１を割り当てない場合がある。この場合には、端末１０２はマクロ基地局１０１の受信電力をセル固有参照信号から算出することができる。特に基地局１０１からのみセルＩＤが通知される場合には前述のような設定が可能となる。別の例では、基地局１０１およびＲＲＨ１０３が同じリソースエレメントに上記Ｒ０〜Ｒ１を割り当て、同じ系列を基地局１０１およびＲＲＨ１０３から送信した場合には、端末１０２はセル固有参照信号を用いて合成された受信電力を算出することができる。特に基地局１０１およびＲＲＨ１０３から通知されるセルＩＤが同じ場合には前述のような設定が可能となる。
【００４３】
なお、本発明の実施形態の説明では、例えば、電力を算出することは電力の値を算出することを含み、電力を計算することは電力の値を計算することを含み、電力を測定することは電力の値を測定することを含み、電力を報告することは電力の値を報告することを含む。このように、電力という表現は、適宜電力の値という意味も含まれる。
【００４４】
網掛けしたリソースエレメントのうち、Ｄ１〜Ｄ２は、それぞれＣＤＭ（Code Division Multiplexing）グループ１〜ＣＤＭグループ２の端末固有参照信号（ＤＬ  ＤＭＲＳ，ＵＥ−ＲＳ）を示す。また、ＣＤＭグループ１およびＣＤＭグループ２の端末固有参照信号はそれぞれＷａｌｓｈ符号等の直交符号によりＣＤＭされる。また、ＣＤＭグループ１およびＣＤＭグループ２の端末固有参照信号は互いに周波数多重（ＦＤＭ：Frequency Division Multiplexing）される。ここで、基地局１０１は、そのリソースブロックペアにマッピングする制御信号やデータ信号に応じて、８つのアンテナポート（アンテナポート７〜１４）を用いて、端末固有参照信号を最大８ランクまでマッピングすることができる。また、基地局１０１は端末固有参照信号をマッピングするランク数に応じて、ＣＤＭの拡散符号長やマッピングされるリソースエレメントの数を変えることができる。
【００４５】
例えば、ランク数が１〜２の場合における端末固有参照信号は、アンテナポート７〜８として、２チップの拡散符号長により構成され、ＣＤＭグループ１にマッピングされる。ランク数が３〜４の場合における端末固有参照信号は、アンテナポート７〜８に加えて、アンテナポート９〜１０として、２チップの拡散符号長により構成され、ＣＤＭグループ２にさらにマッピングされる。ランク数が５〜８の場合における端末固有参照信号は、アンテナポート７〜１４として、４チップの拡散符号長により構成され、ＣＤＭグループ１およびＣＤＭグループ２にマッピングされる。
【００４６】
また、端末固有参照信号において、各アンテナポートに対応する直交符号は、スクランブル符号がさらに重畳される。このスクランブル符号は、基地局１０１から通知されるセルＩＤおよびスクランブルＩＤに基づいて生成される。例えば、スクランブル符号は、基地局１０１から通知されるセルＩＤおよびスクランブルＩＤに基づいて生成される擬似雑音系列から生成される。例えば、スクランブルＩＤは、０または１を示す値である。また、用いられるスクランブルＩＤおよびアンテナポートを示す情報は、ジョイントコーディングされ、それらを示す情報をインデックス化することもできる。
【００４７】
図２の網掛けしたリソースエレメントのうち、先頭の１〜３番目のＯＦＤＭシンボルで構成される領域は、第１の制御チャネル（ＰＤＣＣＨ：Physical Downlink Control Channel）が配置される領域として設定される。また、基地局１０１は、第１の制御チャネルが配置される領域に関して、サブフレーム毎にそのＯＦＤＭシンボル数を設定することができる。また、白く塗りつぶされたリソースエレメントで構成される領域は、第２の制御チャネル（Ｘ−ＰＤＣＣＨ）または共用チャネル（ＰＤＳＣＨ：Physical Downlink Shared Channel）（物理データチャネル）が配置される領域を示す。また、基地局１０１は第２の制御チャネルまたは共用チャネルが配置される領域を、リソースブロックペア毎に設定することができる。また、第２の制御チャネルにマッピングされる制御信号や共用チャネルにマッピングされるデータ信号のランク数と、第１の制御チャネルにマッピングされる制御信号のランク数は、それぞれ異なって設定されることができる。
【００４８】
ここで、リソースブロックは、通信システムが用いる周波数帯域幅（システム帯域幅）に応じて、その数を変えられることができる。例えば、基地局１０１は、システム帯域で６〜１１０個のリソースブロックを用いることができ、その単位をコンポーネントキャリア（ＣＣ：Component Carrier, Carrier Component）とも呼ぶ。さらに、基地局１０１は、端末１０２に対して、周波数アグリゲーション（キャリアアグリゲーション）により、複数のコンポーネントキャリアを設定することもできる。例えば、基地局１０１は、端末１０２に対して、１つのコンポーネントキャリアを２０ＭＨｚで構成し、周波数方向に連続および／または非連続に、５個のコンポーネントキャリアを設定し、トータルの通信システムが用いることができる帯域幅を１００ＭＨｚにすることができる。なお、端末１０２は、キャリアアグリゲーションが設定された場合に、追加されたサービングセルをセカンダリーセル、初期接続やハンドオーバ時に設定されたサービングセルをプライマリーセルとして認識する。または、基地局１０１によってプライマリーセルに関する情報やセカンダリーセルに関する情報が通知された場合に、端末１０２は、それぞれのセルの情報を設定する。
【００４９】
ここで、制御情報は、所定の変調方式や符号化方式を用いて、変調処理や誤り訂正符号化処理等が施され、制御信号が生成される。制御信号は、第１の制御チャネル（第１の物理制御チャネル）、あるいは第１の制御チャネルとは異なる第２の制御チャネル（第２の物理制御チャネル）を介して送受信される。ただし、ここで言う物理制御チャネルは物理チャネルの一種であり、物理フレーム上に規定される制御チャネルである。
【００５０】
なお、１つの観点から見ると、第１の制御チャネルは、セル固有参照信号と同じ送信ポート（アンテナポート）を用いる物理制御チャネルである。また、第２の制御チャネルは、端末固有参照信号と同じ送信ポートを用いる物理制御チャネルである。端末１０２は、第１の制御チャネルにマッピングされる制御信号に対して、セル固有参照信号を用いて復調し、第２の制御チャネルにマッピングされる制御信号に対して、端末固有参照信号を用いて復調する。セル固有参照信号は、セル内の全端末１０２に共通の参照信号であって、システム帯域のすべてのリソースブロックに挿入されているため、いずれの端末１０２も使用可能な参照信号である。このため、第１の制御チャネルは、いずれの端末１０２も復調可能である。一方、端末固有参照信号は、割り当てられたリソースブロックのみに挿入される参照信号であって、データ信号と同じように適応的にビームフォーミング処理を行うことができる。このため、第２の制御チャネルでは、適応的なビームフォーミングの利得を得ることができる。
【００５１】
また、異なる観点から見ると、第１の制御チャネルは、物理サブフレームの前部に位置するＯＦＤＭシンボル上の物理制御チャネルであり、これらのＯＦＤＭシンボル上のシステム帯域幅（コンポーネントキャリア（ＣＣ：Component Carrier, Carrier Component））全域に配置され得る。また、第２の制御チャネルは、物理サブフレームの第１の制御チャネルよりも後方に位置するＯＦＤＭシンボル上の物理制御チャネルであり、これらのＯＦＤＭシンボル上のシステム帯域幅内のうち、一部の帯域に配置されうる。第１の制御チャネルは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみを監視する（モニタリングする）端末１０２も受信することができる。また、第１の制御チャネルに用いられるリソースはＣＣ全域に拡散されて配置されうるため、第１の制御チャネルに対するセル間干渉はランダム化されることができる。一方、第２の制御チャネルは、通信中の端末１０２が通常受信する共用チャネル（物理データチャネル）用の後部のＯＦＤＭシンボル上に配置される。また、基地局１０１は、第２の制御チャネルを周波数分割多重することにより、第２の制御チャネル同士あるいは第２の制御チャネルと物理データチャネルとを直交多重（干渉無しの多重）することができる。
【００５２】
また、異なる観点から見ると、第１の制御チャネルは、セル固有の物理制御チャネルであり、アイドル状態（待機状態、休止状態、非接続状態）の端末１０２およびコネクト状態（接続状態）の端末１０２の両方が取得できる物理チャネルである。また、第２の制御チャネルは、端末固有の物理制御チャネルであり、コネクト状態の端末１０２のみが取得できる物理チャネルである。ここで、アイドル状態とは、基地局１０１がＲＲＣ（Radio Resource Control）の情報を蓄積してない状態（ＲＲＣ＿ＩＤＬＥ状態）など、直ちにデータの送受信を行わない状態である。一方、コネクト状態とは、端末１０２がネットワークの情報を保持している状態（ＲＲＣ＿ＣＯＮＮＥＣＴＥＤ状態）など、直ちにデータの送受信を行うことができる状態である。第１の制御チャネルは、端末固有のＲＲＣシグナリング（ＲＲＣ信号）に依存せず端末１０２が受信可能なチャネルである。第２の制御チャネルは、端末固有のＲＲＣシグナリングによって設定されるチャネルであり、端末固有のＲＲＣシグナリングによって端末１０２が受信可能なチャネルである。すなわち、第１の制御チャネルは、予め限定された設定により、いずれの端末も受信可能なチャネルであり、第２の制御チャネルは端末固有の設定変更が容易なチャネルである。なお、ＲＲＣシグナリングは、上位層シグナリング（Higher layer signaling）や専用シグナリング（Dedicated signaling）と呼称する場合もある。
【００５３】
図３は、８アンテナポート用の伝送路状況測定用参照信号（ＣＳＩ−ＲＳ：Channel State Information Reference Signal）がマッピングされたリソースブロックペアを示す図である。図３は基地局のアンテナポート数（ＣＳＩポート数）が８のときの伝送路状況測定用参照信号がマッピングされる場合を示している。また、図３は１つのサブフレーム内の２つのリソースブロックを表している。
【００５４】
図３の色付けしたリソースエレメントのうち、ＣＤＭグループ番号１〜２の端末固有参照信号（データ信号復調用参照信号）をそれぞれＤ１〜Ｄ２、ＣＤＭグループ番号１〜４の伝送路状況測定用参照信号をそれぞれＣ１〜Ｃ４と表している。さらに、それらの参照信号がマッピングされたリソースエレメント以外のリソースエレメントに、データ信号または制御信号がマッピングされる。
【００５５】
伝送路状況測定用参照信号は、それぞれのＣＤＭグループにおいて、２チップの直交符号（Ｗａｌｓｈ符号）が用いられ、それぞれの直交符号にＣＳＩポート（伝送路状況測定用参照信号のポート（アンテナポート、リソースグリッド））が割り当てられ、２ＣＳＩポート毎に符号分割多重（ＣＤＭ：Code Division Multiplexing）される。さらに、それぞれのＣＤＭグループが周波数分割多重される。４つのＣＤＭグループを用いて、ＣＳＩポート１〜８（アンテナポート１５〜２２）の８アンテナポートの伝送路状況測定用参照信号がマッピングされる。例えば、伝送路状況測定用参照信号のＣＤＭグループＣ１では、ＣＳＩポート１および２（アンテナポート１５および１６）の伝送路状況測定用参照信号がＣＤＭされ、マッピングされる。伝送路状況測定用参照信号のＣＤＭグループＣ２では、ＣＳＩポート３および４（アンテナポート１７および１８）の伝送路状況測定用参照信号がＣＤＭされ、マッピングされる。伝送路状況測定用参照信号のＣＤＭグループＣ３では、ＣＳＩポート５および６（アンテナポート１９および２０）の伝送路状況測定用参照信号がＣＤＭされ、マッピングされる。伝送路状況測定用参照信号のＣＤＭグループＣ４では、ＣＳＩポート７および８（アンテナポート２１および２２）の伝送路状況測定用参照信号がＣＤＭされ、マッピングされる。
【００５６】
基地局１０１のアンテナポート数が８の場合、基地局１０１はデータ信号または制御信号のレイヤー数（ランク数、空間多重数、ＤＭＲＳポート数）を最大８とすることができ、例えば、データ信号のレイヤー数を２、制御信号のレイヤー数を１とすることができる。端末固有参照信号（ＤＬ  ＤＭＲＳ、ＵＥ−ＲＳ）は、それぞれのＣＤＭグループにおいて、レイヤー数に応じて、２チップまたは４チップの直交符号が用いられ、２レイヤーまたは４レイヤー毎にＣＤＭされる。さらに、端末固有参照信号のそれぞれのＣＤＭグループが周波数分割多重される。２つのＣＤＭグループを用いて、ＤＭＲＳポート１〜８（アンテナポート７〜１４）の８レイヤーの端末固有参照信号がマッピングされる。
【００５７】
また、基地局１０１は、アンテナポート数が１、２または４のときの伝送路状況測定用参照信号を送信することができる。基地局１０１は、１アンテナポート用または２アンテナポート用の伝送路状況測定用参照信号を、図３で示す伝送路状況測定用参照信号のＣＤＭグループＣ１を用いて、送信することができる。基地局１０１は、４アンテナポート用の伝送路状況測定用参照信号を、図３で示す伝送路状況測定用参照信号のＣＤＭグループＣ１、Ｃ２を用いて、送信することができる。
【００５８】
また、基地局１０１およびＲＲＨ１０３はそれぞれ異なるリソースエレメントを上記Ｃ１〜Ｃ４のいずれかに割り当てる場合もあるし、同じリソースエレメントを上記Ｃ１〜Ｃ４のいずれかに割り当てる場合もある。例えば、基地局１０１およびＲＲＨ１０３はそれぞれ異なるリソースエレメントおよび、または異なる信号系列を上記Ｃ１〜Ｃ４のいずれかに割り当てる場合には、端末１０２は伝送路状況測定用参照信号を用いて、基地局１０１およびＲＲＨ１０３のそれぞれの受信電力（受信信号電力）およびそれぞれの伝送路状態を個別に算出することができる。別の例では、基地局１０１およびＲＲＨ１０３が同じリソースエレメントを上記Ｃ１〜Ｃ４のいずれかに割り当て、同じ系列を基地局１０１およびＲＲＨ１０３から送信した場合には、端末１０２は伝送路状況測定用参照信号を用いて合成された受信電力を算出することができる。
【００５９】
続いて図４のフロチャートに、端末１０２が参照信号（セル固有参照信号、伝送路状況測定用参照信号）を測定し、基地局１０１に受信電力の報告（レポート）し、測定した結果に基づきパスロスを計算し、計算したパスロスに基づき上りリンク送信電力を計算し、計算した上りリンク送信電力にて上りリンク信号の送信を行う様子を示す。ステップ４０３では基地局１０１が参照信号の測定及び報告に関する端末１０２のパラメータ設定を行う。第２の測定対象設定、第２の報告設定および第３の測定対象設定、第３の報告設定に関するパラメータがステップ４０３で設定され得る。なお、セル固有参照信号および伝送路状況測定用参照信号は、下りリンク参照信号の一種である。ここでは図示していないが、端末１０２において第１の測定対象設定は予め設定がなされており、第１の測定対象設定の測定対象（第１の測定対象）は常にアンテナポート０のセル固有参照信号、またはアンテナポート０と１のセル固有参照信号でありうる。すなわち、第１の測定対象設定は予め指定された特定の参照信号およびアンテナポートを対象とする可能性がある。一方で、基地局１０１により設定される第２の測定対象設定は伝送路状況測定用参照信号を対象とし、その測定対象となるリソース（アンテナポート）は設定可能であり得る。また、第２の測定対象となるリソースは１つであってもよいし、複数であってもよい。これらパラメータの詳細については後述する。また、基地局１０１により設定される第３の測定対象設定は、後述する通り接続されていないセルから送信される参照信号の測定のための設定が含まれ得る。例えば、第３の測定対象設定の測定対象（第３の測定対象）となる参照信号は常にアンテナポート０のセル固有参照信号、またはアンテナポート０と１のセル固有参照信号であり得る。すなわち、接続されていないセルの予め指定された特定の参照信号および特定のアンテナポートを対象とする可能性がある。なお、ここで接続されていないセルとはＲＲＣによりパラメータが設定されていない状態のセルのことを意味し得る。また別の観点から述べると接続されていないセルから送信されるセル固有参照信号は、前記接続されているセルから送信されるセル固有参照信号とは別の物理ＩＤ（物理セルＩＤ）を用いて生成され得る。ここでは、基地局１０１が第３の測定対象設定により物理ＩＤ（物理セルＩＤ）やキャリア周波数（中心周波数）などを端末１０２に通知することで、端末１０２が接続していないセル（ＲＲＣパラメータが設定されていないセル）から送信されるセル固有参照信号の受信信号電力を測定することが可能となる（図１５参照）。また、第２の報告設定および第３の報告設定には、端末１０２が測定結果を測定レポートにおける、トリガーとなるイベントなど送信するタイミングに関する設定などが含まれている。
【００６０】
続いてステップ４０５についての説明を行う。ステップ４０５では、端末１０２は、前述した第１の測定対象設定が行われた場合には、第１の測定対象設定により設定された第１の測定対象の参照信号の受信電力を測定し、前述した第２の測定対象設定が行われた場合には、第２の測定対象設定により設定された第２の測定対象の参照信号の受信電力を測定する。また、端末１０２は、第３の測定対象設定が行われた場合には、第３の測定対象設定により設定された第３の測定対象の参照信号の受信電力を測定する。続いてステップ４０７についての説明を行う。第１の測定レポートおよび/または第２の測定レポートに関するパラメータがステップ４０７では設定され得る。ここで、第１の測定レポートは前述した第１の測定対象設定および/または第３の測定対象設定により設定された測定対象の受信信号電力に関するものであり得る。一方で、第２の測定レポートは前述した第２の測定対象設定により設定された測定対象の受信信号電力に関するものであり得る。また、前述した第２の測定レポートは、第２の測定対象設定により設定された第２の測定対象の参照信号の受信電力（ＲＳＲＰ：Reference Signal Received Power）のひとつもしくは複数の測定結果のいくつかと関連付けられる。なお、前述した第２の測定レポートには第２の測定対象のうちいずれのリソースの測定結果を報告対象とするかも設定される可能性がある。前述したいずれのリソースの測定結果を報告対象とするは、ＣＳＩポート１〜８（アンテナポート１５〜２２）に関連したインデックスで通知されても良いし、周波数時間リソースに関連したインデックスで通知されても良い。これによりステップ４０７では、前述した第１の測定レポートが設定された場合には、第１の測定対象設定および/または第３の測定対象設定により設定された第１の測定対象および/または第３の測定対象の参照信号の受信電力の測定結果が報告され、前述した第２の測定レポートが設定された場合には、第２の測定対象設定により設定された第２の測定対象の参照信号の受信電力のひとつもしくは複数の測定結果のうち少なくとも一つが報告される。なお、前述したとおり第２の測定レポートには第２の測定対象のうちいずれのリソースの測定結果を報告対象とするかも設定される可能性がある。
【００６１】
続いてステップ４０８についての説明を行う。ステップ４０８では、上りリンク電力制御に関するパラメータの設定（UplinkPowerControlやTPC Commandなど）がされ得る。このパラメータには前述した第１の測定対象設定と第１の測定レポートにより測定および報告された受信信号電力に基づく第１のパスロスか、前述した第２の測定対象設定と第２の測定レポートにより測定および報告された受信信号電力に基づく第２のパスロスのいずれかを上りリンク送信電力の計算時に用いるパスロスに使用するためのパラメータ設定が含まれ得る。これらパラメータの詳細については後述する。
【００６２】
続いてステップ４０９についての説明を行う。本ステップ４０９では、上りリンク送信電力の計算が行われる。上りリンク送信電力の計算には、基地局１０１（もしくはＲＲＨ１０３）と端末１０２間の下りリンクパスロスが用いられるが、この下りリンクパスロスはステップ４０５で測定されたセル固有参照信号の受信信号電力、すなわち第１の測定対象の測定結果、もしくは伝送路状況測定用参照信号の受信信号電力、すなわち第２の測定対象の測定結果、から算出される。なお、パスロスの算出には参照信号の送信電力も必要となるため、前述した第２の測定対象設定の中に参照信号の送信電力に関する情報が含まれ得る。従って、端末１０２では第１の測定対象設定により設定された第１の測定対象の参照信号の受信電力に基づいて求められた第１のパスロスおよび第２の測定対象設定により設定された第２の測定対象の参照信号の受信電力に基づいて求められた第２のパスロスを保持している。端末１０２は、ステップ４０３で設定された上りリンク電力制御に関するパラメータの設定に従い、前記第１および第２のパスロスのいずれかを用いて上りリンク送信電力の計算を行う。続いてステップ４１１についての説明を行う。ステップ４１１ではステップ４０９において求められた送信電力値に基づき、上りリンク信号の送信を行う。
【００６３】
図５は、本発明の基地局１０１の構成を示す概略ブロック図である。図示するように、基地局１０１は、上位層処理部５０１、制御部５０３、受信部５０５、送信部５０７、チャネル測定部５０９、および、送受信アンテナ５１１、を含んで構成される。また、上位層処理部５０１は、無線リソース制御部５０１１、ＳＲＳ設定部５０１３と送信電力設定部５０１５を含んで構成される。また、受信部５０５は、復号化部５０５１、復調部５０５３、多重分離部５０５５と無線受信部５０５７を含んで構成される。また、送信部５０７は、符号化部５０７１、変調部５０７３、多重部５０７５、無線送信部５０７７と下りリンク参照信号生成部５０７９を含んで構成される。
【００６４】
上位層処理部５０１は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行う。
【００６５】
上位層処理部５０１が備える無線リソース制御部５０１１は、下りリンクの各チャネルに配置する情報を生成、又は上位ノードから取得し、送信部５０７に出力する。また、無線リソース制御部５０１１は、上りリンクの無線リソースの中から、端末１０２が上りリンクのデータ情報である物理上りリンク共用チャネル（ＰＵＳＣＨ：Physical Uplink Shared Channel）を配置する無線リソースを割り当てる。また、無線リソース制御部５０１１は、下りリンクの無線リソースの中から、下りリンクのデータ情報である物理下りリンク共用チャネル（ＰＤＳＣＨ：Physical Downlink Shared Channel）を配置する無線リソースを決定する。無線リソース制御部５０１１は、当該無線リソースの割り当てを示す下りリンク制御情報を生成し、送信部５０７を介して端末１０２に送信する。無線リソース制御部５０１１は、ＰＵＳＣＨを配置する無線リソースを割り当てる際に、チャネル測定部５０９から入力された上りリンクのチャネル測定結果を基に、チャネル品質のよい無線リソースを優先的に割り当てる。
【００６６】
上位層処理部５０１は、端末１０２から物理上りリンク制御チャネル（ＰＵＣＣＨ：Physical Uplink Control Channel）で通知された上りリンク制御情報（ＵＣＩ：Uplink Control Information）、および端末１０２から通知されたバッファの状況や無線リソース制御部５０１１が設定した端末１０２各々の各種設定情報に基づき、受信部５０５および送信部５０７の制御を行うために制御情報を生成し、制御部５０３に出力する。なお、ＵＣＩには、Ａｃｋ／Ｎａｃｋ、チャネル品質情報（ＣＱＩ：Channel Quality Indicator）、スケジューリング要求（ＳＲ：Scheduling Request）がうち少なくとも一つが含まれる。
【００６７】
ＳＲＳ設定部５０１３は、端末１０２がサウンディング参照信号（ＳＲＳ：Sounding Reference Signal）を送信するための無線リソースを予約するサブフレームであるサウンディングサブフレーム、およびサウンディングサブフレーム内でＳＲＳを送信するために予約する無線リソースの帯域幅を設定し、前記設定に関する情報をシステム情報（ＳＩ：System Information）として生成し、送信部５０７を介して、ＰＤＳＣＨで報知送信する。また、ＳＲＳ設定部５０１３は、端末１０２各々に周期的にピリオディックＳＲＳ（Ｐ−ＳＲＳ：Periodic SRS）を送信するサブフレーム、周波数帯域、およびピリオディックＳＲＳのＣＡＺＡＣ（Constant Amplitude Zero Auto-Correlation）系列に用いるサイクリックシフトの量を設定し、前記設定に関する情報を含む信号を無線リソース制御（ＲＲＣ：Radio Resource Control）信号として生成し、送信部５０７を介して、端末１０２各々にＰＤＳＣＨで通知する。なお、Ｐ−ＳＲＳはトリガータイプ０ＳＲＳ（Trigger type 0 SRS, Type 0 triggered SRS）と呼称する場合もある。
【００６８】
また、ＳＲＳ設定部５０１３は、端末１０２各々にアピリオディックＳＲＳ（Ａ−ＳＲＳ：Aperiodic SRS）を送信する周波数帯域、およびアピリオディックＳＲＳのＣＡＺＡＣ系列に用いるサイクリックシフトの量を設定し、前記設定に関する情報を含む信号を無線リソース制御信号として生成し、送信部５０７を介して、端末１０２各々にＰＤＳＣＨで通知する。また、ＳＲＳ設定部は、端末１０２にアピリオディックＳＲＳの送信を要求する場合、端末１０２にアピリオディックＳＲＳの送信を要求していることを示すＳＲＳインディケータを生成し、送信部５０７を介して、端末１０２にＰＤＣＣＨで通知する。なお、ＳＲＳインディケータは、下りリンク制御情報フォーマット（ＤＣＩフォーマット、Downlink Control Information Format）に含まれ、ＤＣＩフォーマットは、端末１０２にＰＤＣＣＨで通知される。また、ＳＲＳインディケータを含むＤＣＩフォーマットには、上りリンクグラントまたは下りリンクアサインメントが含まれている。ＤＣＩフォーマットは、複数の種類が用意されており、ＳＲＳインディケータはそのうちの少なくとも一つには含まれている。例えば、ＳＲＳインディケータは上りリンクグラントであるＤＣＩフォーマット０に含まれてもよい。また、ＳＲＳインディケータは下りリンクアサインメントであるＤＣＩフォーマット１Ａに含まれてもよい。また、ＳＲＳインディケータはＭＩＭＯ用の上りリンクグラントであるＤＣＩフォーマット４に含まれてもよい。また、ＴＤＤに対してのみ適用されるＳＲＳインディケータはＤＬＭＩＭＯ用のＤＣＩフォーマット２Ｂ／２Ｃに含まれてもよい。また、ＳＲＳインディケータは、１ビットの情報で制御されてもよい。つまり、アピリオディックＳＲＳ（Ａ−ＳＲＳ）の送信を行うか否かを１ビットの情報で制御することができる。例えば、基地局１０１が、ＳＲＳインディケータを‘０’に設定した場合、端末１０２に対してＡ−ＳＲＳの送信を行わないように制御し、ＳＲＳインディケータを‘１’に設定した場合、端末１０２に対してＡ−ＳＲＳの送信を行うように制御することができる。また、ＳＲＳインディケータは、２ビットの情報で制御されてもよい。つまり、アピリオディックＳＲＳ（Ａ−ＳＲＳ）の送信を行うか否かを示す情報以外に、種々のＳＲＳパラメータ（または、パラメータセット）と２ビットの情報で表されるインデックスを関連付けることもできる。ここで、種々のＳＲＳパラメータには、送信帯域幅（srs-BandwidthAp-r10）が含まれてもよい。また、種々のＳＲＳパラメータには、Ａ−ＳＲＳのアンテナポート数（srs-AntennaPortAp-r10）が含まれてもよい。また、種々のＳＲＳパラメータには、ＳＲＳのサイクリックシフト（cyclicShiftAp-r10）が含まれてもよい。種々のＳＲＳパラメータには、櫛状配置の周波数オフセットである送信コーム（transmissionCombAp-r10）が含まれてもよい。種々のＳＲＳパラメータには、周波数ポジション（freqDomainPositionAp-r10）が含まれてもよい。また、種々のＳＲＳパラメータには、ホッピング帯域幅（srs-HoppingBandwidthAp-r10）が含まれてもよい。また、種々のＳＲＳパラメータには、ＳＲＳの送信回数（durationAp-r10）が含まれてもよい。また、これらの種々のＳＲＳパラメータは、ＳＲＳパラメータセットに���まれて設定されてもよい。つまり、ＳＲＳパラメータセットは、種々のＳＲＳパラメータで構成されてもよい。例えば、２ビットで示される情報として０から３のインデックスで表せるとすると、基地局１０１が、ＳＲＳインディケータをインデックス‘０’に設定した場合、端末１０２に対してＡ−ＳＲＳの送信を行わないように制御し、ＳＲＳインディケータをインデックス‘１’に設定した場合、端末１０２に対して‘ＳＲＳパラメータセット１’で生成したＡ−ＳＲＳを送信させるように制御することができ、ＳＲＳインディケータをインデックス‘２’に設定した場合、端末１０２に対して‘ＳＲＳパラメータセット２’で生成したＡ−ＳＲＳを送信させるように制御することができ、ＳＲＳインディケータをインデックス‘３’に設定した場合、端末１０２に対して‘ＳＲＳパラメータセット３’で生成したＡ−ＳＲＳを送信させるように制御することができる。前述した各ＳＲＳパラメータセットは、ＳＲＳパラメータセットに含まれている種々のＳＲＳパラメータのうち少なくとも一つのＳＲＳパラメータの値（または、ＳＲＳパラメータと関連付けられたインデックス）が異なる値になるように設定する。なお、Ａ−ＳＲＳは、トリガータイプ１ＳＲＳ（Trigger type 1 SRS, Type 1 triggered SRS）と呼称する場合もある。ＳＲＳインディケータは、ＳＲＳリクエストと呼称する場合もある。
【００６９】
送信電力設定部５０１５は、ＰＵＣＣＨ、ＰＵＳＣＨ、ピリオディックＳＲＳ、およびアピリオディックＳＲＳの送信電力を設定する。具体的には、送信電力設定部５０１５は、隣接する基地局からの干渉量を示す情報、隣接する基地局から通知された隣接する基地局１０１に与えている干渉量を示す情報、またチャネル測定部５０９から入力されたチャネルの品質などに応じて、ＰＵＳＣＨなどが所定のチャネル品質を満たすよう、また隣接する基地局への干渉を考慮し、端末１０２の送信電力を設定し、前記設定を示す情報を、送信部５０７を介して、端末１０２に送信する。
【００７０】
具体的には、送信電力設定部５０１５は、後述する数式（１）のＰ０＿ＰＵＳＣＨ、α、ピリオディックＳＲＳ用の電力オフセットＰＳＲＳ＿ＯＦＦＳＥＴ（０）（第１パラメータ（pSRS-Offset））、アピリオディックＳＲＳ用の電力オフセットＰＳＲＳ＿ＯＦＦＳＥＴ（１）（第２パラメータ（pSRS-OffsetAp-r10））を設定し、前記設定を示す情報を含む信号を無線リソース制御信号として生成し、送信部５０７を介して、端末１０２各々にＰＤＳＣＨで通知する。また、送信電力設定部５０１５は、数式（１）および数式（４）のｆを算出するためのＴＰＣコマンドを設定し、ＴＰＣコマンドを示す信号を生成し、送信部５０７を介して、端末１０２各々にＰＤＣＣＨで通知する。なお、ここで述べるαとはパスロス値と共に数式（１）および数式（４）での送信電力算出に用いられ、パスロスを補償する度合いを表す係数、言い換えるとパスロスに応じてどの程度電力を増減させるかを決定する係数（減衰係数、伝送路損失補償係数）である。αは通常０から１の値をとり、０であればパスロスに応じた電力の補償は行わず、１であればパスロスの影響が基地局１０１において生じないよう端末１０２の送信電力を増減させることとなる。また、端末１０２の状態を考慮して、ＳＲＳのＴＰＣコマンドを設定し、そのＴＰＣコマンドを示す信号を生成し、送信部５０７を介して、端末１０２各々にＰＤＣＣＨで通知する。また、そのＴＰＣコマンドを含むＤＣＩフォーマットを生成し、送信部５０７を介して、端末１０２各々にＰＤＣＣＨで通知する。
【００７１】
制御部５０３は、上位層処理部５０１からの制御情報に基づいて、受信部５０５、および送信部５０７の制御を行う制御信号を生成する。制御部５０３は、生成した制御信号を受信部５０５、および送信部５０７に出力して受信部５０５、および送信部５０７の制御を行う。
【００７２】
受信部５０５は、制御部５０３から入力された制御信号に従って、送受信アンテナ５１１を介して端末１０２から受信した受信信号を分離、復調、復号し、復号した情報を上位層処理部５０１に出力する。無線受信部５０５７は、送受信アンテナ５１１を介して受信した上りリンクの信号を、中間周波数（ＩＦ：Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部５０５７は、変換したディジタル信号からガードインターバル（ＧＩ：Guard Interval）に相当する部分を除去する。無線受信部５０５７は、ガードインターバルを除去した信号に対して高速フーリエ変換（ＦＦＴ：Fast Fourier Transform）を行い、周波数領域の信号を抽出し多重分離部５０５５に出力する。
【００７３】
多重分離部５０５５は、無線受信部５０５７から入力された信号をＰＵＣＣＨ、ＰＵＳＣＨ、ＵＬ  ＤＭＲＳ、ＳＲＳなどの信号に、それぞれ分離する。尚、この分離は、予め基地局１０１が決定して各端末１０２に通知した無線リソースの割当情報に基づいて行われる。また、多重分離部５０５５は、チャネル測定部５０９から入力された伝送路の推定値から、ＰＵＣＣＨとＰＵＳＣＨの伝送路の補償を行なう。また、多重分離部５０５５は、分離したＵＬ  ＤＭＲＳおよびＳＲＳをチャネル測定部５０９に出力する。
【００７４】
復調部５０５３は、ＰＵＳＣＨを逆離散フーリエ変換（ＩＤＦＴ：Inverse Discrete Fourier Transform）し、変調シンボルを取得し、ＰＵＣＣＨとＰＵＳＣＨの変調シンボルそれぞれに対して、２位相偏移変調（ＢＰＳＫ：Binary Phase Shift Keying）、４相位相偏移変調（ＱＰＳＫ：Quadrature Phase Shift Keying）、１６値直交振幅変調（１６ＱＡＭ：16 Quadrature Amplitude Modulation）、６４値直交振幅変調（６４ＱＡＭ：64 Quadrature Amplitude Modulation）等の予め定められた、または基地局１０１が端末１０２各々に下りリンク制御情報で予め通知した変調方式を用いて受信信号の復調を行なう。
【００７５】
復号化部５０５１は、復調したＰＵＣＣＨとＰＵＳＣＨの符号化ビットを、予め定められた符号化方式の、予め定められた、又は基地局１０１が端末１０２に上りリンクグラント（UL grant）で予め通知した符号化率で復号を行ない、復号したデータ情報と、上りリンク制御情報を上位層処理部５０１へ出力する。
【００７６】
チャネル測定部５０９は、多重分離部５０５５から入力された上りリンク復調参照信号ＵＬ  ＤＭＲＳとＳＲＳから伝送路の推定値、チャネルの品質などを測定し、多重分離部５０５５および上位層処理部５０１に出力する。
【００７７】
送信部５０７は、制御部５０３から入力された制御信号に従って、下りリンクの参照信号（下りリンク参照信号）を生成し、上位層処理部５０１から入力されたデータ情報、下りリンク制御情報を符号化、および変調し、ＰＤＣＣＨ、ＰＤＳＣＨ、および下りリンク参照信号を多重して、送受信アンテナ５１１を介して端末１０２に信号を送信する。
【００７８】
符号化部５０７１は、上位層処理部５０１から入力された下りリンク制御情報、およびデータ情報を、ターボ符号化、畳込み符号化、ブロック符号化等の符号化を行う。変調部５０７３は、符号化ビットをＱＰＳＫ、１６ＱＡＭ、６４ＱＡＭ等の変調方式で変調する。下りリンク参照信号生成部５０７９は、基地局１０１を識別するためのセル識別子（Ｃｅｌｌ  ＩＤ）などを基に予め定められた規則で求まる、端末１０２が既知の系列を下りリンク参照信号として生成する。多重部５０７５は、変調した各チャネルと生成した下りリンク参照信号を多重する。
【００７９】
無線送信部５０７７は、多重した変調シンボルを逆高速フーリエ変換（ＩＦＦＴ：Inverse Fast Fourier Transform）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ５１１に出力して送信する。なお、ここでは図示しないがＲＲＨ１０３も基地局１０１同様の構成であると考える。
【００８０】
図６は、本実施形態に係る端末１０２の構成を示す概略ブロック図である。図示するように、端末１０２は、上位層処理部６０１、制御部６０３、受信部６０５、送信部６０７、チャネル測定部６０９、および、送受信アンテナ６１１、を含んで構成される。また、上位層処理部６０１は、無線リソース制御部６０１１、ＳＲＳ制御部６０１３と送信電力制御部６０１５を含んで構成される。また、受信部６０５は、復号化部６０５１、復調部６０５３、多重分離部６０５５と無線受信部６０５７を含んで構成される。また、送信部６０７は、符号化部６０７１、変調部６０７３、多重部６０７５と無線送信部６０７７を含んで構成される。
【００８１】
上位層処理部６０１は、ユーザの操作等により生成された上りリンクのデータ情報を、送信部に出力する。また、上位層処理部６０１は、パケットデータ統合プロトコル層、無線リンク制御層、無線リソース制御層の処理を行う。
【００８２】
上位層処理部６０１が備える無線リソース制御部６０１１は、自装置の各種設定情報の管理を行なう。また、無線リソース制御部６０１１は、上りリンクの各チャネルに配置する情報を生成し、送信部６０７に出力する。無線リソース制御部６０１１は、基地局１０１からＰＤＣＣＨで通知された下りリンク制御情報、およびＰＤＳＣＨで通知された無線リソース制御情報で設定された無線リソース制御部６０１１が管理する自装置の各種設定情報に基づき、受信部６０５、および送信部６０７の制御を行うために制御情報を生成し、制御部６０３に出力する。
【００８３】
上位層処理部６０１が備えるＳＲＳ制御部６０１３は、基地局１０１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局１０１が自装置に通知したピリオディックＳＲＳを送信するサブフレームと、周波数帯域と、ピリオディックＳＲＳのＣＡＺＡＣ系列に用いるサイクリックシフトの量とを示す情報、および、基地局１０１が自装置に通知したアピリオディックＳＲＳを送信する周波数帯域と、アピリオディックＳＲＳのＣＡＺＡＣ系列に用いるサイクリックシフトの量とを示す情報を受信部６０５から取得する。
【００８４】
ＳＲＳ制御部６０１３は、前記情報に従ってＳＲＳ送信の制御を行なう。具体的には、ＳＲＳ制御部６０１３は、前記ピリオディックＳＲＳに関する情報に従ってピリオディックＳＲＳを１回または周期的に送信するよう送信部６０７を制御する。また、ＳＲＳ制御部６０１３は、受信部６０５から入力されたＳＲＳインディケータ（ＳＲＳリクエスト）においてアピリオディックＳＲＳの送信を要求された場合、前記アピリオディックＳＲＳに関する情報に従ってアピリオディックＳＲＳを予め定められた回数（例えば、１回）だけ送信する。
【００８５】
上位層処理部６０１が備える送信電力制御部６０１５は、ＰＵＣＣＨ、ＰＵＳＣＨ、ピリオディックＳＲＳ、およびアピリオディックＳＲＳの送信電力の設定を示す情報を基に、送信電力の制御を行うよう、制御部６０３に制御情報を出力する。具体的には、送信電力制御部６０１５は、受信部６０５から取得したＰ０＿ＰＵＳＣＨ、α、ピリオディックＳＲＳ用の電力オフセットＰＳＲＳ＿ＯＦＦＳＥＴ（０）（第１パラメータ（pSRS-Offset））、アピリオディックＳＲＳ用の電力オフセットＰＳＲＳ＿ＯＦＦＳＥＴ（１）（第２パラメータ（pSRS-OffsetAp-r10））、およびＴＰＣコマンドを基に、数式（４）からピリオディックＳＲＳの送信電力とアピリオディックＳＲＳの送信電力各々を制御する。尚、送信電力制御部６０１５は、ＰＳＲＳ＿ＯＦＦＳＥＴに対してピリオディックＳＲＳかアピリオディックＳＲＳかに応じてパラメータを切り替える。
【００８６】
制御部６０３は、上位層処理部６０１からの制御情報に基づいて、受信部６０５、および送信部６０７の制御を行う制御信号を生成する。制御部６０３は、生成した制御信号を受信部６０５、および送信部６０７に出力して受信部６０５、および送信部６０７の制御を行う。
【００８７】
受信部６０５は、制御部６０３から入力された制御信号に従って、送受信アンテナ６１１を介して基地局１０１から受信した受信信号を、分離、復調、復号し、復号した情報を上位層処理部６０１に出力する。
【００８８】
無線受信部６０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部６０５７は、変換したディジタル信号からガードインターバルに相当する部分を除去し、ガードインターバルを除去した信号に対して高速フーリエ変換を行い、周波数領域の信号を抽出する。
【００８９】
多重分離部６０５５は、抽出した信号を物理下りリンク制御チャネル（ＰＤＣＣＨ：Physical Downlink Control Channel）、ＰＤＳＣＨ、および下りリンク参照信号（ＤＲＳ：Downlink Reference Signal）に、それぞれ分離する。尚、この分離は、下りリンク制御情報で通知された無線リソースの割り当て情報などに基づいて行われる。また、多重分離部６０５５は、チャネル測定部６０９から入力された伝送路の推定値から、ＰＤＣＣＨとＰＤＳＣＨの伝送路の補償を行なう。また、多重分離部６０５５は、分離した下りリンク参照信号をチャネル測定部６０９に出力する。
【００９０】
復調部６０５３は、ＰＤＣＣＨに対して、ＱＰＳＫ変調方式の復調を行ない、復号化部６０５１へ出力する。復号化部６０５１は、ＰＤＣＣＨの復号を試み、復号に成功した場合、復号した下りリンク制御情報を上位層処理部６０１に出力する。復調部６０５３は、ＰＤＳＣＨに対して、ＱＰＳＫ、１６ＱＡＭ、６４ＱＡＭ等の下りリンク制御情報で通知された変調方式の復調を行ない、復号化部６０５１へ出力する。復号化部６０５１は、下りリンク制御情報で通知された符号化率に対する復号を行い、復号したデータ情報を上位層処理部６０１へ出力する。
【００９１】
チャネル測定部６０９は、多重分離部６０５５から入力された下りリンク参照信号から下りリンクのパスロスを測定し、測定したパスロスを上位層処理部６０１へ出力する。また、チャネル測定部６０９は、下りリンク参照信号から下りリンクの伝送路の推定値を算出し、多重分離部６０５５へ出力する。
【００９２】
送信部６０７は、制御部６０３から入力された制御信号に従って、ＵＬ  ＤＭＲＳおよび／またはＳＲＳを生成し、上位層処理部６０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ６１１を介して基地局１０１に送信する。
【００９３】
符号化部６０７１は、上位層処理部６０１から入力された上りリンク制御情報、およびデータ情報を、ターボ符号化、畳込み符号化、ブロック符号化等の符号化を行う。変調部６０７３は、符号化部６０７１から入力された符号化ビットをＢＰＳＫ、ＱＰＳＫ、１６ＱＡＭ、６４ＱＡＭ等の変調方式で変調する。
【００９４】
上りリンク参照信号生成部６０７９は、基地局１０１を識別するためのセル識別子、ＵＬ  ＤＭＲＳおよびＳＲＳを配置する帯域幅などを基に予め定められた規則で求まる、基地局１０１が既知のＣＡＺＡＣ系列を生成する。また、上りリンク参照信号生成部６０７９は、制御部６０３から入力された制御信号に従って、生成したＵＬ  ＤＭＲＳおよびＳＲＳのＣＡＺＡＣ系列にサイクリックシフトを与える。
【００９５】
多重部６０７５は、制御部６０３から入力された制御信号に従って、ＰＵＳＣＨの変調シンボルを並列に並び替えてから離散フーリエ変換（ＤＦＴ：Discrete Fourier Transform）し、ＰＵＣＣＨとＰＵＳＣＨの信号と生成したＵＬ  ＤＭＲＳおよびＳＲＳを多重する。
【００９６】
無線送信部６０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ６１１に出力して送信する。
【００９７】
図７は、基地局１０１がマッピングするチャネルの一例を示す図である。図７は、１２のリソースブロックペアで構成される周波数帯域をシステム帯域幅とする場合を示す。第１の制御チャネルであるＰＤＣＣＨは、サブフレームにおける先頭の１〜３のＯＦＤＭシンボルに配置される。第１の制御チャネルの周波数方向は、システム帯域幅に渡って配置される。また、共用チャネルは、サブフレームにおいて、第１の制御チャネル以外のＯＦＤＭシンボルに配置される。
【００９８】
ここで、ＰＤＣＣＨの構成の詳細について説明する。ＰＤＣＣＨは、複数の制御チャネルエレメント（ＣＣＥ：Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１０１の送信アンテナの数に応じた下りリンク参照信号の送信ポート数に依存する。ＣＣＥは、複数の下りリンクリソースエレメント（１つのＯＦＤＭシンボルおよび１本のサブキャリアで規定されるリソース）により構成される。
【００９９】
基地局１０１と端末１０２との間で用いられるＣＣＥには、ＣＣＥを識別するための番号（インデックス）が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（CCE Aggregation）により構成される。この集合を構成するＣＣＥの数を、「ＣＣＥ集合レベル」（CCE aggregation level）と称す。ＰＤＣＣＨを構成するＣＣＥ集合レベルは、ＰＤＣＣＨに設定される符号化率、ＰＤＣＣＨに含められるＤＣＩのビット数に応じて基地局１０１において設定される。なお、端末１０２に対して用いられる可能性のあるＣＣＥ集合レベルの組み合わせは予め決められている。また、ｎ個のＣＣＥからなる集合を、「ＣＣＥ集合レベルｎ」という。
【０１００】
１個のリソースエレメントグループ（ＲＥＧ：Resource Element Group）は周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【０１０１】
各端末１０２には、ＰＤＣＣＨを検索する領域（ＳＳ：Search Space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるセル固有検索領域（ＣＳＳ：Cell-specific SS）と、最も小さいＣＣＥから番号が端末固有である端末固有検索領域（ＵＳＳ：UE-specific SS）とに分類される。ＣＳＳには、システム情報あるいはページングに関する情報など、複数の端末１０２が読み込む制御情報が割り当てられたＰＤＣＣＨ、あるいは下位の送信方式へのフォールバックやランダムアクセスの指示を示す下りリンク／上りリンクグラントが割り当てられたＰＤＣＣＨが配置されることができる。
【０１０２】
基地局１０１は、端末１０２において設定されるＳＳ内の１個以上のＣＣＥを用いてＰＤＣＣＨを送信する。端末１０２は、ＳＳ内の１個以上のＣＣＥを用いて受信信号の復号を行ない、自装置（自身）宛のＰＤＣＣＨを検出するための処理を行なう（ブラインドデコーディングと呼称する）。端末１０２は、ＣＣＥ集合レベル毎に異なるＳＳを設定する。その後、端末１０２は、ＣＣＥ集合レベル毎に異なるＳＳ内の予め決められた組み合わせのＣＣＥを用いてブラインドデコーディングを行なう。言い換えると、端末１０２は、ＣＣＥ集合レベル毎に異なるＳＳ内の各ＰＤＣＣＨの候補に対してブラインドデコーディングを行なう。端末１０２におけるこの一連の処理をＰＤＣＣＨのモニタリングという。
【０１０３】
第２の制御チャネル（Ｘ−ＰＤＣＣＨ、ＰＤＣＣＨ  ｏｎ  ＰＤＳＣＨ、Ｅｘｔｅｎｄｅｄ  ＰＤＣＣＨ、Ｅｎｈａｎｃｅｄ  ＰＤＣＣＨ、Ｅ−ＰＤＣＣＨ）は、第１の制御チャネル以外のOFDMシンボルに配置される。第２の制御チャネルと共用チャネルは、異なるリソースブロックに配置される。また、第２の制御チャネルと共用チャネルが配置され得るリソースブロックは、端末１０２毎に設定される。また、第２の制御チャネル領域が配置され得るリソースブロックには、自装置宛または他端末宛の共用チャネル（データチャネル）が設定され得る。また、第２の制御チャネルが配置されるＯＦＤＭシンボルのスタート位置は、共用チャネルと同様の方法を用いることができる。すなわち、基地局１０１は、第１の制御チャネルの一部のリソースを物理制御フォーマット指標チャネル（ＰＣＦＩＣＨ：Physical Control Format Indicator Channel）として設定し、第１の制御チャネルのＯＦＤＭシンボル数を示す情報をマッピングすることで実現できる。
【０１０４】
また、第２の制御チャネルが配置されるＯＦＤＭシンボルのスタート位置は、予め規定しておき、例えば、サブフレームにおける先頭の４番目のＯＦＤＭシンボルとすることができる。そのとき、第１の制御チャネルのＯＦＤＭシンボルの数が２以下である場合、第２の制御チャネルが配置されるリソースブロックペアにおける２〜３番目のＯＦＤＭシンボルは、信号をマッピングせずにヌルとする。なお、ヌルとして設定されたリソースは、他の制御信号やデータ信号をさらにマッピングされることができる。また、第２の制御チャネルを構成するＯＦＤＭシンボルのスタート位置は、上位層の制御情報を通じて設定されることができる。また、図７に示すサブフレームは時間多重（ＴＤＭ：Time Division Multiplexing）され、第２の制御チャネルはサブフレーム毎に設定できる。
【０１０５】
Ｘ−ＰＤＣＣＨを検索するためのＳＳとして、ＰＤＣＣＨと同様に複数のＣＣＥからＳＳを構成することができる。すなわち、図７に示した第２の制御チャネルの領域として設定された領域内の複数リソースエレメントからリソースエレメントグループを構成し、さらに複数のリソースエレメントからＣＣＥを構成する。これにより、上記のＰＤＣＣＨの場合と同様にＸ−ＰＤＣＣＨを検索（モニタリング）するためのＳＳを構成することができる。
【０１０６】
あるいは、Ｘ−ＰＤＣＣＨを検索するためのＳＳとして、ＰＤＣＣＨとは異なり、１つ以上のリソースブロックからＳＳを構成することができる。すなわち、図７に示した第２の制御チャネルの領域として設定された領域内のリソースブロックを単位とし、１つ以上のリソースブロックからなる集合（RB Aggregation）によりＸ−ＰＤＣＣＨを検索するためのＳＳが構成される。この集合を構成するＲＢの数を、「ＲＢ集合レベル」（RB aggregation level）と称す。最も小さいＲＢから番号の連続する複数のＲＢからＳＳは構成され、番号の連続する１つ以上のＲＢの数は予め決められている。各ＲＢ集合レベルのＳＳは、複数のＸ−ＰＤＣＣＨの候補の集合体により構成される。
【０１０７】
基地局１０１は、端末１０２において設定されるＳＳ内の１個以上のＲＢを用いてＸ−ＰＤＣＣＨを送信する。端末１０２は、ＳＳ内の１個以上のＲＢを用いて受信信号の復号を行ない、自装置（自身）宛のＸ−ＰＤＣＣＨを検出するための処理を行なう（ブラインドデコーディングする）。端末１０２は、ＲＢ集合レベル毎に異なるＳＳを設定する。その後、端末１０２は、ＲＢ集合レベル毎に異なるＳＳ内の予め決められた組み合わせのＲＢを用いてブラインドデコーディングを行なう。言い換えると、端末１０２は、ＲＢ集合レベル毎に異なるＳＳ内の各Ｘ−ＰＤＣＣＨの候補に対してブラインドデコーディングを行なう（Ｘ−ＰＤＣＣＨをモニタリングする）。端末１０２は、ブランドデコーディングを行う際、ＰＤＣＣＨに含まれる下りリンク制御情報（ＤＣＩ：Downlink Control Information）フォーマットを特定することができる。ＤＣＩフォーマットの種類によって構成するビット数が異なるため、端末１０２は、ＤＣＩフォーマットを構成しているビット数によってどのＤＣＩフォーマットであるかを判定することができる。
【０１０８】
基地局１０１が端末１０２に対して第２の制御チャネルを通じて制御信号を通知する場合、基地局１０１は端末１０２に対して第２の制御チャネルのモニタリングを設定し、第２の制御チャネルに端末１０２に対する制御信号をマッピングする。また、基地局１０１が端末１０２に対して第１の制御チャネルを通じて制御信号を通知する場合、基地局１０１は端末１０２に対して第２の制御チャネルのモニタリングを設定せずに、第１の制御チャネルに端末１０２に対する制御信号をマッピングする。
【０１０９】
一方、端末１０２は、基地局１０１によって第２の制御チャネルのモニタリングが設定された場合、第２の制御チャネルに対して、端末１０２宛の制御信号をブラインドデコーディングする。また、端末１０２は、基地局１０１によって第２の制御チャネルのモニタリングが設定されない場合、第２の制御チャネルに対して、端末１０２宛の制御信号をブラインドデコーディングしない。
【０１１０】
以下では、第２の制御チャネルにマッピングされる制御信号について説明する。第２の制御チャネルにマッピングされる制御信号は、１つの端末１０２に対する制御情報毎に処理され、データ信号と同様に、スクランブル処理、変調処理、レイヤーマッピング処理、プレコーディング処理等が行われる。また、第２の制御チャネルにマッピングされる制御信号は、端末固有参照信号と共に、端末１０２に固有のプレコーディング処理が行われる。そのとき、プレコーディング処理は、端末１０２に好適なプレコーディング重みにより行われることが好ましい。例えば、同一のリソースブロック内の第２の制御チャネルの信号と端末固有参照信号とに共通のプレコーディング処理が行われる。
【０１１１】
また、第２の制御チャネルにマッピングされる制御信号は、サブフレームにおける前方のスロット（第１のスロット）と後方のスロット（第２のスロット）でそれぞれ異なる制御情報を含めてマッピングされることができる。例えば、サブフレームにおける前方のスロットには、基地局１０１が端末１０２に対して送信するデータ信号の下りリンク共用チャネルにおける割り当て情報（下りリンク割り当て情報）を含む制御信号がマッピングされる。また、サブフレームにおける後方のスロットには、端末１０２が基地局１０１に対して送信するデータ信号の上りリンク共用チャネルにおける割り当て情報（上りリンク割り当て情報）を含む制御信号がマッピングされる。なお、サブフレームにおける前方のスロットには、基地局１０１が端末１０２に対する上りリンク割り当て情報を含む制御信号がマッピングされ、サブフレームにおける後方のスロットには、端末１０２が基地局１０１に対する下りリンク割り当て情報を含む制御信号がマッピングされてもよい。
【０１１２】
また、第２の制御チャネルにおける前方および／または後方のスロットには、端末１０２または他の端末１０２に対するデータ信号がマッピングされてもよい。また、第２の制御チャネルにおける前方および／または後方のスロットには、端末１０２または第２の制御チャネルが設定された端末（端末１０２を含む）に対する制御信号がマッピングされてもよい。
【０１１３】
また、第２の制御チャネルにマッピングされる制御信号には、基地局１０１によって、端末固有参照信号が多重される。端末１０２は、第２の制御チャネルにマッピングされる制御信号を、多重される端末固有参照信号によって復調処理を行う。また、アンテナポート７〜１４の一部または全部の端末固有参照信号が用いられる。そのとき、第２の制御チャネルにマッピングされる制御信号は、複数のアンテナポートを用いてＭＩＭＯ送信されることができる。
【０１１４】
例えば、第２の制御チャネルにおける端末固有参照信号は、予め規定されたアンテナポートおよびスクランブル符号を用いて送信される。具体的には、第２の制御チャネルにおける端末固有参照信号は、予め規定されたアンテナポート７およびスクランブルＩＤを用いて生成される。
【０１１５】
また、例えば、第２の制御チャネルにおける端末固有参照信号は、ＲＲＣシグナリングまたはＰＤＣＣＨシグナリングを通じて通知されるアンテナポートおよびスクランブルＩＤを用いて生成される。具体的には、第２の制御チャネルにおける端末固有参照信号に用いられるアンテナポートとして、ＲＲＣシグナリングまたはＰＤＣＣＨシグナリングを通じて、アンテナポート７またはアンテナポート８のいずれかが通知される。第２の制御チャネルにおける端末固有参照信号に用いられるスクランブルＩＤとして、ＲＲＣシグナリングまたはＰＤＣＣＨシグナリングを通じて、０〜３のいずれかの値が通知される。
【０１１６】
第１の実施形態では、基地局１０１は、端末１０２毎に第２の測定対象設定を設定する。また、端末１０２は、第１の測定対象設定を保持し、第１の測定対象設定により指定された測定対象となるセル固有参照信号の受信電力と、第２の測定対象設定により指定された測定対象となる伝送路状況測定用参照信号の受信電力と、を基地局１０１に報告する。
【０１１７】
以上本願の実施形態を用いることにより以下の効果を得ることができる。図２に示したセル固有参照信号が下りリンク１０５を用いて基地局１０１からのみ送信され、また図４  ステップ４０３において設定された第２の測定対象設定および第２の報告設定において設定された測定対象が図３に示した伝送路状況測定用参照信号であり、この測定対象では下りリンク１０７を用いてＲＲＨ１０３からのみ参照信号が送信されたと仮定する。この場合には図４  ステップ４０５における予め定められた第１の測定対象設定により指定された測定対象であるセル固有参照信号および基地局１０１により設定可能な第２の測定対象設定により指定された測定対象であるＲＲＨ１０３からのみ送信された伝送路状況測定用参照信号の受信信号電力を測定することにより、基地局１０１と端末１０２間の下りリンクパスロスであるパスロス１およびＲＲＨ１０３と端末１０２間の下りリンクパスロスであるパスロス２を計算することができる。つまり、２種類の上りリンク送信電力が設定できる一方で、上りリンク協調通信時には基地局１０１またはＲＲＨ１０３の一方（例えばパスロスの小さな、つまり基地局１０１およびＲＲＨ１０３の近い方）に向けて上りリンク送信電力を設定することも可能である。本願の実施形態では、基地局１０１において、前述する第１の測定対象であるセル固有参照信号および第２の測定対象であるＲＲＨ１０３からのみ送信された伝送路状況測定用参照信号の受信信号電力が報告されているため、上りリンク協調通信時において、基地局１０１は端末１０２からの上りリンク信号が上りリンク１０６を用いて基地局１０１で受信されるべきか、端末１０２からの上りリンク信号が上りリンク１０８を用いてＲＲＨ１０３で受信されるべきかが判断（判定）可能となる。これに基づいて基地局１０１は図４  ステップ４０８における上りリンク電力制御に関するパラメータの設定を行い、前述するパスロス１とパスロス２のいずれを用いるかを設定できる。
【０１１８】
また別の例では、図２に示したセル固有参照信号が下りリンク１０５および下りリンク１０６を用いて基地局１０１およびＲＲＨ１０３から送信され、また図４ステップ４０３において設定された第２の測定対象設定および第２の報告設定において測定対象が２つ設定され、設定された測定対象の双方が図３に示した伝送路状況測定用参照信号であり、この測定対象の一方では下りリンク１０５を用いて基地局１０１からのみ参照信号が送信され、他方では下りリンク１０７を用いてＲＲＨ１０３からのみ参照信号が送信されたと仮定する。この場合には図４  ステップ４０５における予め定められた第１の測定対象設定により指定された第１の測定対象であるセル固有参照信号および基地局１０１により設定可能な第２の測定対象設定により指定された測定対象である第２の測定対象の１つである基地局１０１からのみ送信された伝送路状況測定用参照信号の受信信号電力および第２の測定対象の１つであるＲＲＨ１０３からのみ送信された伝送路状況測定用参照信号の受信信号電力を測定することにより、基地局１０１と端末１０２間およびＲＲＨ１０３と端末１０２間の下りリンクパスロスの合成値であるパスロス１および、基地局１０１と端末１０２間およびＲＲＨ１０３と端末１０２間の下りリンクパスロス値を含むパスロス２を計算することができる。つまり、端末１０２において、２種類の上りリンク送信電力が設定できる一方で、上りリンク協調通信時には基地局１０１またはＲＲＨ１０３の一方（例えば、パスロスの小さな、つまり基地局１０１およびＲＲＨ１０３の近い方）に向けて上りリンク送信電力を設定することも可能である。本願の実施形態では、基地局１０１において、前述する第１の測定対象であるセル固有参照信号および第２の測定対象である基地局１０１からのみ送信された伝送路状況測定用参照信号の受信信号電力およびもう１つの第２の測定対象であるＲＲＨ１０３からのみ送信された伝送路状況測定用参照信号の受信信号電力が報告されているため、上りリンク協調通信時において、基地局１０１は端末１０２からの上りリンク信号が上りリンク１０６を用いて基地局１０１で受信されるべきか、端末１０２からの上りリンク信号が上りリンク１０８を用いてＲＲＨ１０３で受信されるべきかが判断可能となる。これに基づいて基地局１０１は図４  ステップ４０８における上りリンク電力制御に関するパラメータの設定を行い、前述するパスロス１と２つのパスロス２の３つのうちいずれを用いるかを設定できる。また、本願の実施形態では、端末１０２は、基地局１０１と端末１０２間およびＲＲＨ１０３と端末１０２間の下りリンクパスロスの合成値であるパスロス１を用いて上りリンク送信電力を計算することによって上りリンク協調通信に適した送信電力制御を行うことができる。また、端末１０２は、基地局１０１と端末１０２間の第２の測定対象に基づくパスロス２を用いて上りリンク送信電力を計算することによって基地局１０１と端末１０２間の通信に適した送信電力制御を行うことができる。また、端末１０２は、ＲＲＨ１０３と端末１０２間の第２の測定対象に基づくパスロス２を用いて上りリンク送信電力を計算することによってＲＲＨ１０３と端末１０２間に��した送信電力制御を行うことができる。このように、予め定められた第１の測定設定および基地局１０１により設定可能な第２の測定対象設定の双方を用いることにより、基地局１０１およびＲＲＨ１０３からの参照信号の設定（例えば基地局１０１のみからセル固有参照信号が送信される場合や、基地局１０１およびＲＲＨ１０３の双方からセル固有参照信号が送信される場合）に関わらず適切な上りリンク電力制御が可能となる。また、本実施形態では第１の測定対象設定で指定されたセル固有参照信号の受信信号電力や第２の測定対象設定で指定された伝送路状況測定用参照信号の受信信号電力を報告することにより、基地局１０１が基地局１０１、ＲＲＨ１０３および端末１０２の位置関係（つまり期待される受信電力やパスロス）を把握する助けとなり、下りリンク協調通信時においても利点が見出せる。例えば下りリンク１０５および１０６を用いた場合、端末１０２が受信する信号が、基地局１０１、ＲＲＨ１０３、もしくは基地局１０１とＲＲＨ１０３双方のいずれかから適切に選択され送信されれば、不要な信号送信を抑えることによりシステム全体のスループットの向上が見込める。
【０１１９】
（第２の実施形態）
以下、本発明の第２の実施形態について説明する。本実施形態では伝送路状況測定用参照信号のパラメータ設定および図４  ステップ４０３における第２の測定対象設定、第２の報告設定および第３の測定対象設定、第３の報告設定，図４  ステップ４０７における第１の測定レポートおよび第２の測定レポートに関するパラメータの詳細について説明する。また、ここでは、ＣＳＩフィードバックを算出するための第１の参照信号設定と、データ復調時にデータの復調から除外するリソースエレメントを指定する第２の参照信号設定と、受信信号電力を算出するための測定対象を設定する第３の参照信号設定との詳細についても説明する。
【０１２０】
図８では伝送路状況測定用参照信号の詳細として、第１の参照信号設定および第２の参照信号設定に関するパラメータの詳細について示している。ＣＳＩ−ＲＳ設定−ｒ１０（ＣＳＩ−ＲＳ−Ｃｏｎｆｉｇ−ｒ１０）にはＣＳＩ−ＲＳ設定、すなわち第１の参照信号設定（ｃｓｉ−ＲＳ−ｒ１０）およびゼロ送信電力ＣＳＩ-ＲＳ設定、すなわち第２の参照信号設定（ｚｅｒｏＴｘＰｏｗｅｒＣＳＩ−ＲＳ−ｒ１０）が含まれ得る。ＣＳＩ−ＲＳ設定にはアンテナポート（ａｎｔｅｎｎａＰｏｒｔｓＣｏｕｎｔ−ｒ１０）、リソース設定（ｒｅｓｏｕｒｃｅＣｏｎｆｉｇ−ｒ１０）、サブフレーム設定（ｓｕｂｆｒａｍｅＣｏｎｆｉｇ−ｒ１０）、ＰＤＳＣＨ／ＣＳＩ-ＲＳ電力設定（ｐ−Ｃ−ｒ１０）が含まれ得る。
【０１２１】
アンテナポート（ａｎｔｅｎｎａＰｏｒｔｓＣｏｕｎｔ−ｒ１０）はＣＳＩ−ＲＳ設定により確保されるアンテナポート数が設定される。一例では、アンテナポート（ａｎｔｅｎｎａＰｏｒｔｓＣｏｕｎｔ−ｒ１０）に１，２，４，８の値のいずれかが選択されることとなる。続いてリソース設定（ｒｅｓｏｕｒｃｅＣｏｎｆｉｇ−ｒ１０）では、アンテナポート１５（ＣＳＩポート１）の先頭のリソースエレメント（図２および図３で示した周波数（サブキャリア）および時間（ＯＦＤＭシンボル）で区切られる最小ブロック）の位置がインデックスにより示されている。これにより、各アンテナポートに割り当てられた伝送路状況測定用参照信号のリソースエレメントが一意に決まる。詳細は後述する。
【０１２２】
サブフレーム設定（ｓｕｂｆｒａｍｅＣｏｎｆｉｇ−ｒ１０）は、伝送路状況測定用参照信号が含まれるサブフレームの位置と周期がインデックスにより示される。例えば、サブフレーム設定（ｓｕｂｆｒａｍｅＣｏｎｆｉｇ−ｒ１０）のインデックスが５であれば、１０サブフレーム毎に伝送路状況測定用参照信号が含まれ、１０サブフレームを単位とする無線フレーム中ではサブフレーム０に伝送路状況測定用参照信号が含まれる。また、別の例では、例えばサブフレーム設定（ｓｕｂｆｒａｍｅＣｏｎｆｉｇ−ｒ１０）のインデックスが１であれば、５サブフレーム毎に伝送路状況測定用参照信号が含まれ、１０サブフレームを単位とする無線フレーム中ではサブフレーム１と６に伝送路状況測定用参照信号が含まれる。以上のように、サブフレーム設定により伝送路状況測定用参照信号が含まれるサブフレームの周期とサブフレームの位置が一意に指定されるものとする。
【０１２３】
ＰＤＳＣＨ／ＣＳＩ-ＲＳ電力設定（ｐ−Ｃ−ｒ１０）はＰＤＳＣＨと伝送路状況測定用参照信号（ＣＳＩ−ＲＳ）の電力比（ＥＰＲＥの比、Energy Per Resource Element）であり、−８から１５ｄＢの範囲で設定されてもよい。また、ここでは図示していないが、基地局１０１は端末１０２に対して、セル固有参照信号送信電力（ｒｅｆｅｒｅｎｃｅＳｉｇｎａｌＰｏｗｅｒ）、ＰＡ，ＰＢを別途、ＲＲＣ信号を通じて通知する。ここで、ＰＡはセル固有参照信号が存在しないサブフレームにおけるＰＤＳＣＨとセル固有参照信号との送信電力の電力比を表わし、ＰＢはセル固有参照信号が存在するサブフレームにおけるＰＤＳＣＨとセル固有参照信号との送信電力の電力比を表わすインデックスである。従って、ＰＤＳＣＨ／ＣＳＩ-ＲＳ電力設定（ｐ−Ｃ−ｒ１０）、セル固有参照信号送信電力（ｒｅｆｅｒｅｎｃｅＳｉｇｎａｌＰｏｗｅｒ）、ＰＡを組み合わせることにより、端末１０２では伝送路状況測定用参照信号の送信電力を算出することができる。
【０１２４】
また、リソース設定（ｒｅｓｏｕｒｃｅＣｏｎｆｉｇ−ｒ１０）として一例を示す。リソース設定（ｒｅｓｏｕｒｃｅＣｏｎｆｉｇ−ｒ１０）は、各アンテナポートに対するＣＳＩ−ＲＳに割り当てられるリソースの位置がインデックスで示される。例えば、リソース設定（ｒｅｓｏｕｒｃｅＣｏｎｆｉｇ−ｒ１０）のインデックス０が指定された場合には、アンテナポート１５（ＣＳＩポート１）の先頭のリソースエレメントがサブキャリア番号９、サブフレーム番号５と指定される。図３に示す通りアンテナポート１５にはＣ１が割り当てられることになるので、サブキャリア番号９、サブフレーム番号６のリソースエレメントもアンテナポート１５（ＣＳＩポート１）の伝送路状況測定用参照信号として設定される。これを元に各アンテナポートのリソースエレメントも確保されることとなり、例えば１６（ＣＳＩポート２）には同じくサブキャリア番号９、サブフレーム番号５のリソースエレメントとサブキャリア番号９、サブフレーム番号６のリソースエレメントが割り当てられる。同様にアンテナポート１７、１８（ＣＳＩポート３，４）にはサブキャリア番号３、サブフレーム番号５のリソースエレメントとサブキャリア番号３、サブフレーム番号６のリソースエレメントが割り当てられる。同様にアンテナポート１９、２０（ＣＳＩポート５，６）にはサブキャリア番号８、サブフレーム番号５のリソースエレメントとサブキャリア番号８、サブフレーム番号６のリソースエレメントが割り当てられる。同様にアンテナポート２１、２２（ＣＳＩポート７，８）にはサブキャリア番号２、サブフレーム番号５のリソースエレメントとサブキャリア番号２、サブフレーム番号６のリソースエレメントが割り当てられる。リソース設定（ｒｅｓｏｕｒｃｅＣｏｎｆｉｇ−ｒ１０）に他のインデックスが指定された場合には、アンテナポート１５（ＣＳＩポート１）の先頭のリソースエレメントが異なり、これに応じて各アンテナポートに割り当てられるリソースエレメントも異なってくる。
【０１２５】
また、ゼロ送信電力ＣＳＩ-ＲＳ設定（第２の参照信号設定）にはゼロ送信電力リソース設定リスト（ｚｅｒｏＴｘＰｏｗｅｒＲｅｓｏｕｒｃｅＣｏｎｆｉｇＬｉｓｔ−ｒ１０）、ゼロ送信電力サブフレーム（ｚｅｒｏＴｘＰｏｗｅｒＳｕｂｆｒａｍｅＣｏｎｆｉｇ−ｒ１０）設定が含まれ得る。ゼロ送信電力リソース設定リストは、前述するリソース設定（ｒｅｓｏｕｒｃｅＣｏｎｆｉｇ−ｒ１０）に含まれるインデックスが、ビットマップによりひとつまたは複数指定されている。ゼロ送信電力サブフレーム設定は、前述した通り、伝送路状況測定用参照信号が含まれるサブフレームの位置と周期がインデックスにより示されている。従って、ゼロ送信電力リソース設定リストおよびゼロ送信電力サブフレーム設定を適切にすることにより、端末１０２では伝送路状況測定用参照信号のリソースとしてＰＤＳＣＨ（下りリンク共用チャネル、物理下りリンク共用チャネル、下りリンクデータチャネル、下りリンクデータ信号、Ｐｈｙｓｉｃａｌ  Ｄｏｗｎｌｉｎｋ  Ｓｈａｒｅｄ  Ｃｈａｎｎｅｌ）の復調時に復調処理から取り除くリソースエレメントが指定される。なお、一例として、ゼロ送信電力リソース設定リストで指定されるインデックスは、アンテナポート（ａｎｔｅｎｎａＰｏｒｔｓＣｏｕｎｔ−ｒ１０）が４の場合のリソース設定（ｒｅｓｏｕｒｃｅＣｏｎｆｉｇ−ｒ１０）に対応している。言い換えると、アンテナポートが４の場合にはリソース設定（ｒｅｓｏｕｒｃｅＣｏｎｆｉｇ−ｒ１０）は１６種類のインデックスにより通知されるため、ゼロ送信電力リソース設定リストは１６ビットのビットマップにより、前述する１６種類のインデックスで示される伝送路状況測定用参照信号のリソースを通知する。例えば、ビットマップによりインデックス０と２が通知されると、インデックス０と２に相当するリソースエレメントが復調時に復調処理から取り除かれる。
【０１２６】
続いて図４  ステップ４０３における第２の測定対象設定に関するパラメータの詳細について図９で説明する。図９における参照信号測定設定、すなわち、第３の参照信号設定もしくは第２の測定対象設定には参照信号測定設定―追加変更リストおよび参照信号測定設定―削除リストが含まれ得る。参照信号測定設定―追加変更リストにはＣＳＩ−ＲＳ測定インデックスおよびＣＳＩ−ＲＳ測定設定が含まれ得る。参照信号測定設定―削除リストにはＣＳＩ−ＲＳ測定インデックスが含まれ得る。ここで、ＣＳＩ−ＲＳ測定インデックスとＣＳＩ−ＲＳ測定設定は組合わせて設定され、１つもしくは複数の組が参照信号測定設定―追加変更リストに設定され、ここで設定されたＣＳＩ−ＲＳ測定設定が測定対象となる。ここでＣＳＩ−ＲＳ測定インデックスとは、ＣＳＩ−ＲＳ測定設定と関連付けられたインデックスであり、第３の参照信号設定により設定された複数の測定対象を区別するためのインデックスとなる。本インデックスに基づき参照信号測定設定―削除リストにより測定対象から削除されたり、後述する測定レポートにおいて測定レポートと本インデックスで指定される測定対象の関連付けが行われたりする。また、ＣＳＩ−ＲＳ測定設定に関しては図１１および図１２に後述する。
【０１２７】
別の例では図１０に示すように、参照信号測定設定―追加変更リストおよび参照信号測定設定―削除リストにおいてＣＳＩ−ＲＳアンテナポートインデックスのみを設定することも可能である。ここで、ＣＳＩ−ＲＳアンテナポートインデックスとは、図３で示した伝送路状況測定用参照信号のアンテナポート番号（アンテナポート１５から２２）に対応付けられたインデックスである。なお、図１０の第３の参照信号設定で設定されるＣＳＩ−ＲＳアンテナポートインデックスは図８で示した第１の参照信号設定で設定された伝送路状況測定用参照信号の一部であってもよいし、第１の参照信号設定で設定された伝送路状況測定用参照信号に含まれなくてもよい。第１の参照信号設定で設定された伝送路状況測定用参照信号に含まれない場合には、第１の参照信号設定で設定された伝送路状況測定用参照信号に仮に第３の参照信号設定で設定されるＣＳＩ−ＲＳアンテナポートインデックスが含まれていた場合の伝送路状況測定用参照信号が第３の参照信号設定の対象となる。
【０１２８】
続いて図９におけるＣＳＩ−ＲＳ測定設定の詳細について図１１および図１２で説明する。一例では、図１１に示すようにＣＳＩ-ＲＳ測定設定に測定リソース設定リスト、測定サブフレーム設定、ＰＤＳＣＨ／ＣＳＩ-ＲＳ電力設定が含まれ得る。測定リソース設定リスト、測定サブフレーム設定は図８記載のゼロ送信電力リソース設定リスト（ｚｅｒｏＴｘＰｏｗｅｒＲｅｓｏｕｒｃｅＣｏｎｆｉｇＬｉｓｔ−ｒ１０）、ゼロ送信電力サブフレーム（ｚｅｒｏＴｘＰｏｗｅｒＳｕｂｆｒａｍｅＣｏｎｆｉｇ−ｒ１０）設定と同様の設定が考えられる。また、ＰＤＳＣＨ／ＣＳＩ-ＲＳ電力設定は図８記載のＰＤＳＣＨ／ＣＳＩ-ＲＳ電力設定（ｐ−Ｃ−ｒ１０）と同様の設定が考えられる。別の例では、図１２に示すようにＣＳＩ-ＲＳ測定設定に測定リソース設定、測定サブフレーム設定、ＰＤＳＣＨ／ＣＳＩ-ＲＳ電力設定が含まれ得る。測定リソース設定、測定サブフレーム設定、ＰＤＳＣＨ／ＣＳＩ-ＲＳ電力設定は図８記載のリソース設定（ｒｅｓｏｕｒｃｅＣｏｎｆｉｇ−ｒ１０）、サブフレーム設定（ｓｕｂｆｒａｍｅＣｏｎｆｉｇ−ｒ１０）、ＰＤＳＣＨ／ＣＳＩ-ＲＳ電力設定（ｐ−Ｃ−ｒ１０）と同様の設定が考えられる。また、図１１および図１２ではＰＤＳＣＨ／ＣＳＩ-ＲＳ電力設定を想定しているが、代わりにＣＳＩ-ＲＳ送信電力（伝送路状況測定用参照信号送信電力）が通知されても構わない。
【０１２９】
続いて図４  ステップ４０３における第３の測定対象設定および第３の報告設定の詳細について図１３で説明する。一例では、ＲＲＣコネクションリコンフィグレーション（ＲＲＣＣｏｎｎｅｃｔｉｏｎＲｅｃｏｎｆｉｇｕｒａｔｉｏｎ）にＲＲＣコネクションリコンフィグレーション−ｒ８−ＩＥｓ（ＲＲＣＣｏｎｎｅｃｔｉｏｎＲｅｃｏｎｆｉｇｕｒａｔｉｏｎ−ｒ８−ＩＥｓ）が含まれ、ＲＲＣコネクションリコンフィグレーション−ｒ８−ＩＥｓには測定設定（ＭｅａｓＣｏｎｆｉｇ：  Ｍｅａｓｕｒｅｍｅｎｔ  Ｃｏｎｆｉｇ）が含まれ得る。測定設定には測定オブジェクト削除リスト（ＭｅａｓＯｂｊｅｃｔＴｏＲｅｍｏｖｅＬｉｓｔ）、測定オブジェクト追加変更リスト（ＭｅａｓＯｂｊｅｃｔＴｏＡｄｄＭｏｄＬｉｓｔ）、測定ＩＤ削除リスト、測定ＩＤ追加変更リスト、レポート設定削除リスト（ＲｅｐｏｒｔＣｏｎｆｉｇＴｏＲｅｍｏｖｅＬｉｓｔ）、レポート設定追加変更リスト（ＲｅｐｏｒｔＣｏｎｆｉｇＴｏＡｄｄＭｏｄＬｉｓｔ）が含まれ得る。図４  ステップ４０３で示した第３の測定対象設定は、測定オブジェクト削除リスト、測定オブジェクト追加変更リスト、測定ＩＤ削除リスト、測定ＩＤ追加変更リストを指し、第３の報告設定は、レポート設定削除リスト、レポート設定追加変更リストを指すものとする。また、測定ＩＤ追加変更リストには測定ＩＤ、測定オブジェクトＩＤ、レポート設定ＩＤが含まれることもあるし、測定ＩＤ削除リストには測定ＩＤが含まれることもある。なお、測定オブジェクトＩＤは後述する測定オブジェクトと関連付けられ、レポート設定ＩＤは後述するレポート設定ＩＤと関連付けられている。なお、測定オブジェクト追加変更リストには図１４に示すように、測定オブジェクトＩＤおよび測定オブジェクトが選択可能となっている。また測定オブジェクトとしては測定オブジェクトＥＵＴＲＡ、測定オブジェクトＵＴＲＡ、測定オブジェクトＧＥＲＡＮ、測定オブジェクトＣＤＭＡ２０００などから選択が可能となっている。また、例えば、測定オブジェクトＥＵＴＲＡではキャリア周波数（中心周波数）などを基地局１０１が端末１０２に通知することで接続していないセル（ＲＲＣパラメータが設定されていないセル）から送信されるセル固有参照信号の受信信号電力を測定することが可能となる（図１５参照）。つまり、第３の測定対象設定および第３の報告設定により、接続していないセルのセル固有参照信号の受信信号電力が測定可能となる。また、測定オブジェクト削除リストには測定オブジェクトＩＤが含まれ、これを指定することにより測定オブジェクトからの削除が可能となる。前述する測定対象設定はＲＲＣコネクションリコンフィグレーションに含まれるため、ＲＲＣコネクションのリコンフィグレーション（ＲＲＣ  Ｃｏｎｎｅｃｔｉｏｎ  Ｒｅｃｏｎｆｉｇｕｒａｔｉｏｎ）時にＲＲＣ信号を通じて設定されることとなる。なお、前述するＲＲＣコネクションリコンフィグレーションおよびＲＲＣコネクションリコンフィグレーションに含まれる種々の情報要素・種々の設定は、ＲＲＣ信号（Dedicated signaling）を通じて端末１０２毎に設定されてもよい。なお、前述する物理設定はＲＲＣメッセージを通じて端末１０２毎に設定され��もよい。なお、前述するＲＲＣリコンフィグレーションおよびＲＲＣリエスタブリッシュメントはＲＲＣメッセージを通じて端末１０２毎に設定されてもよい。
【０１３０】
続いて図４  ステップ４０３における第２の測定対象設定および第２の報告設定の詳細について図１６で説明する。一例では、物理設定Ｄｅｄｉｃａｔｅｄ（ＰｈｙｓｉｃａｌＣｏｎｆｉｇＤｅｄｉｃａｔｅｄ）に測定設定が含まれ、測定設定には測定オブジェクト削除リスト、測定オブジェクト追加変更リスト、測定ＩＤ削除リスト、測定ＩＤ追加変更リスト、レポート設定削除リスト、レポート設定追加変更リストが含まれ得る。図４  ステップ４０３で示した第２の測定対象設定は、測定オブジェクト削除リスト、測定オブジェクト追加変更リストを指し、さらに、測定ＩＤ削除リスト、測定ＩＤ追加変更リストを含んでもよい。第２の報告設定は、レポート設定削除リスト、レポート設定追加変更リストを指すものとする。また、ここで示した測定オブジェクト削除リスト、測定オブジェクト追加変更リストは、図９もしくは図１０で示した参照信号測定設定―追加変更リストおよび参照信号測定設定―削除リストと同様のものであると考える。また、図１６では端末固有の物理設定である物理設定Ｄｅｄｉｃａｔｅｄ（ＰｈｙｓｉｃａｌＣｏｎｆｉｇＤｅｄｉｃａｔｅｄ）と説明したが、セカンダリーセルに割り当てられた端末固有の物理設定であるＳＣｅｌｌ物理設定Ｄｅｄｉｃａｔｅｄ（ＰｈｙｓｉｃａｌＣｏｎｆｉｇＤｅｄｉｃａｔｅｄＳＣｅｌｌ−ｒ１１）でもよい。前述する物理設定ＤｅｄｉｃａｔｅｄはＲＲＣコネクションのリエスタブリッシュ（ＲＲＣ  Ｃｏｎｎｅｃｔｉｏｎ  Ｒｅｅｓｔａｂｌｉｓｈｍｅｎｔ）時やＲＲＣコネクションのリコンフィグレーション（ＲＲＣ  Ｃｏｎｎｅｃｔｉｏｎ  Ｒｅｃｏｎｆｉｇｒａｔｉｏｎ）時にＲＲＣ信号を通じて設定される。一方で、ＳＣｅｌｌ物理設定ＤｅｄｉｃａｔｅｄはＳＣｅｌｌ追加変更リストに含まれることがあり、ＳＣｅｌｌの追加時および設定の変更時にＲＲＣ信号を通じて設定される。このように第２の測定対象設定および第２の報告設定により、接続したセルの設定された伝送路状況測定用参照信号の受信信号電力が測定可能となる。また、図１６で示される測定オブジェクト追加変更リストおよび測定オブジェクト削除リスト（第２の測定対象設定）は図９または図１０に示す参照信号測定設定―追加変更リストおよび参照信号測定設定―削除リスト（第３の参照信号設定）と同様の内容でもよい。つまり、図１６で示される測定オブジェクト追加変更リストおよび測定オブジェクト削除リストは、図９で示したＣＳＩ−ＲＳ測定インデックスにより識別されるＣＳＩ−ＲＳ測定設定（図１１、１２参照）により第３の参照信号が設定されるか、もしくは図１０で示したＣＳＩ−ＲＳアンテナポートインデックスにより第３の参照信号が設定される。なお、図１６では物理設定Ｄｅｄｉｃａｔｅｄ（ＰｈｙｓｉｃａｌＣｏｎｆｉｇＤｅｄｉｃａｔｅｄ）やセカンダリーセルに割り当てられた端末固有の物理設定であるＳＣｅｌｌ物理設定Ｄｅｄｉｃａｔｅｄ（ＰｈｙｓｉｃａｌＣｏｎｆｉｇＤｅｄｉｃａｔｅｄＳＣｅｌｌ−ｒ１１）に第２の測定対象設定が含まれる場合を想定しているが前述する図８のＣＳＩ−ＲＳ設定−ｒ１０に含まれてもよい。また、別の例では第２の測定対象設定が含まれる場合を想定しているが前述する図１３の測定設定に含まれてもよい。なお、前述する物理設定はＲＲＣ信号（Dedicated signaling）を通じて端末１０２毎に設定されてもよい。
【０１３１】
続いて図１６における第２の報告設定の詳細について図１７で説明する。一例では、レポート設定―追加変更リストにレポート設定ＩＤおよびレポート設定が組として含まれる。また、レポート設定―削除リストにレポート設定ＩＤが含まれる。また、これらレポート設定ＩＤおよびレポート設定の組はレポート設定―追加変更リストに複数含まれてもよいし、ひとつだけ含まれてもよい。また、レポート設定ＩＤはレポート設定―削除リストに複数含まれてもよいし、ひとつだけ含まれてもよい。なお、図１３におけるレポート設定追加変更リストも図１７同様、レポート設定ＩＤおよびレポート設定の組が１つもしくは複数含まれており、レポート設定の内容はレポート設定と同様である。なお、図１３におけるレポート設定削除リストも図１７同様、レポート設定ＩＤが１つもしくは複数含まれている。
【０１３２】
続いて図１７におけるレポート設定について図１８で説明する。一例では、レポート設定にはトリガータイプが含まれる。トリガータイプにはレポートを行うイベントのためのスレッショルド（閾値）やレポート間隔などの情報が設定されている。
【０１３３】
続いて図４  ステップ４０７における第１の測定レポートおよび第２の測定レポートに関する設定として、第１の測定レポートおよび第２の測定レポートリストについて図１９で説明する。図１９で述べる専用制御チャネルメッセージタイプ（ＵＬ−ＤＣＣＨ−ＭｅｓｓａｇｅＴｙｐｅ）は端末から基地局１０１に送信するＲＲＣメッセージの一つである。前述した専用制御チャネルメッセージタイプには少なくとも測定レポート（ＭｅａｓｕｒｅｍｅｎｔＲｅｐｏｒｔ）が含まれている。測定レポートに含まれるレポートは選択が可能である。少なくとも第１の測定レポート（測定レポート−ｒ８，ＭｅａｓｕｒｅｍｅｎｔＲｅｐｏｒｔ−ｒ８−ＩＥｓ）と第２の測定レポートリストの選択が可能である。第１の測定レポートには測定結果（ＭｅａｓＲｅｓｕｌｔｓ）が含まれており、測定結果には測定ＩＤ（ＭｅａｓＩＤ）、ＰＣｅｌｌ測定結果（ｍｅａｓＲｅｓｕｌｔＰＣｅｌｌ）、隣接セル測定結果（ｍｅａｓＲｅｓｕｌｔＮｅｉｇｈＣｅｌｌｓ）、サービング周波数測定結果リストが含まれ得る。隣接セル測定結果としてはＥＵＴＲＡ測定結果リスト（ＭｅａｓＲｅｓｕｌｔＬｉｓｔＥＵＴＲＡ）、ＵＴＲＡ測定結果リスト（ＭｅａｓＲｅｓｕｌｔＬｉｓｔＵＴＲＡ）、ＧＥＲＡＮ測定結果リスト（ＭｅａｓＲｅｓｕｌｔＬｉｓｔＧＥＲＡＮ）、ＣＤＭＡ２０００測定結果（ＭｅａｓＲｅｓｕｌｔｓＣＤＭＡ２０００）を選択することができる。サービング周波数測定結果リストとしては、サービングセルインデックス、ＳＣｅｌｌ測定結果、隣接セルベスト測定結果が含まれていてもよい。なお、図１９では第１の測定レポートと第２の測定レポートリストが並列にならび、どちらかが選択されると想定しているが、第１の測定レポートの測定結果の中に第２の測定レポートが含まれてもよい。
【０１３４】
続いて図２０において、図１９記載のＥＵＴＲＡ測定結果リストの詳細を説明する。ＥＵＴＲＡ測定結果リストには物理セルＩＤ（ＰｈｙｓＣｅｌｌＩＤ）および測定結果（ｍｅａｓＲｅｓｕｌｔ）が含まれる。物理セルＩＤおよび測定結果を合わせることにより、端末１０２は基地局１０１に対してどの隣接セルの測定情報を通知しているのかを知らせることができる。また、ＥＵＴＲＡ測定結果リストには、前述する物理セルＩＤおよび測定結果は複数含まれていてもよいし、ひとつだけ含まれていてもよい。なお、図１９に含まれるＰＣｅｌｌ測定結果およびサービング周波数測定結果リストは前述の第１の測定対象設定で指定された測定対象を測定した結果となっている。また、図２０に含まれるＥＵＴＲＡ測定結果リストなどに含まれる測定結果は図１３の第３の測定対象設定で指定された測定対象を測定した結果となっている。また、図１９で示される測定ＩＤは図１３で示される測定ＩＤを示しており、これにより第３の測定対象設定に含まれる測定オブジェクトや第３の報告設定に含まれる測定レポート設定と関連付けられている。さらに、測定レポートと第１から第３の測定対象設定の関係を説明する。第１の測定レポートに含まれるＰＣｅｌｌ測定結果およびＳＣｅｌｌ測定結果を通じて端末１０２は基地局１０１にＰＣｅｌｌのセル固有参照信号のアンテナポート０の受信信号電力およびＳＣｅｌｌのセル固有参照信号のアンテナポート０の受信信号電力を報告することができる。また、これらは第１の測定対象設定により指定された測定対象である。他方でＥＵＴＲＡ測定結果リストに含まれる物理セルＩＤおよび測定結果を通じて端末１０２は基地局１０１に隣接セルのセル固有参照信号のアンテナポート０の受信信号電力を報告することができる。また、これらは第３の測定対象設定により指定された測定対象である。つまり、第１の測定レポートおよび第３の測定対象設定により、端末１０２は基地局１０１に接続されていないセル（ＲＲＣパラメータの設定されていないセル、隣接セル）のセル固有参照信号のアンテナポート０の受信信号電力を報告することができる。また、別の観点から述べると、接続されていないセルから送信されるセル固有参照信号は、接続されているセルから送信されるセル固有参照信号とは別の物理ＩＤ（物理セルＩＤ）を用いて生成され得る。また、別の観点から述べると、第１の測定レポートを通じて端末１０２は基地局１０１に接続されたセル（プライマリーセル、セカンダリーセル）のセル固有参照信号のアンテナポート０の受信信号電力を報告することもできる。
【０１３５】
続いて図２１において、図１９に記載の第２の測定レポートリストの詳細を説明する。第２の測定レポートリストに含まれる第２の測定レポートにはＣＳＩ−ＲＳ測定インデックスおよび測定結果が含まれる。なお、ＣＳＩ−ＲＳ測定インデックスの代わりにＣＳＩ−ＲＳアンテナポートインデックスが含まれてもよい。ここで述べたＣＳＩ−ＲＳ測定インデックスおよびＣＳＩ−ＲＳアンテナポートインデックスは、図９および図１０で説明したＣＳＩ−ＲＳ測定インデックスおよびＣＳＩ−ＲＳアンテナポートインデックスを指し示すものである。従って、第２の測定レポートの測定結果を通じて端末１０２は基地局１０１に第３の参照信号設定により設定された測定対象の受信信号電力を報告することができる。例えば、第３の参照信号設定により伝送路状況測定用参照信号のアンテナポート１５が指定された場合には、端末１０２は基地局１０１に伝送路状況測定用参照信号のアンテナポート１５の受信信号電力を報告することができる。つまり、第２の測定レポートを通じて端末１０２は基地局１０１に接続されたセル（プライマリーセル、セカンダリーセル）の設定された伝送路状況測定用参照信号（例えば伝送路状況測定用参照信号のアンテナポート１５など）の受信信号電力を報告することができる。また、図示していないがサービングセルインデックスのように特定のセル（キャリアコンポーネント）を指し示すインデックスが図２１に示した第２の測定レポートに含まれてもよい。この場合には、サービングセルインデックス、ＣＳＩ−ＲＳ測定インデックスおよび測定結果を合わせることにより、どのセルに含まれる、どの伝送路状況測定用参照信号を測定した結果なのかを端末１０２が基地局１０１に報告できる。
【０１３６】
また、第２の実施形態では、基地局１０１は、基地局１０１によって設定された伝送路状況測定用参照信号の測定のみを行うための第２の測定対象設定を端末１０２毎に設定し、端末１０２が接続しているセルの物理ＩＤとは別の物理ＩＤを用いて生成されたセル固有参照信号の測定を行う第３の測定対象設定を端末１０２毎に設定する。また、端末１０２は、第２の測定対象設定により指定された測定対象となる参照信号の受信信号と、第３の測定対象設定により指定された測定対象となる参照信号の受信信号とを基地局１０１に報告する。
【０１３７】
また、第２の実施形態では、基地局１０１は、チャネル状況報告のための測定対象を設定する第１の参照信号設定を前記端末毎に設定し、端末１０２がデータ復調時にデータの復調から除外するリソースエレメントを指定する第２の参照信号設定を端末１０２毎に設定し、端末１０２が参照信号の受信電力を測定するための測定対象を設定する第３の参照信号設定を端末１０２毎に設定する。また、端末１０２は、基地局１０１によって設定された情報を受信し、第１の参照信号設定に基づいて、伝送路状況を基地局１０１に報告し、第２の参照信号設定に基づいて、データ復調時にデータの復調から除外するリソースエレメントを決定し、データの復調を行い、第３の参照信号設定に基づいて、参照信号の受信電力を測定する。
【０１３８】
以上本願の実施形態を用いることにより以下の効果を得ることができる。図２に示したセル固有参照信号および図３に示した伝送路状況測定用参照信号のアンテナポート１５，１６，１７，１８が下りリンク１０５を用いて基地局１０１からのみ送信され、また、図４  ステップ４０３において設定された第２の測定対象設定および第２の報告設定において設定された測定対象、つまり図９の第３の参照信号設定に設定された測定対象が図３に示した伝送路状況測定用参照信号のアンテナポート１９であり、この測定対象では下りリンク１０７を用いてＲＲＨ１０３からのみ伝送路状況測定用参照信号が送信されたと仮定する。この場合には図４  ステップ４０５における第１の測定対象であるセル固有参照信号および第２の測定対象であるＲＲＨ１０３からのみ送信された伝送路状況測定用参照信号の受信信号電力を測定することにより、基地局１０１と端末１０２間の下りリンクパスロスであるパスロス１およびＲＲＨ１０３と端末１０２間の下りリンクパスロスであるパスロス２を計算することができる。さらに、第１の参照信号設定はアンテナポート１５，１６，１７，１８に対してなされているのでこれに基づいたＲａｎｋ情報（ＲＩ：Rank Indicator）、プリコーディング情報（ＰＭＩ：Precoding Matrix Indicator）、伝送路品質情報（ＣＱＩ：Channel Quality Indicator）が通知され、端末固有参照信号およびデータ信号のプリコーディングおよびデータ信号の変調符号化方式（ＭＣＳ：Modulation and Coding Scheme）に適用される。一方で、第３の参照信号設定に設定された測定対象である伝送路状況測定用参照信号のアンテナポート１９に対しては受信信号電力に関する測定及び報告のみを行うことになる。これにより通信システムとしては実際に下りリンクにおいて通信を行っているアンテナポートとは別に受信電力（およびパスロス）のみを測定するアンテナポート（もしくは測定対象）を別個に設定することが可能となる。例えば、基地局１０１は下りリンクにおいて通信を行っているアンテナポートに対応する参照信号と比較して、受信電力のみの測定に用いられるアンテナポートに対応する参照信号の送信頻度を少なくすることができ、システムの参照信号のオーバヘッドの増加を抑制することができる。また、伝送路状況測定用参照信号のアンテナポート１９の受信信号電力が大きくなってきた場合（つまり、ＲＲＨ１０３と端末１０２間のパスロスが小さくなった場合）には、基地局１０１は第１の参照信号設定によって設定された伝送路状況測定用参照信号をＲＲＨ１０３に割り当てられたアンテナポートに設定しなおすことにより、常に適切な送信ポイント（つまり基地局１０１もしくはＲＲＨ１０３）から下りリンク信号の送信を行うことができる。また、別の視点では、第１の参照信号設定で設定された伝送路状況測定用参照信号のアンテナポート１５，１６，１７，１８は下りリンクの信号送信に用いることができる一方で、第３の参照信号設定で設定された伝送路状況測定用参照信号のアンテナポート１９から求められたパスロスを上りリンクの信号送信時に用いることも可能となる。これは端末１０２が基地局１０１から下りリンク１０５を通じて下りリンク信号を受信する一方で、上りリンク１０８を用いてＲ��Ｈ１０３に対して上りリンク信号を送信することを可能とする。このように少なくともＣＱＩ，ＰＭＩ，ＲＩのいずれかを含むＣＳＩフィードバックを算出するための測定対象を設定する第１の参照信号設定と、受信信号電力を算出するための測定対象を設定する第３の参照信号設定を設定し、なおかつ第３の参照信号設定で設定されるリソースの少なくとも一部は第１の参照信号設定で設定されるリソースに含まれない状態にすることにより、下りリンク信号と上りリンク信号の接続先を変えるなど、柔軟な通信システムの設計が行える。
【０１３９】
また別の視点では、図２に示したセル固有参照信号が下りリンク１０５を用いて基地局１０１からのみ送信され、また図４  ステップ４０３において設定された第２の測定対象設定および第２の報告設定において設定された測定対象が図３に示した伝送路状況測定用参照信号であり、この測定対象では下りリンク１０７を用いてＲＲＨ１０３からのみ伝送路状況測定用参照信号が送信されたと仮定する。さらに、基地局１０１とＲＲＨ１０３はキャリアアグリゲーションを行っており、上り、下りとも中心周波数の異なるキャリアコンポーネント（Ｃａｒｒｉｅｒ  Ｃｏｍｐｏｎｅｎｔ，ＣＣ，Ｃｅｌｌ、セル）を２つ有して通信を行っているとする。これらを第１のキャリアコンポーネント、第２のキャリアコンポーネントと呼び、基地局１０１およびＲＲＨ１０３はこれらのキャリアコンポーネントを使用し、個別の通信および協調通信が可能であるとする。この場合、端末１０２は基地局１０１に対して第１のキャリアコンポーネントを通じて接続を行う。それと同時に、予め定められた第１の測定に関するパラメータに従って測定対象の測定が行われる。ここで測定対象は接続されたセルのセル固有参照信号のアンテナポート０となる。それと同時に、第３の測定および第３の報告に関するパラメータが設定され、測定対象の測定が行われる。ここで測定対象は接続を行っていないセル固有参照信号のアンテナポート０となる。その後、図４  ステップ４０７において図１９に示した第１の測定レポートが端末１０２から基地局１０１に報告される。つまり、前述した接続されたセルのセル固有参照信号のアンテナポート０の受信電力と、前述した接続を行っていないセル固有参照信号のアンテナポート０の受信電力とが第１の測定レポートを通じて基地局１０１に報告が行われることとなる。一方で、第１のキャリアコンポーネント（プライマリーセル）に接続後、個別に物理設定Ｄｅｄｉｃａｔｅｄにより第１のキャリアコンポーネントのための第２の測定設定がされたり、第２のキャリアコンポーネント（セカンダリーセル）を追加時（ＳＣｅｌｌ物理設定Ｄｅｄｉｃａｔｅｄ設定時）に、第２のキャリアコンポーネントのための第２の測定設定がされたりする。つまり、第３の測定対象設定を行うことにより端末１０２は接続されていないセルのセル固有参照信号のアンテナポート０の測定を行い、基地局１０１に報告を行うことになるが、第２の測定設定および第２の測定レポートを行うことにより端末１０２は接続されたセルのみの伝送路状況測定用参照信号の設定されたアンテナポートの測定を行い、第２の測定レポートを通じて基地局１０１に報告を行うことになる。これにより端末１０２および基地局１０１は最適な基地局１０１およびセルの探索は第３の測定対象設定および第３の報告設定、第１の測定レポートのみにより行うことができ、最適な送信ポイント（例えば基地局１０１やＲＲＨ１０３）の探索や、パスロスの測定は第１および第２の測定対象設定に基づいて行うことができる。なお、ここで接続されたセルとはＲＲＣ信号によりパラメータの設定がなされたセル、つまり、プライマリーセル（第１のキャリアコンポーネント）やセカンダリーセル（第２のキャリアコンポーネント）などのことを示し、接続されていないセルとはＲＲＣ信号によりパラメータの設定がなされていないセル、つまり隣接セルなどのことを示す。また別の観点から述べると接続されていないセルから送信されるセル固有参照信号は、前記接続されているセルから送信されるセル固有参照信号とは別の物理ＩＤ（物理セルＩＤ）を用いて生成され得る。
【０１４０】
（第３の実施形態）
次に、第３の実施形態について説明する。第３の実施形態では、図４のステップ４０８からステップ４０９の処理について詳細に説明する。特に、複数の上りリンク電力制御に関するパラメータが設定された場合の通信システムの処理について詳細に説明する。ここでは特に第１の測定対象設定と上りリンク電力制御に関するパラメータの設定に基づいてパスロス（第１のパスロス）を計算し、第１のパスロスと上りリンク電力制御に関するパラメータの設定に基づいて第１の上りリンク送信電力を計算する。また、端末１０２は、第２の測定対象設定と上りリンク電力制御に関するパラメータの設定に基づいてパスロス（第２のパスロス）を計算し、第２のパスロスと上りリンク電力制御に関するパラメータの設定に基づいて第２の上りリンク送信電力を計算する例、つまり第１および第２の測定対象設定と第１および第２の上りリンク送信電力が暗黙的（ｉｍｐｌｉｃｉｔ、固定的）に設定される場合について詳細に述べる。
【０１４１】
上りリンク送信電力の計算方法について説明する。端末１０２は、数式（１）からサービングセルｃのサブフレームｉのＰＵＳＣＨの上りリンク送信電力を決定する。
【数１】
0005990815.tif 000002
ＰＣＭＡＸ，ｃは、サービングセルｃにおける端末１０２の最大送信電力を表している。ＭＰＵＳＣＨ，ｃは、サービングセルｃの送信帯域幅（周波数方向のリソースブロック数）を表している。また、ＰＯ＿ＰＵＳＣＨ，ｃは、サービングセルｃのＰＵＳＣＨの標準電力を表している。ＰＯ＿ＰＵＳＣＨ，ｃは、ＰＯ＿ＮＯＭＩＮＡＬ＿ＰＵＳＣＨ，ｃとＰＯ＿ＵＥ＿ＰＵＳＣＨ、ｃから決定される。ＰＯ＿ＮＯＭＩＮＡＬ＿ＰＵＳＣＨ，ｃは、セル固有の上りリンク電力制御に関するパラメータである。ＰＯ＿ＵＥ＿ＰＵＳＣＨ，ｃは、端末固有の上りリンク電力制御に関するパラメータである。αは、セル全体のフラクショナル送信電力制御に用いられる減衰係数（伝送路損失補償係数）である。ＰＬｃは、パスロスであり、既知の電力で送信される参照信号とＲＳＲＰから求まる。例えば、基地局１０１（またはＲＲＨ１０３）と端末１０２間の伝送路損失が５ｄＢの場合、ＰＬｃはその値を補償するためのパラメータである。また、本発明においては、ＰＬｃは、第１の実施形態または第２の実施形態から求まるパスロスの計算結果であってもよい。ΔＴＦ，ｃは、数式（２）から求まる。
【数２】
0005990815.tif 000003
ＢＰＲＥは、リソースエレメントに割り当て可能なビット数を示している。また、Ｋｓは、上位層からＲＲＣ信号を用いて通知される上りリンク電力制御に関するパラメータであり、上りリンク信号の変調符号化方式（MCS）に依存したパラメータである（deltaMCS-Enabled）。また、ｆｃは、上りリンク電力制御に関するパラメータであるａｃｃｕｍｕｌａｔｉｏｎ−ｅｎａｂｌｅｄと上りリンクグラント（ＤＣＩフォーマット）に含まれるＴＰＣコマンドから決定される。
【０１４２】
端末１０２は、数式（３）からサブフレームｉのＰＵＣＣＨの上りリンク送信電力を決定する。
【数３】
0005990815.tif 000004
ＰＯ＿ＰＵＣＣＨは、ＰＵＣＣＨの標準電力を表している。ＰＯ＿ＰＵＣＣＨは、ＰＯ＿ＮＯＭＩＮＡＬ＿ＰＵＣＣＨとＰＯ＿ＵＥ＿ＰＵＣＣＨから決定される。ＰＯ＿ＮＯＭＩＮＡＬ＿ＰＵＣＣＨは、セル固有の上りリンク電力制御に関するパラメータである。ＰＯ＿ＵＥ＿ＰＵＣＣＨは、端末固有の上りリンク電力制御に関するパラメータである。ｎＣＱＩは、ＣＱＩのビット数、ｎＨＡＲＱは、ＨＡＲＱのビット数、ｎＳＲは、ＳＲのビット数を表している。ｈ（ｎＣＱＩ，ｎＨＡＲＱ，ｎＳＲ）は、それぞれのビット数、すなわち、ＰＵＣＣＨフォーマットに依存して定義されたパラメータである。ΔＦ＿ＰＵＣＣＨは、上位層から通知されるパラメータである（deltaFList-PUCCH）。ΔＴｘＤは、送信ダイバーシチが設定された場合に上位層から通知されるパラメータである。ｇは、ＰＵＣＣＨの電力制御を調整するために使用されるパラメータである。
【０１４３】
端末１０２は、数式（４）からＳＲＳの上りリンク送信電力を決定する。
【数４】
0005990815.tif 000005
ＰＳＲＳ＿ＯＦＦＳＥＴは、ＳＲＳの送信電力を調整するためのオフセットであり、上りリンク電力制御パラメータ（端末固有の上りリンク電力制御に関するパラメータの設定）に含まれている。ＭＳＲＳ，ｃは、サービングセルｃに配置されるＳＲＳの帯域幅（周波数方向のリソースブロック数）を表している。
【０１４４】
端末１０２は、数式（５）からＰＲＡＣＨの上りリンク送信電力を決定する。
【数５】
0005990815.tif 000006
ＰＲＡＣＨのＰＣＭＡＸ，ｃは、プライマリーセルにおける最大送信電力である。ＰＲＡＣＨのＰＬｃは、端末１０２によって計算されたプライマリーセルの下りリンクパスロスである。
【０１４５】
また、上記各上りリンク物理チャネルの送信電力が、種々の送信電力パラメータやパスロス等の計算結果から端末１０２の最大送信電力ＰＣＭＡＸ，ｃ（ｉ）を超える場合、端末１０２は、最大送信電力で上りリンク物理チャネルを送信する。
【０１４６】
端末１０２は、ＰＲＥＡＭＢＬＥ＿ＲＥＣＥＩＶＥＤ＿ＴＡＲＧＥＴ＿ＰＯＷＥＲを数式（６）から決定する。
【数６】
0005990815.tif 000007
preambleInitialReceivedPowerは、ランダムアクセスプリアンブルの初期受信電力である。ＤＥＬＴＡ＿ＰＲＥＡＭＢＬＥは、プリアンブルフォーマットと関連付けられた電力オフセットである。ＰＲＥＡＭＢＬＥ＿ＴＲＡＮＳＭＩＳＳＩＯＮ＿ＣＯＵＮＴＥＲは、ＰＲＡＣＨ（ランダムアクセスプリアンブル）の送信回数を表す。powerRampingStepは、ランダムアクセスが失敗した場合にＰＲＡＣＨの再送時の送信電力を一定量増加するための電力増加量を示すパラメータである。
【０１４７】
ここで、端末１０２は、サービングセルｃのパスロス（下りリンクパスロス）ＰＬｃを数式（７）から決定する。
【数７】
0005990815.tif 000008
referenceSignalPowerは、パスロス測定用参照信号（例えば、ＣＲＳ）の１リソースエレメント当たりの電力値であり、上位層によってPDSCH-Configに含まれて通知される。つまり、referenceSignalPowerは、基地局１０１から送信されるパスロス測定用参照信号の送信電力を表す。higher layer filtered RSRPは上位層でフィルタされたＲＳＲＰである。さらに、higher layer filtered RSRPは、数式（８）によって求まる。
【数８】
0005990815.tif 000009
Ｆｎは、更新（アップデート）される測定結果、つまり、higher layer filtered RSRPのことである。また、Ｆｎ−１は、過去の測定結果、つまり、過去のhigher layer filtered RSRPのことである。また、Ｍｎは、最新の測定結果のことである。また、ａは、測定物理量であり、数式（９）で決定される。ａは、それぞれの測定結果の影響度を表し、ａの値が１に近いほど、最新の測定結果に重みをおいた測定結果を表す。
【数９】
0005990815.tif 000010
ｋは、フィルタ係数filterCoefficientで設定される。また、filterCoefficientは、quantityConfigもしくはUplinkPowerControlにおいて設定されている。基地局１０１が、過去の測定結果を重視する場合には、ａの値が小さくなるようにｋの値を大きく設定し、最新の測定結果を重視する場合には、ａの値が大きくなるようにｋの値を小さく設定する。
【０１４８】
図２２は、（第１の）上りリンク電力制御に関するパラメータの設定（UplinkPowerControl）に含まれる情報要素の一例を示す図である。上りリンク電力制御に関するパラメータの設定には、セル固有の設定（セル固有上りリンク電力制御に関するパラメータの設定（UplinkPowerControlCommon））と端末固有の設定（端末固有上りリンク電力制御に関するパラメータの設定（UplinkPowerControlDedicated））があり、それぞれの設定にセル固有または端末固有に設定される上りリンク電力制御に関するパラメータ（情報要素）が含まれる。セル固有の設定としては、セル固有に設定可能なＰＵＳＣＨ電力である標準ＰＵＳＣＨ電力（p0-NominalPUSCH）、フラクショナル送信電力制御の減衰係数（伝送路損失補償係数）α（alpha）、セル固有に設定可能なＰＵＣＣＨ電力である標準ＰＵＣＣＨ電力（p0-NominalPUCCH）、数式（３）に含まれるΔＦ＿ＰＵＣＣＨは（deltaFList-PUCCH）、プリアンブルメッセージ３が送信される場合の電力調整値（deltaPreambleMsg3）がある。また、端末固有の設定としては、端末固有に設定可能なＰＵＳＣＨ電力である端末固有ＰＵＳＣＨ電力（p0-UE-PUSCH）、数式（２）に使用される変調符号化方式による電力調整値Ｋｓに関連したパラメータ（deltaMCS-Enabled）、ＴＰＣコマンドを設定するために必要なパラメータ（accumulationEnabled）、端末固有に設定可能なＰＵＣＣＨ電力である端末固有ＰＵＣＣＨ電力（p0-UE-PUCCH）、ピリオディックおよびアピリオディックＳＲＳの電力オフセットＰＳＲＳ＿ＯＦＦＳＥＴ（pSRS-Offset、pSRS-OffsetAp-r10）、参照信号の受信電力ＲＳＲＰのフィルタ係数（filterCoefficient）がある。これらの設定は、プライマリーセルに対して設定可能であるが、セカンダリーセルに対しても同様の設定を行なうことができる。さらに、セカンダリーセルの端末固有の設定では、プライマリーセルかセカンダリーセルのパスロス測定用参照信号を用いてパスロスの計算を行なうことを指示するパラメータ（pathlossReference-r10）がある。
【０１４９】
図２３は、上りリンク電力制御に関するパラメータの設定（第１の上りリンク電力制御に関するパラメータの設定）が含まれる情報の一例である。（第１の）セル固有上りリンク電力制御に関するパラメータ設定（ＵｐｌｉｎｋＰｏｗｅｒＣｏｎｔｒｏｌＣｏｍｍｏｎ１）は、セル固有無線リソース設定（ＲａｄｉｏＲｅｓｏｕｒｃｅＣｏｎｆｉｇＣｏｍｍｏｎ）に含まれる。（第１の）端末固有上りリンク電力制御に関するパラメータ設定（ＵｐｌｉｎｋＰｏｗｅｒＣｏｎｔｒｏｌＤｅｄｉｃａｔｅｄ１）は、端末固有物理設定（ＰｈｙｓｉｃａｌＣｏｆｉｇＤｅｄｉｃａｔｅｄ）に含まれる。（第１の）セル固有上りリンク電力制御に関するパラメータ設定（ＵｐｌｉｎｋＰｏｗｅｒＣｏｎｔｒｏｌＣｏｍｍｏｎＳＣｅｌｌ−ｒ１０−１）は、セカンダリーセル固有無線リソース設定（ＲａｄｉｏＲｅｓｏｕｒｃｅＣｏｎｆｉｇＣｏｍｍｏｎＳＣｅｌｌ−ｒ１０）に含まれる。（第１の）セカンダリーセル端末固有上りリンク電力制御に関するパラメータ設定（ＵｐｌｉｎｋＰｏｗｅｒＣｏｎｔｒｏｌＤｅｄｉｃａｔｅｄＳＣｅｌｌ−ｒ１０−１）は、セカンダリーセル端末固有物理設定（ＰｈｙｓｉｃａｌＣｏｎｆｉｇＤｅｄｉｃａｔｅｄＳＣｅｌｌ−ｒ１０）に含まれる。また、（プライマリーセル）端末固有物理設定は、（プライマリーセル）端末固有無線リソース設定（ＲａｄｉｏＲｅｓｏｕｒｃｅＣｏｆｉｇＤｅｄｉｃａｔｅｄ）に含まれる。また、セカンダリーセル端末固有物理設定は、セカンダリーセル端末固有無線リソース設定（ＲａｄｉｏＲｅｓｏｕｒｃｅＣｏｎｆｉｇＤｅｄｉｃａｔｅｄＳＣｅｌｌ−ｒ１０）に含まれる。なお前述するセル固有無線リソース設定および端末固有無線リソース設定は、第２の実施例で述べたＲＲＣコネクションリコンフィグレーション（ＲＲＣＣｏｎｎｅｃｔｉｏｎＲｅｃｏｎｆｉｇｕｒａｔｉｏｎ）やＲＲＣリエスタブリッシュメント（ＲＲＣＣｏｎｎｅｃｔｉｏｎＲｅｅｓｔａｂｌｉｓｈｍｅｎｔ）に含まれてもよい。なお、前述するセカンダリーセル固有無線リソース設定およびセカンダリーセル端末固有無線リソース設定は、第２の実施例で述べたＳＣｅｌｌ追加変更リストに含まれてもよい。なお、前述するセル固有無線リソース設定および端末固有無線リソース設定は、ＲＲＣ信号（Dedicated signaling）を通じて端末１０２毎に設定されてもよい。なお、ＲＲＣコネクションリコンフィグレーションおよびＲＲＣリエスタブリッシュメントは、ＲＲＣメッセージを通じて端末毎に設定されてもよい。なお、前述するセル固有の上りリンク電力制御に関するパラメータの設定は、システム情報を通じて端末１０２に設定されてもよい。また、前述する端末固有の上りリンク電力制御に関するパラメータの設定は、ＲＲＣ信号（Dedicated signaling）を通じて端末１０２毎に設定されてもよい。
【０１５０】
第３の実施形態では、端末１０２は、第１及び第２の実施形態で示された第１の測定対象設定および第２の測定対象設定に基づいて種々の上りリンク信号（ＰＵＳＣＨ、ＰＵＣＣＨ、ＳＲＳ）の上りリンク送信電力（PPUSCH1, PPUCCH1, PSRS1）を計算することができる。なお、種々の上りリンク信号とは、複数の種類の上りリンク物理チャネルのことでもある。また、種々の上りリンク物理チャネルは、ＰＵＳＣＨ、ＰＵＣＣＨ、ＵＬ  ＤＭＲＳ、ＳＲＳ、ＰＲＡＣＨ、およびＰＵＣＣＨに含まれる制御情報（ＣＱＩ、ＰＭＩ、ＲＩ、Ａｃｋ／Ｎａｃｋ）のうち少なくとも一つの上りリンク物理チャネルが含まれていることを表している。
【０１５１】
第３の実施形態では、基地局１０１は、第１の測定対象設定および第２の測定対象設定、上りリンク電力制御に関するパラメータの設定を端末１０２へ通知する。一例では端末１０２は、通知された情報に従って、第１の測定対象設定と上りリンク電力制御に関するパラメータの設定に基づいてパスロス（第１のパスロス）を計算し、第１のパスロスと上りリンク電力制御に関するパラメータの設定に基づいて第１の上りリンク送信電力を計算する。また、端末１０２は、第２の測定対象設定と上りリンク電力制御に関するパラメータの設定に基づいてパスロス（第２のパスロス）を計算し、第２のパスロスと上りリンク電力制御に関するパラメータの設定に基づいて第２の上りリンク送信電力を計算する。つまり第１の上りリンク送信電力は常に第１の測定対象設定で通知された測定対象を元に計算され、第２の上りリンク送信電力は常に第２の測定対象設定で通知された測定対象を元に計算されてもよい。さらに具体的に言うと、第１の上りリンク送信電力は常に第１の測定対象設定で通知された測定対象であるセル固有参照信号のアンテナポート０を元に計算され、第２の上りリンク送信電力は常に第２の測定対象設定で通知された測定対象である伝送路状況測定用参照信号の指定されたリソース（もしくはアンテナポート）を元に計算されてもよい。さらに別の例では第２の測定対象設定として複数の測定対象（例えば伝送路状況測定用参照信号の指定された複数のリソースまたは複数アンテナポート）が指定された場合には、このうちのいずれかを使用し第２の上りリンク送信電力を計算するかを通知する場合がある。この場合には後述する図２４で説明するパスロス参照リソースが図２２に示す第１のセル固有上りリンク電力制御に関するパラメータの設定や第１のセカンダリーセル固有上りリンク電力制御に関するパラメータの設定や第１の端末固有上りリンク電力制御に関するパラメータの設定や第１のセカンダリーセル端末固有上りリンク電力制御に関するパラメータの設定中に設定されてもよい。さらに、別の例では第１の上りリンク送信電力は第１の測定対象設定とは関係なく、常にセル固有参照信号のアンテナポート０（もしくはアンテナポート０と１）を元に計算されてもよい。また、端末１０２は、上りリンクグラントを検出した周波数リソースやタイミングによって、前述した第１の上りリンク送信電力において上りリンク信号を送信するのか前述した第２の上りリンク送信電力において上りリンク信号を送信するのかを制御してもよい。
【０１５２】
このように、第１および第２の上りリンク送信電力は、第１および第２の測定対象設定（および測定対象設定で指定されている測定対象）と固定的に関連付けられてもよい。
【０１５３】
さらに具体的な例を挙げると、複数のキャリアコンポーネント（ここでは、２つのキャリアコンポーネント）を用いて通信を行なうキャリアアグリゲーションが可能な場合、第１もしくは第２の測定対象設定とキャリアコンポーネントを関連付けてもよい。つまり、第１の測定対象設定と第１のキャリアコンポーネントを関連付け、第２の測定対象設定と第２のキャリアコンポーネントを関連付けてもよい。また、第１のキャリアコンポーネントをプライマリーセル、第２のキャリアコンポーネントをセカンダリーセルに設定した場合、第１の測定対象設定はプライマリーセル、第２の測定対象設定はセカンダリーセルと関連付けられてもよい。つまり、基地局１０１は、セル毎に第１および第２の測定対象設定を設定してもよい。端末１０２は、プライマリーセルから上りリンクグラントを検出した場合には、第１の測定対象設定とプライマリーセル固有上りリンク電力制御に関するパラメータの設定とプライマリーセル端末固有上りリンク電力制御に関するパラメータの設定から第１のパスロス及び第１の上りリンク送信電力を計算し、セカンダリーセルから上りリンクグラントを検出した場合には、第２の測定対象設定とセカンダリーセル固有上りリンク電力制御に関するパラメータの設定とセカンダリーセル端末固有上りリンク電力制御に関するパラメータの設定から第２のパスロスおよび第２の上りリンク送信電力を計算する。
【０１５４】
別の観点から考えると、例えば、基地局１０１と通信を行う端末１０２を端末Ａ、ＲＲＨ１０３と通信を行う端末１０２を端末Ｂとした場合、端末Ａのダイナミックな上りリンク信号の送信制御をプライマリーセルでのみ行い、また端末Ｂのダイナミックな上りリンク信号の送信制御をセカンダリーセルでのみ行う。つまり、基地局１０１は、端末１０２に基地局１０１向けの上りリンク信号の送信を行わせたい場合には、上りリンクグラントをプライマリーセルに含めて端末１０２へ通知し、端末１０２にＲＲＨ１０３向けの上りリンク信号の送信を行わせたい場合には、セカンダリーセルに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するセル（キャリアコンポーネント、コンポーネントキャリア）によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、プライマリーセルのＴＰＣコマンドの電力補正値を高く設定し、ＲＲＨ１０３向けの上りリンク送信電力を低くしたい場合には、セカンダリーセルのＴＰＣコマンドの電力補正値を低くなるように設定する。基地局１０１は、端末Ａに対しては、プライマリーセルによって上りリンク信号の送信および上りリンク送信電力制御（ＵＬ  ＴＰＣ：Uplink Transmission Power Control）を行い、端末Ｂに対しては、セカンダリーセルによって上りリンク信号の送信および上りリンク送信電力制御を行う。つまり、基地局１０１は、プライマリーセルのＴＰＣコマンド（送信電力制御コマンド）の電力補正値を第１の値に設定し、セカンダリーセルのＴＰＣコマンドの電力補正値を第２の値に設定することによって、端末１０２のダイナミックな上りリンク送信電力制御を行うことができる。基地局１０１は、第１の値を第２の値よりも電力補正値が高くなるように設定してもよい。ここで、ＵＬ  ＴＰＣは、通信環境に応じて、適切な送信電力において上りリンク信号を送信することである。つまり、ＵＬ  ＴＰＣとは、上りリンクのチャネル測定結果や端末１０２からのＣＳＩフィードバックに基づいて基地局１０１が適切な上りリンク電力制御に関するパラメータを設定し、端末１０２へ通知することである。また、ＵＬ  ＴＰＣとは、基地局１０１が端末１０２に対して複数の上りリンク電力制御に関するパラメータから１つを選択し、適切な送信電力において上りリンク信号を送信させることである。
【０１５５】
一例として下りリンクサブフレームが第１のサブセット（第１のサブフレームサブセット）および第２のサブセット（第２のサブフレームサブセット）に分けられているものと考える。ところで上りリンクグラントがサブフレームn（nは自然数）で受信された場合、端末１０２はサブフレームn+4で上りリンク信号の送信を行うため、おのずと上りリンクサブフレームも第１のサブセットおよび第２のサブセットに分けられているものと考える。例えば、下りリンクサブフレームの０，５が第１のサブセットに、１，２，３，４，６，７，８，９が第２のサブセットに分類される場合、おのずと上りリンクサブフレームの４、９が第１のサブセットに、０、１，２，３，５，６，７，８，が第２のサブセットに分類されることとなる。この場合に上りリンクグラントを検出した下りリンクサブフレームインデックスが第１のサブセットに含まれる場合には、端末１０２は、第１の測定対象設定と上りリンク電力制御に関するパラメータ設定に基づいて第１のパスロスおよび第１の上りリンク送信電力を計算し、上りリンクグラントを検出した下りリンクサブフレームインデックスが第２のサブセットに含まれる場合には、端末１０２は、第２の測定対象設定と上りリンク電力制御に関するパラメータ設定に基づいて第２のパスロスおよび第２の上りリンク送信電力を計算する。すなわち、端末１０２は、上りリンクグラントを検出した下りリンクサブフレームが第１のサブセットに含まれるか第２のサブセットに含まれるかによって、第１の上りリンク送信電力で上りリンク信号を送信するか第２の上りリンク送信電力で上りリンク信号を送信するかを制御することができる。
【０１５６】
なお、第１のサブセットは、物理報知チャネル（ＰＢＣＨ：Physical Broadcast Channel）と第１の同期信号（ＰＳＳ：Primary Synchronization Signal）と第２の同期信号（ＳＳＳ：Secondary Synchronization Signal）が含まれる下りリンクサブフレームで構成されてもよい。また、第２のサブセットは、ＰＢＣＨ、ＰＳＳ、ＳＳＳを含まないサブフレームで構成されてもよい。
【０１５７】
別の観点から考えると、例えば、基地局１０１と通信を行う端末１０２を端末Ａ、ＲＲＨ１０３と通信を行う端末１０２を端末Ｂとした場合、端末Ａのダイナミックな上りリンク信号の送信制御を第１のサブフレームサブセットでのみ行い、また端末Ｂのダイナミックな上りリンク信号の送信制御を第２のサブフレームサブセットでのみ行う。つまり、基地局１０１は、端末１０２に基地局１０１向けの上りリンク信号の送信を行わせたい場合には、上りリンクグラントを第１のサブフレームサブセットに含めて端末１０２へ通知し、端末１０２にＲＲＨ１０３向けの上りリンク信号の送信を行わせたい場合には、第２のサブフレームサブセットに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するサブフレームサブセットによって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１のサブフレームサブセットのＴＰＣコマンドの電力補正値を高く設定し、ＲＲＨ１０３向けの上りリンク送信電力を低くしたい場合には、第２のサブフレームサブセットのＴＰＣコマンドの電力補正値を低くなるように設定する。基地局１０１は、端末Ａに対しては、第１のサブフレームサブセットによって上りリンク信号の送信および上りリンク送信電力制御を行い、端末Ｂに対しては、第２のサブフレームサブセットによって上りリンク信号の送信および上りリンク送信電力制御を行う。つまり、基地局１０１は、第１のサブフレームサブセットに含まれるＴＰＣコマンド（送信電力制御コマンド）の電力補正値を第１の値に設定し、第２のサブフレームサブセットに含まれるＴＰＣコマンドの電力補正値を第２の値に設定することによって、端末１０２のダイナミックな上りリンク送信電力制御を行うことができる。基地局１０１は、第１の値を第２の値よりも電力補正値が高くなるように設定してもよい。
【０１５８】
一例として、端末１０２が、第１の制御チャネル領域で上りリンクグラントを検出した場合には、第１の測定対象設定と上りリンク電力制御に関するパラメータ設定に基づいて第１のパスロスおよび第１の上りリンク送信電力を計算し、上りリンクグラントを第２の制御チャネルで検出した場合には、第２の測定対象設定と上りリンク電力制御に関するパラメータ設定に基づいて第２のパスロスおよび第２の上りリンク送信電力を計算する。つまり、端末１０２は、上りリンクグラントを検出した制御チャネル領域から第１の上りリンク送信電力で上りリンク信号を送信するか第２の上りリンク送信電力で上りリンク信号を送信するかを制御することができる。
【０１５９】
別の観点から考えると、例えば、基地局１０１と通信を行う端末１０２を端末Ａ、ＲＲＨ１０３と通信を行う端末１０２を端末Ｂとした場合、端末Ａのダイナミックな上りリンク信号の送信制御を第１の制御チャネル（ＰＤＣＣＨ）領域でのみ行い、また端末Ｂのダイナミックな上りリンク信号の送信制御を第２の制御チャネル（Ｘ−ＰＤＣＣＨ）領域でのみ行う。つまり、基地局１０１は、端末１０２に基地局１０１向けの上りリンク信号の送信を行なわせたい場合には、上りリンクグラントを第１の制御チャネル領域に含めて端末１０２へ通知し、端末１０２にＲＲＨ１０３向けの上りリンク信号の送信を行なわせたい場合には、第２の制御チャネル領域に含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知する制御チャネル領域によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１の制御チャネル領域のＴＰＣコマンドの電力補正値を高く設定し、ＲＲＨ１０３向けの上りリンク送信電力を低くしたい場合には、第２の制御チャネル領域のＴＰＣコマンドの電力補正値を低くなるように設定する。基地局１０１は、端末Ａに対しては、第１の制御チャネル領域によって上りリンク信号の送信および上りリンク送信電力制御を行い、端末Ｂに対しては、第２の制御チャネルによって上りリンク信号の送信および上りリンク送信電力制御を行う。つまり、基地局１０１は、第１の制御チャネル領域のＴＰＣコマンド（送信電力制御コマンド）の電力補正値を第１の値に設定し、第２の制御チャネル領域のＴＰＣコマンドの電力補正値を第２の値に設定することによって、端末１０２のダイナミックな上りリンク送信電力制御を行うことができる。基地局１０１は、第１の値を第２の値よりも電力補正値が高くなるように設定してもよい。
【０１６０】
また、第３の実施形態では、基地局１０１は第１および第２の測定対象設定を含む無線リソース制御信号を端末１０２へ通知し、上りリンク電力制御に関するパラメータの設定を含む無線リソース制御信号を端末１０２へ通知する。また、端末１０２は、第１の測定対象設定に含まれる第１の測定対象と上りリンク電力制御に関するパラメータの設定に基づいて第１のパスロスおよび第１の上りリンク送信電力を計算し、第２の測定対象設定に含まれる第２の測定対象と上りリンク電力制御に関するパラメータの設定に基づいて第２のパスロスおよび第２の上りリンク送信電力を計算し、第１または第２の上りリンク送信電力において上りリンク信号を基地局１０１へ送信する。
【０１６１】
図１を用いて説明すると、基地局１０１とＲＲＨ１０３はキャリアアグリゲーションを行っており、上り、下りとも中心周波数の異なるキャリアコンポーネント（Ｃａｒｒｉｅｒ  Ｃｏｍｐｏｎｅｎｔ，ＣＣ，Ｃｅｌｌ、セル）を２つ有して通信を行っているとする。これらを第１のキャリアコンポーネント、第２のキャリアコンポーネントと呼び、基地局１０１およびＲＲＨ１０３はこれらキャリアコンポーネントを使用し、個別の通信および協調通信が可能であるとする。第１のキャリアコンポーネントが基地局１０１と端末１０２間の通信に使用され、第２のキャリアコンポーネントがＲＲＨ１０３と端末１０２間の通信に使用されるとする。つまり、下りリンク１０５または上りリンク１０６は、第１のキャリアコンポーネントで接続し、下りリンク１０７または上りリンク１０８は、第２のキャリアコンポーネントで接続される。この際、端末１０２は、第１のキャリアコンポーネントを通じて下りリンク１０５から上りリンクグラントを検出した場合、第１のキャリアコンポーネントを通じて第１の上りリンク送信電力で上りリンク１０６への送信を行い、第２のキャリアコンポーネントを通じて下りリンク１０７から上りリンクグラントを検出した場合、第２の上りリンク送信電力で第２のキャリアコンポーネントを通じて上りリンク１０８への送信を行なうことができる。また、端末１０２は検出した上りリンクグラントにキャリアインディケータが含まれている場合には、キャリアインディケータによって示されたキャリア（セル、プライマリーセル、セカンダリーセル、サービングセルインデックス）と関連付けられたパスロス参照リソースを用いてパスロスおよび上りリンク送信電力を算出してもよい。
【０１６２】
また、基地局１０１は、基地局１０１と通信を行なう端末１０２と、ＲＲＨ１０３と通信を行なう端末１０２を異なるキャリアコンポーネントでスケジューリングし、それぞれのキャリアコンポーネントに対して第１もしくは第２の測定対象設定を設定することで、端末１０２に対して適切な上りリンク送信電力制御を行なうように制御することができる。なお、スケジューリングは、端末１０２に対する下りリンク信号もしくは上りリンク信号のリソース割り当て（時間周波数リソース割り当て）を含む。
【０１６３】
また、アピリオディックＳＲＳ（Ａ−ＳＲＳ）においては、種々のＤＣＩフォーマットと測定対象設定で設定された測定対象とを関連付けてもよい。つまり、端末１０２は、第１のＤＣＩフォーマットにおいてＡ−ＳＲＳの送信要求が指示されたＳＲＳインディケータを検出した場合、第１の測定対象設定で設定された第１の測定対象により、第１のパスロスを計算し、第１のパスロスを基に、第１のＡ−ＳＲＳ送信電力を計算し、第２のＤＣＩフォーマットにおいてＡ−ＳＲＳの送信要求が指示されたＳＲＳインディケータを検出した場合、第２の測定対象設定で設定された第２の測定対象により、第２のパスロスを計算し、第２のパスロスを基に、第２のＡ−ＳＲＳ送信電力を計算し、前述するＡ−ＳＲＳ送信電力においてＡ−ＳＲＳを送信する。なお、パスロス参照リソースと測定対象設定で設定された測定対象は予め関連付けられてもよい。また、ＤＣＩフォーマットと測定対象設定で設定された測定対象は予め関連付けられてもよい。これらの関連付けられた情報は、システム情報（ＳＩ：System Information）で報知されてもよい。
【０１６４】
また、前述するこれらの関連付けられた情報は、ＲＲＣ信号で端末１０２毎に通知されてもよい。また、前述するこれらの関連付けられた情報は、ＲＲＣメッセージで端末１０２毎に通知されてもよい。また、第１および第２のＤＣＩフォーマットと第１および第２の測定対象設定との関連付けを示す情報は、ＲＲＣ信号で端末１０２毎に通知されてもよい。また、第１および第２のＤＣＩフォーマットとで同じまたは異なる測定対象設定の切り替えを示す情報は、ＲＲＣ信号で端末１０２毎に通知されてもよい。つまり、前述する切り替えを示す情報によって、第１および第２のＤＣＩフォーマットと測定対象設定とを関連付けることもできる。
【０１６５】
ここで、第１のＤＣＩフォーマットと第２のＤＣＩフォーマットは、異なる種類のＤＣＩフォーマットであってもよい。つまり、ＤＣＩフォーマット０が第１のＤＣＩフォーマットとして、ＤＣＩフォーマット１Ａが第２のＤＣＩフォーマットとして設定されてもよい。また、ＤＣＩフォーマット２Ｂが第１のＤＣＩフォーマットとして、ＤＣＩフォーマット２Ｃが第２のＤＣＩフォーマットとして設定されてもよい。また、ＤＣＩフォーマット０が第１のＤＣＩフォーマットとして、ＤＣＩフォーマット４が第２のＤＣＩフォーマットとして設定されてもよい。
【０１６６】
また、第１および第２のＤＣＩフォーマットは、同じ種類のＤＣＩフォーマットであってもよい。ただし、ＤＣＩフォーマットに含まれる制御情報フィールドに設定される値（またはインデックス）が異なる。例えば、ＤＣＩフォーマット４に含まれるＳＲＳインディケータは、２ビットの情報で示される。ここで、２ビットの情報を０から３のインデックスと関連付けるとする。そこで、第１のＤＣＩフォーマットは、ＳＲＳインディケータのインデックス‘１’が指示されたＤＣＩフォーマット４、第２のＤＣＩフォーマットは、ＳＲＳインディケータのインデックス‘２’が指示されたＤＣＩフォーマット４として設定され得る。なお、ＳＲＳインディケータのインデックスは、前述したＳＲＳのパラメータセットと関連付けられてもよい。つまり、基地局１０１は、ＳＲＳインディケータのインデックスを選択することによって、所定のパラメータが設定されたＳＲＳを送信することを端末１０２へ指示することができる。
【０１６７】
図１を用いて説明すると、端末１０２は、基地局１０１に対して上りリンク信号を送信する上りリンクサブフレームサブセット（上りリンクサブセット、サブフレームサブセット）とＲＲＨ１０３に対して上りリンク信号を送信する上りリンクサブフレームサブセット（上りリンクサブセット、サブフレームサブセット）が設定される。つまり、端末１０２は、基地局１０１への上りリンク信号の送信タイミングとＲＲＨ１０３への上りリンク信号の送信タイミングを異なるタイミングにすることによって、端末１０２から送信される上りリンク信号が他の端末１０２への干渉元にならないように制御される。ここで、基地局１０１へ上りリンク信号を送信するサブフレームサブセットを第１のサブセット、ＲＲＨ１０３へ上りリンク信号を送信するサブフレームサブセットを第２のサブセットとすると、端末１０２は、上りリンク１０６を第１のサブセットで送信し、上りリンク１０８を第２のサブセットで送信する。端末１０２は、第１のサブセットで上りリンク信号を送信する場合には、第１の測定対象設定と上りリンク電力制御に関するパラメータの設定を用いて、第１のパスロスおよび第１の上りリンク送信電力を計算し、第２のサブセットで上りリンク信号を送信する場合には、第２の測定対象設定と上りリンク電力制御に関するパラメータの設定を用いて、第２のパスロスを計算し、第２の上りリンク送信電力を計算することができる。
【０１６８】
また、基地局１０１は、基地局１０１と端末１０２が通信するタイミングとＲＲＨ１０３と端末１０２が通信するタイミング（サブフレームサブセット）を異なるタイミング（サブフレームサブセット）にし、それぞれのサブセットに対して適切な上りリンク送信電力制御を行なうことによって、上りリンク１０６または上りリンク１０８に対して適切な上りリンク送信電力を端末１０２に設定することができる。
【０１６９】
図１を用いて説明すると、端末１０２は、上りリンクグラントを検出した制御チャネル領域が第１の制御チャネル領域であるか第２の制御チャネル領域であるかによって、上りリンクグラントを検出したタイミングで上りリンク１０６または上りリンク１０８で送信するタイミングを判断することができる。つまり、端末１０２は、サブフレームｎの第１の制御チャネル領域で上りリンクグラントを検出した場合には、サブフレームｎ＋４で第１の上りリンク送信電力で上りリンク信号を基地局１０１へ送信することができる。また、端末１０２は、サブフレームｎ＋１の第２の制御チャネル領域で上りリンクグラントを検出した場合には、サブフレームｎ＋５で第２の上りリンク送信電力で上りリンク信号をＲＲＨ１０３へ送信することができる。
【０１７０】
端末１０２は、第１の制御チャネル領域で上りリンクグラントを検出した場合には、上りリンク１０６に対して第１の上りリンク送信電力で上りリンク信号を送信し、第２の制御チャネル領域で上りリンクグラントを検出した場合には、上りリンク１０８に対して第２の上りリンク送信電力で上りリンク信号を送信することができる。
【０１７１】
また、基地局１０１は、下りリンク１０５および１０７において第１の制御チャネル領域と第２の制御チャネル領域において適切に上りリンクグラントをスケジューリングすることによって、上りリンク１０６または上りリンク１０８に対して適切な上りリンク送信電力を端末１０２に設定することができる。
【０１７２】
このように、端末１０２は、上りリンクグラントを検出する周波数リソースやタイミングによって基地局１０１向けの上りリンク送信とＲＲＨ１０３向けの上りリンク送信を分離することができるため、上りリンク送信電力が大きく異なる端末同士が設定された場合でも互いの端末１０２が他の端末１０２への干渉元にならないように制御することができる。
【０１７３】
このように、端末１０２は、ＳＲＳインディケータが含まれるＤＣＩフォーマットの種類によって基地局１０１向けまたはＲＲＨ１０３向けのＡ−ＳＲＳ送信を行うことができる。また、基地局１０１は、Ａ−ＳＲＳ送信電力が異なる複数の端末１０２を同時に制御することができる。
【０１７４】
（第３の実施形態の変形例１）
次に、第３の実施形態の変形例１について説明する。第３の実施形態の変形例１では、基地局１０１は、上りリンク電力制御に関するパラメータの設定に、パスロスの計算に使用する参照信号（例えばセル固有参照信号または伝送路状況測定用参照信号）および測定対象のリソース（もしくはアンテナポート）を指定することができる。また、パスロスの計算に使用する参照信号は、第１の実施形態または第２の実施形態で示された第１または第２の測定対象設定で示されてもよい。以下にパスロスの計算に使用する参照信号および測定対象のリソースの設定方法の詳細を説明する。
【０１７５】
基地局１０１とＲＲＨ１０３はキャリアアグリゲーションを行っており、上り、下りとも中心周波数の異なるキャリアコンポーネント（Ｃａｒｒｉｅｒ  Ｃｏｍｐｏｎｅｎｔ，ＣＣ，Ｃｅｌｌ、セル）を２つ有して通信を行っているとする。これらを第１のキャリアコンポーネント、第２のキャリアコンポーネントと呼び、基地局１０１およびＲＲＨ１０３はこれらキャリアコンポーネントを使用し、個別の通信および協調通信が可能であるとする。また、基地局１０１は、第１のキャリアコンポーネントをプライマリーセル、第２のキャリアコンポーネントをセカンダリーセルとして設定してもよい。基地局１０１は、プライマリーセルとセカンダリーセルに対して、パスロス参照リソースとしてインデックスなどを用いてパスロスの計算に利用する参照信号のリソースを指定してもよい。ここで、パスロス参照リソースとは、パスロスを計算するために使用する（参照する）参照信号および測定対象のリソース（もしくはアンテナポート）を指し示す情報要素のことであり、第１の実施形態または第２の実施形態にて示された第１の測定対象設定または第２の測定対象設定に設定された測定対象のことである。そこで基地局１０１は、パスロス参照リソースにより上りリンク送信電力の算出に用いるパスロスとその計算に用いる測定対象（参照信号およびアンテナポートインデックスまたは測定インデックス）を関連付けてもよい。またパスロス参照リソースは、第１の実施形態または第２の実施形態で示されたセル固有参照信号のアンテナポートインデックス０または伝送路状況測定用参照信号のＣＳＩ−ＲＳアンテナポート（もしくはＣＳＩ−ＲＳ測定インデックス）であってもよい。さらに具体的に説明するとパスロス参照リソースにより指定されるインデックスが０のときは、セル固有参照信号のアンテナポートインデックス０を示し、その他の値の場合には伝送路状況測定用参照信号のＣＳＩ−ＲＳ測定インデックスやＣＳＩ−ＲＳアンテナポートインデックスに関連付けられてもよい。さらに前述するパスロス参照リソースは図２２で説明したpathlossReference（pathlossReference-r10）と関連付けられてもよい。つまりpathlossReference（pathlossReference-r10）で第２のキャリアコンポーネント（SCell、セカンダリーセル）が指定され、パスロス参照リソースで伝送路状況測定用参照信号のＣＳＩ−ＲＳ測定インデックス１が指定された場合には、第２のキャリアコンポーネントに含まれるＣＳＩ−ＲＳ測定インデックス１に相当するリソースを元にパスロスの計算を行い、上りリンク送信電力を算出してもよい。別の例ではpathlossReference（pathlossReference-r10）で第１のキャリアコンポーネント（PCell、プライマリーセル）が指定され、パスロス参照リソースで伝送路状況測定用参照信号のＣＳＩ−ＲＳ測定インデックス１が指定された場合には、第１のキャリアコンポーネントに含まれるＣＳＩ−ＲＳ測定インデックス１に相当するリソースを元にパスロスを計算し、上りリンク送信電力を算出してもよい。また、端末１０２は検出した上りリンクグラントにキャリアインディケータが含まれている場合には、キャリアインディケータによって示されたキャリア（セル、プライマリーセル、セカンダリーセル、サービングセルインデックス）と関連付けられたパスロス参照リソースを用いてパスロスおよび上りリンク送信電力を算出してもよい。
【０１７６】
以上前述の手順に従うことによって端末１０２は、基地局１０１によって通知されるパスロス参照リソースの通知内容に基づいてパスロスを計算し、そのパスロスと上りリンク電力制御に関するパラメータの設定に基づいて上りリンク送信電力を計算することができる。
【０１７７】
図２４は、パスロス参照リソースの詳細を示す図である。パスロス参照リソースは、（プライマリーセル）端末固有上りリンク電力制御に関するパラメータの設定およびセカンダリーセル端末固有上りリンク電力制御に関するパラメータの設定に追加される情報要素である。また、パスロス参照リソースでは、測定対象設定で設定されるパスロス測定に使用される下りリンク参照信号（測定対象）が指定される。基地局１０１は、端末１０２に対して第１の実施形態または第２の実施形態で示される測定対象設定によって指示される測定対象を、パスロス参照リソースを用いて指定することができる。つまり、基地局１０１は、プライマリーセル（第１のキャリアコンポーネント、ＰＣｅｌｌ）およびセカンダリーセル（第２のキャリアコンポーネント、ＳＣｅｌｌ）に対してパスロス測定に使用する測定リソースを測定対象設定で設定される測定対象から選択することができ、端末１０２はその指示に従って、プライマリーセルおよびセカンダリーセルにおける上りリンク送信電力を計算するためのパスロスの計算を行ない、そのパスロス及び上りリンク電力制御に関するパラメータの設定に基づいてプライマリーセルまたはセカンダリーセルへの上りリンク送信電力を計算することができる。
【０１７８】
別の観点から考えると、例えば、基地局１０１と通信を行う端末１０２を端末Ａ、ＲＲＨ１０３と通信を行う端末１０２を端末Ｂとした場合、端末Ａのダイナミックな上りリンク信号の送信制御をプライマリーセルでのみ行い、また端末Ｂのダイナミックな上りリンク信号の送信制御をセカンダリーセルでのみ行う。つまり、基地局１０１は、端末１０２に基地局１０１向けの上りリンク信号の送信を行わせたい場合には、上りリンクグラントをプライマリーセルに含めて端末１０２へ通知し、端末１０２にＲＲＨ１０３向けの上りリンク信号の送信を行わせたい場合には、セカンダリーセルに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するセル（キャリアコンポーネント、コンポーネントキャリア）によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、プライマリーセルのＴＰＣコマンドの電力補正値を高く設定し、ＲＲＨ１０３向けの上りリンク送信電力を低くしたい場合には、セカンダリーセルのＴＰＣコマンドの電力補正値を低くなるように設定する。基地局１０１は、端末Ａに対しては、プライマリーセルによって上りリンク信号の送信および上りリンク送信電力制御を行い、端末Ｂに対しては、セカンダリーセルによって上りリンク信号の送信および上りリンク送信電力制御を行う。つまり、基地局１０１は、プライマリーセルのＴＰＣコマンド（送信電力制御コマンド）の電力補正値を第１の値に設定し、セカンダリーセルのＴＰＣコマンドの電力補正値を第２の値に設定することによって、端末１０２の上りリンク送信電力制御を行うことができる。この際、第１の値と第２の値は、異なる値に設定されてもよい。また、基地局１０１は、第１の値を第２の値よりも電力補正値が高くなるように設定してもよい。
【０１７９】
図２５は、端末１０２が上りリンクグラントを検出したタイミングによるパスロス参照リソースの詳細を示す図である。基地局１０１は、端末１０２に対して２つ以上のパスロス参照リソース（第１のパスロス参照リソース、第２のパスロス参照リソース）を設定できる。ここで、第２のパスロス参照リソースは、追加変更リストによって随時追加可能なパラメータである。パスロス参照リソースは、測定対象設定で設定される測定対象と関連付けされている。例えば、測定対象には、上りリンクグラント検出サブフレームサブセット（上りリンクグラント検出パターン）が設定されており、上りリンクグラント検出パターンに含まれる下りリンクサブフレームで上りリンクグラントを検出した場合には、端末１０２は、上りリンクグラント検出サブフレームサブセットと関連付けられた測定対象を用いてパスロスを計算し、そのパスロスに基づいて上りリンク送信電力を計算する。つまり、端末１０２は、パスロス参照リソースが複数（第１のパスロス参照リソースおよび第２のパスロス参照リソース）設定された場合には、上りリンクグラント検出サブフレームサブセットをパスロス参照リソースと関連付ける。さらに具体的に述べると、第１のパスロス参照リソースと第１のサブフレームサブセットを関連付ける。また、第２のパスロス参照リソースと第２のサブフレームサブセットを関連付ける。さらにパスロス参照リソースから、上りリンク送信電力の計算の基となる測定対象設定を選択し、この測定対象設定で指定された測定対象の受信信号電力に基づいて計算したパスロスを基に上りリンク送信電力を計算する。一例では第１のパスロス参照リソースは第１の測定対象設定、つまり、セル固有参照信号のアンテナポート０を指定し、これは基地局１０１から送信されていてもよい。また、第２のパスロス参照リソースは第２の測定対象設定、つまり伝送路状況測定用参照信号のアンテナポート１５を指定し、これはＲＲＨ１０３から送信されていてもよい。従って上りリンクグラントを検出するサブフレームに従って異なる測定対象が参照され、結果として上りリンク信号が第１のサブフレームサブセットで検出された場合は基地局１０１に適した送信電力が設定され、上りリンク信号が第２のサブフレームサブセットで検出された場合はＲＲＨ１０３に適した送信電力が設定されることとなる。すなわち、上りリンクグラントを検出するタイミングで、パスロス計算に使用する測定対象を切り替えて適切な上りリンク送信電力制御を行なうことができる。
【０１８０】
第２のパスロス参照リソースは、パスロス参照リソース追加変更リストから追加可能なパスロス参照リソースのことである。つまり、基地局１０１は、１つのセル（例えば、プライマリーセル）に対して複数のパスロス参照リソースを定義することができる。基地局１０１は、端末１０２に対して同時に複数のパスロス参照リソースに対するパスロスの計算を行なうように指示することができる。また、第２のパスロス参照リソースを追加する場合には、パスロス参照リソース追加変更リストによってパスロス参照リソースＩＤと測定対象を設定し、随時追加することができる。複数のパスロス参照リソースに対してパスロスを計算する必要がなくなった場合には、パスロス参照リソース削除リストによって、不要なパスロス参照リソースを削除することができる。この場合の第２のパスロスの計算方法について例をあげる。第２のパスロス参照リソースはパスロス参照リソース追加変更リストの中に複数の第１もしくは第２の測定対象設定、つまり例えば伝送路状況測定用参照信号のアンテナポート１５、１６など指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り第２のパスロスとしてもよい。また２つのパスロスを線形処理したのち第２のパスロスとしてもよい。また上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり、伝送路状況測定用参照信号のアンテナポート１５、１６など指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。
【０１８１】
また、第１および第２のパスロス参照リソースに含まれる、測定対象は、第１の実施形態または第２の実施形態で示されたセル固有参照信号のアンテナポート０またはＣＳＩ−ＲＳアンテナポートインデックス（ＣＳＩ−ＲＳ測定インデックス）であってもよい。
【０１８２】
また、測定対象には、上りリンクグラント検出パターンが含まれてもよい。また、上りリンクグラント検出パターンは、図１４の測定オブジェクト中の測定オブジェクトＥＵＴＲＡに含まれる測定サブフレームパターン(MeasSubframePattern-r10)が利用されてもよい。
【０１８３】
また、ここでは、測定対象と上りリンクグラント検出パターンを関連付けたが、別の例として測定対象には、上りリンクグラント検出パターンを含まず、測定対象と測定レポートの送信タイミングを関連付けてもよい。つまり、端末１０２は、測定対象の測定結果を基地局１０１へ通知するサブフレームパターンと関連付けても良く、そのサブフレームパターンと関連付けられた下りリンクサブフレームで上りリンクグラントを検出した場合に、その測定対象でパスロスを計算し、上りリンク送信電力を計算することができる。
【０１８４】
ここでは、プライマリーセル端末固有上りリンク電力制御に関するパラメータの設定に追加された場合に対して説明したが、セカンダリーセルでも同様の設定を追加することは可能である。ただし、セカンダリーセルの場合、パスロス参照（pathlossReference-r10）が設定されており、プライマリーセルかセカンダリーセルのいずれかに含まれた参照信号に基づいてパスロスの計算を行なう。つまり、プライマリーセルが選択された場合には、プライマリーセル端末固有上りリンク電力制御に関するパラメータの設定のパスロス参照リソースに基づいてパスロスの計算が行われる。また、セカンダリーセルが選択された場合には、セカンダリーセル端末固有上りリンク電力制御に関するパラメータの設定のパスロス参照リソースに基づいてパスロスの計算が行われる。さらに前述するパスロス参照リソースはパスロス参照（pathlossReference-r10）と関連付けられてもよい。つまり、パスロス参照（pathlossReference-r10）で第２のキャリアコンポーネント（SCell、セカンダリーセル）が指定され、パスロス参照リソースで伝送路状況測定用参照信号のＣＳＩ−ＲＳ測定インデックス１が指定された場合には、第２のキャリアコンポーネントに含まれるＣＳＩ−ＲＳ測定インデックス１に相当するリソースを元にパスロスの計算を行い、上りリンク送信電力を算出してもよい。また、別の例ではパスロス参照（pathlossReference-r10）において第１のキャリアコンポーネント（PCell、プライマリーセル）が指定され、パスロス参照リソースにおいて伝送路状況測定用参照信号のＣＳＩ−ＲＳ測定インデックス１が指定された場合には、第１のキャリアコンポーネントに含まれるＣＳＩ−ＲＳ測定インデックス１に相当するリソースを元にパスロスの計算を行い、上りリンク送信電力を算出してもよい。
【０１８５】
別の観点から考えると、例えば、基地局１０１と通信を行う端末１０２を端末Ａ、ＲＲＨ１０３と通信を行う端末１０２を端末Ｂとした場合、端末Ａのダイナミックな上りリンク信号の送信制御を第１のサブフレームサブセットでのみ行い、また端末Ｂのダイナミックな上りリンク信号の送信制御を第２のサブフレームサブセットでのみ行う。つまり、基地局１０１は、端末１０２に基地局１０１向けの上りリンク信号の送信を行わせたい場合には、上りリンクグラントを第１のサブフレームサブセットに含めて端末１０２へ通知し、端末１０２にＲＲＨ１０３向けの上りリンク信号の送信を行わせたい場合には、第２のサブフレームサブセットに含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知するサブフレームサブセットによって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１のサブフレームサブセットのＴＰＣコマンドの電力補正値を高く設定し、ＲＲＨ１０３向けの上りリンク送信電力を低くしたい場合には、第２のサブフレームサブセットのＴＰＣコマンドの電力補正値を低くなるように設定する。基地局１０１は、端末Ａに対しては、第１のサブフレームサブセットによって上りリンク信号の送信および上りリンク送信電力制御を行い、端末Ｂに対しては、第２のサブフレームサブセットによって上りリンク信号の送信および上りリンク送信電力制御を行う。つまり、基地局１０１は、第１のサブフレームサブセットに含まれるＴＰＣコマンド（送信電力制御コマンド）の電力補正値を第１の値に設定し、第２のサブフレームサブセットに含まれるＴＰＣコマンドの電力補正値を第２の値に設定することによって、端末１０２の上りリンク送信電力制御を行うことができる。この際、第１の値と第２の値は、異なる値に設定されてもよい。また、基地局１０１は、第１の値を第２の値よりも電力補正値が高くなるように設定してもよい。
【０１８６】
図２６は、端末１０２が上りリンクグラントを検出する制御チャネル領域によるパスロス参照リソースの詳細を示す図である。図２５同様、基地局１０１は、端末１０２に対して２つ以上のパスロス参照リソース（第１のパスロス参照リソース、第２のパスロス参照リソース）を設定できる。ここで、第２のパスロス参照リソースは、追加変更リストによって随時追加可能なパラメータである。パスロス参照リソースは、測定対象設定で設定される測定対象と関連付けされている。例えば、測定対象には、上りリンクグラント検出領域（第１の制御チャネル領域、第２の制御チャネル領域）が設定されており、上りリンクグラント検出領域に含まれる下りリンク制御チャネル領域で上りリンクグラントを検出した場合には、端末１０２は、上りリンクグラント検出領域と関連付けられた測定対象を用いてパスロスを計算し、そのパスロスに基づいて上りリンク送信電力を計算する。つまり、端末１０２は、パスロス参照リソースが複数（第１のパスロス参照リソースおよび第２のパスロス参照リソース）設定された場合には、上りリンクグラント検出領域をパスロス参照リソースと関連付ける。さらに具体的に述べると、第１のパスロス参照リソースと第１の制御チャネル領域を関連付ける。また、第２のパスロス参照リソースと第２の制御チャネル領域を関連付ける。さらに、パスロス参照リソースから、上りリンク送信電力の計算の基となる測定対象設定を選択し、この測定対象設定で指定された測定対象の受信信号電力に基づいて計算したパスロスを基に上りリンク送信電力を計算する。これにより、端末１０２は、上りリンクグラントを検出した領域によって、測定対象に応じて計算された上りリンク送信電力で上りリンク信号を送信することができる。さらに、複数の第２の測定対象設定が第２のパスロス参照リソースと関連付けられた場合の第２のパスロスの計算方法について例をあげる。第２のパスロス参照リソースはパスロス参照リソース追加変更リストの中に複数の第１もしくは第２の測定対象設定、例えば、伝送路状況測定用参照信号のアンテナポート１５、１６などを指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り、第２のパスロスとしてもよい。また、２つのパスロスを線形処理したのち第２のパスロスとしてもよい。また、上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり、伝送路状況測定用参照信号のアンテナポート１５、１６などを指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。
【０１８７】
また、パスロス測定リソースは、第１の実施形態または第２の実施形態で示されたセル固有参照信号アンテナポート０またはＣＳＩ−ＲＳアンテナポートインデックス（ＣＳＩ−ＲＳ測定インデックス）であってもよい。
【０１８８】
別の観点から考えると、例えば基地局１０１と通信を行う端末１０２を端末Ａ、ＲＲＨ１０３と通信を行う端末１０２を端末Ｂとした場合、端末Ａのダイナミックな上りリンク信号の送信制御を第１の制御チャネル（ＰＤＣＣＨ）領域でのみ行い、また端末Ｂのダイナミックな上りリンク信号の送信制御を第２の制御チャネル（Ｘ−ＰＤＣＣＨ）領域でのみ行う。つまり、基地局１０１は、端末１０２に基地局１０１向けの上りリンク信号の送信を行わせたい場合には、上りリンクグラントを第１の制御チャネル領域に含めて端末１０２へ通知し、端末１０２にＲＲＨ１０３向けの上りリンク信号の送信を行わせたい場合には、第２の制御チャネル領域に含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知する制御チャネル領域によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１の制御チャネル領域のＴＰＣコマンドの電力補正値を高く設定し、ＲＲＨ１０３向けの上りリンク送信電力を低くしたい場合には、第２の制御チャネル領域のＴＰＣコマンドの電力補正値を低くなるように設定する。例えば、ＴＰＣコマンドに複数の値（第１の値、第２の値など）が設定されている場合、基地局１０１は、通信状況に応じて、第１のサブフレームサブセットのＴＰＣコマンドの電力補正値に第１の値を選択し、第２のサブフレームサブセットのＴＰＣコマンドの電力補正値に第２の値を選択するように制御してもよい。基地局１０１は、端末Ａに対しては、第１の制御チャネル領域によって上りリンク信号の送信および上りリンク送信電力制御を行い、端末Ｂに対しては、第２の制御チャネルによって上りリンク信号の送信および上りリンク送信電力制御を行う。つまり、基地局１０１は、第１のサブフレームサブセットのＴＰＣコマンド（送信電力制御コマンド）の電力補正値を第１の値に設定し、第２のサブフレームサブセットのＴＰＣコマンドの電力補正値を第２の値に設定することによって、端末１０２の上りリンク送信電力制御を行うことができる。この際、基地局１０１は、第１の値と第２の値を異なる値に設定してもよい。基地局１０１は、第１の値を第２の値よりも電力補正値が高くなるように設定してもよい。
【０１８９】
また、アピリオディックＳＲＳ（Ａ−ＳＲＳ）においては、複数のＤＣＩフォーマット（ここでは一例として、第１および第２のＤＣＩフォーマット）と複数のパスロス参照リソース（ここでは一例として、第１および第２のパスロス参照リソース）とを関連付けてもよい。つまり、端末１０２は、第１のＤＣＩフォーマットにおいてＡ−ＳＲＳの送信要求が指示されたＳＲＳインディケータを検出した場合、第１のパスロス参照リソースを用いて第１のパスロスを計算し、第１のパスロスを基に、第１のＡ−ＳＲＳ送信電力を計算し、第２のＤＣＩフォーマットにおいてＡ−ＳＲＳの送信要求が指示されたＳＲＳインディケータを検出した場合、第２のパスロス参照リソースを用いて第２のパスロスを計算し、第２のパスロスを基に、第２のＡ−ＳＲＳ送信電力を計算し、前述するＡ−ＳＲＳ送信電力においてＡ−ＳＲＳを送信する。なお、パスロス参照リソースと測定対象設定で設定された測定対象は予め関連付けられてもよい。また、ＤＣＩフォーマットとパスロス参照リソースは予め関連付けられてもよい。これらの関連付けられた情報は、システム情報で報知されてもよい。また、これらの関連付けられた情報は、ＲＲＣ信号で端末１０２毎に通知されてもよい。また、これらの関連付けられた情報は、ＲＲＣメッセージで端末１０２毎に通知されてもよい。また、第１および第２のＤＣＩフォーマットとで同じまたは異なるパスロス参照リソースの切り替えを示す情報は、ＲＲＣ信号で端末１０２毎に通知されてもよい。つまり、前述する切り替えを示す情報によって、第１および第２のＤＣＩフォーマットとパスロス参照リソースとを関連付けることもできる。
【０１９０】
また、第３の実施形態の変形例１では、基地局１０１は、パスロス参照リソースを設定した上りリンク電力制御に関するパラメータの設定を含む無線リソース制御信号を端末１０２へ通知し、上りリンクグラントを端末１０２へ通知する。また、端末１０２は、無線リソース制御信号に含まれる情報に従って、パスロス参照リソースおよび上りリンク電力制御に関するパラメータの設定に基づいてパスロスおよび上りリンク送信電力を計算し、上りリンク送信電力において上りリンク信号を基地局１０１へ送信する。
【０１９１】
また、第３の実施形態の変形例１では、基地局１０１は、第１および第２のパスロス参照リソースを設定した上りリンク電力制御に関するパラメータの設定を含む無線リソース制御信号を端末１０２へ通知する。また、端末１０２は、第１のパスロス参照リソースに基づいて第１のパスロスを計算し、第２のパスロス参照リソースに基づいて第２のパスロスを計算し、第１または第２のパスロスと上りリンク電力制御に関するパラメータの設定に基づいて上りリンク送信電力を計算する。
【０１９２】
また、第３の実施形態の変形例１では、基地局１０１は、プライマリーセルおよびセカンダリーセル固有のパスロス参照リソースを設定した上りリンク電力制御に関するパラメータの設定を含む無線リソース制御信号を端末１０２へ通知し、上りリンクグラントを端末１０２へ通知する。また、端末１０２は、プライマリーセルおよびセカンダリーセル固有のパスロス参照リソースが設定された上りリンク電力制御に関するパラメータの設定を含む無線リソース制御信号を受信し、プライマリーセルにおいて上りリンクグラントを検出した場合には、プライマリーセル端末固有上りリンク電力制御に関するパラメータの設定に含まれたパスロス参照リソースと前記上りリンク電力制御に関するパラメータの設定に基づいてパスロスおよび上りリンク送信電力を計算し、セカンダリーセルにおいて上りリンクグラントを検出した場合には、セカンダリ−セル端末固有上りリンク電力制御に関するパラメータの設定に含まれたパスロス参照リソースと上りリンク電力制御に関するパラメータの設定に基づいてパスロスおよび上りリンク送信電力を計算し、上りリンクグラントを検出したセルに対して計算して得られた上りリンク送信電力において上りリンク信号を基地局１０１へ送信する。
【０１９３】
また、第３の実施形態の変形例１では、基地局１０１は、第１および第２のパスロス参照リソースを設定した上りリンク電力制御に関するパラメータの設定を含む無線リソース制御信号を端末１０２へ通知し、上りリンクグラントを端末１０２へ通知する。また、端末１０２は、無線リソース制御信号に含まれる情報に従って、第１のサブフレームサブセットに含まれる下りリンクサブフレームにおいて上りリンクグラントを検出した場合には、第１のパスロス参照リソースと上りリンク電力制御に関するパラメータの設定に基づいてパスロスおよび上りリンク送信電力を計算し、第２のサブフレームサブセットに含まれる下りリンクサブフレームにおいて前記上りリンクグラントを検出した場合には、第２のパスロス参照リソースと前記上りリンク電力制御に関するパラメータの設定に基づいてパスロスおよび上りリンク送信電力を計算し、サブフレームサブセットに含まれる上りリンクサブフレームおよび上りリンク送信電力において上りリンク信号を基地局１０１へ送信する。
【０１９４】
また、第３の実施形態の変形例１では、端末１０２は、第１の制御チャネル領域において上りリンクグラントを検出した場合には、第１のパスロス参照リソースと上りリンク電力制御に関するパラメータの設定に基づいて第１のパスロスおよび第１の上りリンク送信電力を計算し、第２の制御チャネル領域において上りリンクグラントを検出した場合には、第２のパスロス参照リソースと上りリンク電力制御に関するパラメータの設定に基づいて第２のパスロスおよび第２の上りリンク送信電力を計算し、上りリンクグラントを検出したタイミングに応じて第１または第２の上りリンク送信電力において上りリンク信号を基地局１０１へ送信する。
【０１９５】
図１を用いてさらに具体的に説明すると、端末１０２は、パスロス参照リソースが複数（第１のパスロス参照リソースおよび第２のパスロス参照リソース）設定された場合には、上りリンクグラントが検出される制御チャネル領域をパスロス参照リソースと関連付ける。さらに具体的に述べると、第１のパスロス参照リソースと第１の制御チャネル領域を関連付ける。また、第２のパスロス参照リソースと第２の制御チャネル領域を関連付ける。さらにパスロス参照リソースから、上りリンク送信電力の計算の基となる測定対象設定を選択し、この測定対象設定で指定された測定対象の受信信号電力に基づいて計算したパスロスを基に上りリンク送信電力を計算する。一例では、第１のパスロス参照リソースは第１の測定対象設定、つまり、セル固有参照信号のアンテナポート０を指定し、これは基地局１０１から送信されていてもよい、また第２のパスロス参照リソースは第２の測定対象設定、つまり、伝送路状況測定用参照信号のアンテナポート１５を指定し、これはＲＲＨ１０３から送信されていてもよい。従って上りリンクグラントを検出する制御チャネル領域に従って異なる測定対象が参照され、結果として上りリンク信号が第１の制御チャネル領域で検出された場合は基地局１０１に適した送信電力が設定され、上りリンク信号が第２の制御チャネル領域で検出された場合はＲＲＨ１０３に適した送信電力が設定されることとなる。すなわち、上りリンクグラントを検出する制御チャネル領域に応じて、パスロス計算に使用する測定対象を切り替えて適切な上りリンク送信電力制御を行なうことができる。また制御チャネル領域に応じて異なる測定対象を参照することで、前述したサブフレームパターンを基地局１０１から端末１０２に通知する必要もなくなる。
【０１９６】
また別の例では、基地局１０１またはＲＲＨ１０３に対して適切な上りリンク送信電力制御を行なうために、基地局１０１は、端末１０２に対して種々の上りリンク電力制御に関するパラメータ設定の再設定を行なうことができる。前述した通り基地局１０１は、基地局１０１またはＲＲＨ１０３への送信に適切な上りリンク送信電力制御を行なうためには、第１の測定対象設定によるパスロス測定か第２の測定対象設定によるパスロス測定かを切り替える必要がある。しかしながら、端末１０２が数十から数百サブフレームのオーダーで基地局またはＲＲＨのいずれか一方にのみ通信を行い、その切り替えは準静的に行われる場合、上記測定対象設定（第１の測定対象設定、第２の測定対象設定）と上記パスロス参照リソースに関するパラメータの設定を更新することで、適切な上りリンク送信電力制御を行なうことができる。つまり、図２５や図２６記載の第１のパスロス参照リソースのみを設定し、適切な設定を行えば、基地局１０１もしくはＲＲＨ１０３へ適切な送信電力を設定することが可能となる。
【０１９７】
（第３の実施形態の変形例２）
また、第３の実施形態の変形例２では、端末１０２は、複数の上りリンク電力制御に関するパラメータの設定が設定され、各々の上りリンク電力制御に関するパラメータの設定を用いて種々の上りリンク信号（ＰＵＳＣＨ、ＰＵＣＣＨ、ＳＲＳ）の上りリンク送信電力（PPUSCH, PPUCCH, PSRS）を計算することができる。
【０１９８】
第３の実施形態の変形例２では、基地局１０１は、複数の上りリンク電力制御に関するパラメータの設定（例えば、第１の上りリンク電力制御に関するパラメータの設定および第２の上りリンク電力制御に関するパラメータの設定）を設定し、端末１０２へ通知する。端末１０２は、通知された情報に従って、第１の上りリンク電力制御に関するパラメータの設定に基づいてパスロスを計算し、そのパスロスと第１の上りリンク電力制御に関するパラメータの設定に基づいて上りリンク送信電力を計算する。また、端末１０２は、第２の上りリンク電力制御に関するパラメータの設定に基づいてパスロスを計算し、そのパスロスと第２の上りリンク電力制御に関するパラメータの設定に基づいて上りリンク送信電力を計算する。ここで、第１の上りリンク電力制御に関するパラメータの設定に基づいて計算される上りリンク送信電力を第１の上りリンク送信電力、第２の上りリンク電力制御に関するパラメータの設定に基づいて計算される上りリンク送信電力を第２の上りリンク送信電力とする。
【０１９９】
端末１０２は、上りリンクグラントを検出した周波数リソースやタイミングによって、第１の上りリンク送信電力において上りリンク信号を送信するのか第２の上りリンク送信電力において上りリンク信号を送信するのかを制御する。
【０２００】
基地局１０１は、第１の上りリンク電力制御に関するパラメータの設定と第２の上りリンク電力制御に関するパラメータの設定それぞれに含まれる情報要素を個別に設定してもよい。例えば、図２７から図３０を用いて具体的に説明すると、図２７は、本願の本実施形態における第２の上りリンク電力制御に関するパラメータの設定の一例を示す図である。第２の上リンク電力制御に関するパラメータの設定は、第２の（プライマリー）セル固有上りリンク電力制御に関するパラメータの設定−ｒ１１と第２のセカンダリーセル固有上りリンク電力制御に関するパラメータの設定−ｒ１１と第２の（プライマリーセル）端末固有上りリンク電力制御に関するパラメータの設定−ｒ１１と第２のセカンダリーセル端末固有上りリンク電力制御に関するパラメータの設定−ｒ１１から構成される。なお、第１の上りリンク電力制御に関するパラメータの設定は、図２２および図２４に示されたものと同様である。また、本願の本実施形態においては、第１の（プライマリー）セル固有上りリンク電力制御に関するパラメータの設定−ｒ１１と第１のセカンダリーセル固有上りリンク電力制御に関するパラメータの設定−ｒ１１と第１の（プライマリーセル）端末固有上りリンク電力制御に関するパラメータの設定−ｒ１１と第１のセカンダリーセル端末固有上りリンク電力制御に関するパラメータの設定−ｒ１１が含まれ得る。
【０２０１】
図２８は、各無線リソース設定に含まれる第１の上りリンク電力制御に関するパラメータの設定と第２の上りリンク電力制御に関するパラメータの設定の一例を示す図である。（プライマリー）セル固有無線リソース設定には、第１の（プライマリー）セル固有上りリンク電力制御に関するパラメータの設定と第２の（プライマリー）セル固有上りリンク電力制御に関するパラメータの設定−ｒ１１が含まれている。さらには、（プライマリー）セル固有上りリンク電力制御に関するパラメータの設定−ｒ１１が含まれ得る。また、セカンダリーセル固有無線リソース設定には、第１のセカンダリーセル固有上りリンク電力制御に関するパラメータの設定と第２のセカンダリーセル固有上りリンク電力制御に関するパラメータの設定−ｒ１１が含まれている。さらには、セカンダリ−セル固有上りリンク電力制御に関するパラメータの設定−ｒ１１が含まれ得る。また、（プライマリーセル）端末固有物理設定には、第１の（プライマリーセル）端末固有上りリンク電力制御に関するパラメータの設定と第２の（プライマリーセル）端末固有上りリンク電力制御に関するパラメータの設定−ｒ１１が含まれている。また、セカンダリーセル端末固有物理設定には、第１のセカンダリーセル端末固有上りリンク電力制御に関するパラメータの設定と第２のセカンダリーセル端末固有上りリンク電力制御に関するパラメータの設定−ｒ１１が含まれている。また、（プライマリーセル）端末固有物理設定は、（プライマリーセル）端末固有無線リソース設定（ＲａｄｉｏＲｅｓｏｕｒｃｅＣｏｆｉｇＤｅｄｉｃａｔｅｄ）に含まれる。また、セカンダリーセル端末固有物理設定は、セカンダリーセル端末固有無線リソース設定（ＲａｄｉｏＲｅｓｏｕｒｃｅＣｏｎｆｉｇＤｅｄｉｃａｔｅｄＳＣｅｌｌ−ｒ１０）に含まれる。なお、前述するセル固有無線リソース設定および端末固有無線リソース設定は、第２の実施例で述べたＲＲＣコネクションリコンフィグレーション（ＲＲＣＣｏｎｎｅｃｔｉｏｎＲｅｃｏｎｆｉｇｕｒａｔｉｏｎ）やＲＲＣリエスタブリッシュメント（ＲＲＣＣｏｎｎｅｃｔｉｏｎＲｅｅｓｔａｂｌｉｓｈｍｅｎｔ）に含まれてもよい。なお、前述するセカンダリーセル固有無線リソース設定およびセカンダリーセル端末固有無線リソース設定は、第２の実施例で述べたＳＣｅｌｌ追加変更リストに含まれてもよい。なお、前述するセル固有無線リソース設定および端末固有無線リソース設定は、ＲＲＣ信号を通じて端末１０２毎に設定されてもよい。なお、ＲＲＣコネクションリコンフィグレーションおよびＲＲＣリエスタブリッシュメントは、ＲＲＣメッセージを通じて端末１０２毎に設定されてもよい。ＲＲＣ信号は、専用信号（Dedicated signaling）や上位層信号（higher layer signaling）と呼称される場合もある。
【０２０２】
図２９は、第２のセル固有上りリンク電力制御に関するパラメータの設定の一例を示す図である。第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、図２９に示した情報要素がすべて含まれて設定されてもよい。また、第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、図２９に示した情報要素のうち少なくとも一つの情報要素のみが含まれて設定されてもよい。また、第２の（プライマリー）セル固有上りリンク電力制御に関するパラメータの設定−ｒ１１または第２のセカンダリーセル固有上りリンク電力制御に関するパラメータの設定−ｒ１１に含まれる情報要素は、一つも含まれてなくてもよい。この場合には、基地局１０１は、解放を選択し、その情報を端末１０２へ通知する。また、第２のセル固有上りリンク電力制御に関するパラメータの設定で設定されなかった情報要素は、第１のセル固有上りリンク電力制御に関するパラメータの設定と共通であってもよい。
【０２０３】
図３０は、第１の端末固有上りリンク電力制御に関するパラメータの設定と第２の端末固有上りリンク電力制御に関するパラメータの設定の一例を示す図である。第１のプライマリーセル／セカンダリーセル端末固有上りリンク電力制御に関するパラメータの設定には、パスロス参照リソースが設定される。また、第２のプライマリーセル／セカンダリーセル端末固有上りリンク電力制御に関するパラメータの設定には、図２２で示した情報要素に加え、パスロス参照リソースが設定される。第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、図３０に示した情報要素がすべて含まれて設定されてもよい。また、第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、図３０に示した情報要素のうち少なくとも一つの情報要素のみが含まれて設定されてもよい。また、第２の（プライマリーセル）端末固有上りリンク電力制御に関するパラメータの設定−ｒ１１または第２のセカンダリーセル端末固有上りリンク電力制御に関するパラメータの設定−ｒ１１に含まれる情報要素は、一つも含まれてなくてもよい。この場合には、基地局１０１は、解放を選択し、その情報を端末１０２へ通知する。また、第２の端末固有上りリンク電力制御に関するパラメータの設定で設定されなかった情報要素は、第１の端末固有上りリンク電力制御に関するパラメータの設定と共通であってもよい。つまり、第２の端末固有上りリンク電力制御に関するパラメータの設定においてパスロス参照リソースが設定されなかった場合には、第１の端末固有上りリンク電力制御に関するパラメータの設定において設定されているパスロス参照リソースに基づいてパスロスの計算を行う。
【０２０４】
パスロス参照リソースは、第３の実施形態（図２４）で示したものと同じであってもよい。つまり、パスロス参照リソースを指示する測定対象は、セル固有参照信号アンテナポート０または、ＣＳＩ−ＲＳアンテナポートインデックス（ＣＳＩ−ＲＳ測定インデックス）と関連付けられたインデックスと関連付けられてもよい（図３１）。また、パスロス参照リソースは、図３２または図３３のように示されてもよい。図３２は、パスロス参照リソースの一例（例１）を示す図である。パスロス参照リソースとして複数の測定対象が設定される。端末１０２は、これらの測定対象のうち少なくとも一つを用いてパスロスの計算を行うことができる。図３３は、パスロス参照リソースの別の一例（例２）を示す図である。パスロス参照リソースに追加される測定対象は、追加変更リストによって追加されてもよい。また、測定対象の追加数は、最大測定対象ＩＤによって決定されてもよい。測定対象ＩＤは、測定オブジェクトＩＤによって決定されてもよい。つまり、追加する測定対象数は、測定対象設定数と同じであってもよい。また、削除リストによって、不要になった測定対象を削除することができる。なお上記は第３の実施例および第３の実施例の変形例１にも当てはまる。さらに複数の第１および第２の測定対象設定がパスロス参照リソースと関連付けられた場合のパスロスの計算方法について例をあげる。パスロス参照リソースはパスロス参照リソース追加変更リストの中に複数の第１および第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロスが計算されてもよい。この場合、アンテナポート１５から算出されるパスロスとアンテナポート１６から算出されるパスロスの平均をとり、第２のパスロスとしてもよいし、２つのパスロス値の内大きな方もしくは小さな方を取り第２のパスロスとしてもよい。また２つのパスロスを線形処理したのち第２のパスロスとしてもよい。また上記はセル固有参照信号のアンテナポート０と伝送路状況測定用参照信号のアンテナポート１５でもよい。さらに別の例では、第２のパスロス参照リソースはパスロス参照リソース追加変更リストの中に複数の第２の測定対象設定、つまり伝送路状況測定用参照信号のアンテナポート１５、１６など指定することがある。この場合には伝送路状況測定用参照信号のアンテナポート１５および１６の受信信号電力に基づいて第２のパスロス、第３のパスロスが計算されてもよい。この場合、第１のパスロス、第２のパスロス、第３のパスロスは第１のサブフレームサブセット、第２のサブフレームサブセット、第３のサブフレームサブセットにそれぞれ関連付けられてもよい。また、基地局１０１は、第１のサブフレームサブセット内で通知する上りリンクグラントに含まれるＴＰＣコマンド（送信電力制御コマンド）に対しては、第１の値を設定し、第１のサブフレームサブセット内で通知する上りリンクグラントに含まれるＴＰＣコマンドに対しては、第１の値とは異なる第２の値が設定してもよい。つまり、ＴＰＣコマンド第１の値は、第１のサブフレームサブセットに、ＴＰＣコマンド第２の値は、第２のサブフレームサブセットに関連付けられてもよい。この際、第１の値と第２の値は、異なる値に設定されてもよい。つまり、基地局１０１は、第１の値を第２の値よりも高い値に設定してもよい。ここで、第１の値および第２の値は、ＴＰＣコマンドの電力補正値である。
【０２０５】
一例として下りリンクサブフレームが第１のサブセットおよび第２のサブセットに分けられているものと考える。ところで上りリンクグラントがサブフレームｎ（ｎは自然数）で受信された場合、端末１０２はサブフレームｎ＋４ で上りリンク信号の送信を行うため、おのずと上りリンクサブフレームも第１のサブセットおよび第２のサブセットに分けられているものと考える。第１のサブセットと第１の上りリンク電力制御に関するパラメータの設定を関連付け、第２のサブセットと第２の上りリンク電力制御に関するパラメータの設定を関連付けてもよい。つまり、端末１０２は、第１のサブセットに含まれる下りリンクサブフレームにおいて上りリンクグラントを検出した場合には、第１の上りリンク電力制御に関するパラメータの設定に含まれる種々の情報要素と、第１の上りリンク電力制御に関するパラメータの設定に含まれるパスロス参照リソース（測定対象）に基づいてパスロスを計算し、第１の上りリンク送信電力を計算する。また、端末１０２は、第２のサブセットに含まれる下りリンクサブフレームにおいて上りリンクグラントを検出した場合には、第２の上りリンク電力制御に関するパラメータの設定に含まれる種々の情報要素と、第２の上りリンク電力制御に関するパラメータの設定に含まれるパスロス参照リソース（測定対象）に基づいてパスロスを計算し、第２の上りリンク送信電力を計算する。
【０２０６】
また、一例として上りリンクグラントが含まれる制御チャネル領域と上りリンク電力制御に関するパラメータの設定が関連付けられる。すなわち、基地局１０１は、端末１０２がどの制御チャネル領域（第１の制御チャネル領域、第２の制御チャネル領域）で上りリンクグラントを検出したかによって、上りリンク送信電力を計算するために用いる上りリンク電力制御に関するパラメータの設定を切り替えることができる。つまり、端末１０２は、第１の制御チャネル領域で上りリンクグラントを検出した場合には、第１の上りリンク電力制御に関するパラメータの設定を用いてパスロスを計算し、上りリンク送信電力を計算する。また、第２の制御チャネル領域で上りリンクグラントを検出した場合には、第２の上りリンク電力制御に関するパラメータの設定を用いてパスロスを計算し、上りリンク送信電力を計算する。また、別の例では、下りリンクアサインメントが含まれる制御チャネル領域と上りリンク電力制御に関するパラメータの設定とを関連付けてもよい。なお、上りリンクグラントと下りリンクアサインメントはともにＤＣＩフォーマットの一種である。
【０２０７】
第３の実施形態の変形例２では、基地局１０１は、第１および第２の上りリンク電力制御に関するパラメータの設定を端末１０２へ通知する。一例では端末１０２は、通知された情報に従って、第１の上りリンク電力制御に関するパラメータの設定に基づいてパスロス（第１のパスロス）を計算し、第１のパスロスと第１の上りリンク電力制御に関するパラメータの設定に基づいて第１の上りリンク送信電力を計算する。また、端末１０２は、第２の上りリンク電力制御に関するパラメータの設定に基づいてパスロス（第２のパスロス）を計算し、第２のパスロスと第２の上りリンク電力制御に関するパラメータの設定に基づいて第２の上りリンク送信電力を計算する。つまり、第１の上りリンク送信電力は常に第１の上りリンク電力制御に関するパラメータの設定で通知された測定対象を元に計算され、第２の上りリンク送信電力は常に第２の上りリンク電力制御に関するパラメータの設定で通知された測定対象を元に計算されてもよい。また、端末１０２は、上りリンクグラントを検出した周波数リソースやタイミングによって、前述した第１の上りリンク送信電力において上りリンク信号を送信するのか前述した第２の上りリンク送信電力において上りリンク信号を送信するのかを制御してもよい。また、基地局１０１は、第１のサブフレームサブセット内の下りリンクサブフレームにおいて上りリンクグラントを通知する場合には、ＴＰＣコマンドの値を第１の値に設定し、第２のサブフレームサブセット内の下りリンクサブフレームにおいて上りリンクグラントを通知する場合には、ＴＰＣコマンドの値を第２の値に設定する。例えば、第１の値は、第２の値よりも電力補正値が高くなるように設定されてもよい。また、基地局１０１は、第１のサブフレームサブセット内の上りリンクサブフレームにおいて送信された上りリンク信号を復調し、第２のサブフレームサブセット内の上りリンクサブフレームにおいて送信された上りリンク信号については復調処理を行わないように上りリンク信号の復調処理を行うこともできる。
【０２０８】
このように、第１および第２の上りリンク送信電力は、第１および第２の上りリンク電力制御に関するパラメータの設定と固定的に関連付けられてもよい。
【０２０９】
また、第３の実施形態の変形例２では、基地局１０１は、第１および第２の上りリンク電力制御に関するパラメータの設定を含む無線リソース制御信号を端末１０２へ通知し、上りリンクグラントを端末１０２へ通知する。また、端末１０２は、第１の上りリンク電力制御に関するパラメータの設定に基づいて第１のパスロスおよび第１の上りリンク送信電力を計算し、第２の上りリンク電力制御に関するパラメータの設定に基づいて第２のパスロスおよび第２の上りリンク送信電力を計算し、上りリンクグラントを検出した場合には、第１または第２の上りリンク送信電力において上りリンク信号を送信する。
【０２１０】
複数の上りリンク電力制御に関するパラメータの設定を設定することで、端末１０２は、基地局１０１またはＲＲＨ１０３に対して適切な上りリンク電力制御に関するパラメータの設定を選択することができ、基地局１０１またはＲＲＨ１０３に対して適切な上りリンク送信電力の上りリンク信号を送信することができる。さらに具体的に説明すると、第１および第２の上りリンク電力制御に関するパラメータの設定に含まれる情報要素にうち少なくとも１種類の情報要素を異なる値として設定することができる。例えば、セル内のフラクショナル送信電力制御に用いられる減衰係数であるαを基地局１０１と端末１０２間と、ＲＲＨ１０３と端末１０２間で異なる制御を行いたい場合には、第１の上りリンク電力制御に関するパラメータの設定を基地局１０１向けの送信電力制御、第２の上りリンク電力制御に関するパラメータの設定をＲＲＨ１０３向けの送信電力制御として関連付けることでそれぞれの設定に含まれるαを適切なαとして設定することができる。つまり、基地局１０１と端末１０２間とＲＲＨ１０３と端末１０２間とで異なるフラクショナル送信電力制御を行うことができる。同様にＰＯ＿ＮＯＭＩＮＡＬ＿ＰＵＳＣＨ，ｃやＰＯ＿ＵＥ＿ＰＵＳＣＨ、ｃを第１および第２の上りリンク電力制御に関するパラメータの設定の中で異なる値に設定することにより、基地局１０１と端末１０２間とＲＲＨ１０３と端末１０２間とでＰＵＳＣＨの標準電力を異なる値とすることができる。その他のパラメータに関しても同様のことが行える。つまり、第１および第２の上りリンク電力制御に関するパラメータの設定に含まれる種々のパラメータは、それぞれ異なる値を設定することができる。また、第２の上りリンク電力制御に関するパラメータの設定に含まれるＰＯ＿ＮＯＭＩＮＡＬ＿ＰＵＳＣＨ，ｃやＰＯ＿ＵＥ＿ＰＵＳＣＨ、ｃなどの種々の電力制御に関するパラメータについて、第１の上りリンク電力制御に関するパラメータの設定に含まれるＰＯ＿ＮＯＭＩＮＡＬ＿ＰＵＳＣＨ，ｃやＰＯ＿ＵＥ＿ＰＵＳＣＨ、ｃなどの種々の電力制御に関するパラメータよりも広い範囲を設定できるようにしてもよい。例えば、第２の上りリンク電力制御に関するパラメータの設定に含まれるＰＯ＿ＵＥ＿ＰＵＳＣＨ、ｃを第１の上りリンク電力制御に関するパラメータの設定に含まれるＰＯ＿ＵＥ＿ＰＵＳＣＨ、ｃよりも高い値および／または低い値に設定できるようにしてもよい。また、第２の上りリンク電力制御に関するパラメータの設定に含まれるＳＲＳの電力オフセットを第１の上りリンク電力制御に関するパラメータの設定に含まれるＳＲＳの電力オフセットよりも高い値および／または低い値に設定できるようにしてもよい。また、第２の上りリンク電力制御に関するパラメータの設定に含まれるＰＯ＿ＵＥ＿ＰＵＣＣＨ、ｃを第１の上りリンク電力制御に関するパラメータの設定に含まれるＰＯ＿ＵＥ＿ＰＵＣＣＨ、ｃよりも高い値および／または低い値に設定できるようにしてもよい。例えば、第１の上りリンク電力制御に関するパラメータの設定に含まれるＰＯ＿ＵＥ＿ＰＵＳＣＨ、ｃが設定可能な電力値の範囲が［−８，７］であったとすると、第２の上りリンク電力制御に関するパラメータの設定に含まれるＰＯ＿ＵＥ＿ＰＵＳＣＨ、ｃが設定可能な電力値の範囲は、［−１５，１０］とすることもできる。また、第１の上りリンク電力制御に関するパラメータの設定に含まれるＰＯ＿ＵＥ＿ＰＵＣＣＨ、ｃが設定可能な電力値の範囲が［−８，７］であったとすると、第２の上りリンク電力制御に関するパラメータの設定に含まれるＰＯ＿ＵＥ＿ＰＵＣＣＨ、ｃが設定可能な電力値の範囲は、［−１５，１０］とすることもできる。また、第１の上りリンク電力制御に関するパラメータの設定に含まれるＳＲＳ電力オフセットが設定可能なオフセットの範囲が［０，１５］であったとすると、第２の上りリンク電力制御に関するパラメータの設定に含まれるＳＲＳ電力オフセットが設定可能なオフセットの範囲は、［−５，２０］とすることもできる。
【０２１１】
また、端末１０２は、受信したＰＤＣＣＨに含まれるＤＣＩフォーマットの種類によって、上りリンク送信電力の計算に使用する上りリンク電力制御に関するパラメータの設定を切り替えることができる。例えば、ＳＲＳインディケータが含まれるＰＤＣＣＨがＤＣＩフォーマット０（第１のＤＣＩフォーマット）である場合には、第１の上りリンク電力制御に関するパラメータの設定において設定されているアピリオディックＳＲＳの電力オフセット（第１のＡ−ＳＲＳ電力オフセット）を用いて、アピリオディックＳＲＳの送信電力を計算し、ＳＲＳインディケータが含まれるＰＤＣＣＨがＤＣＩフォーマット１Ａ（第２のＤＣＩフォーマット）である場合には、第２の上りリンク電力制御に関するパラメータの設定において設定されているアピリオディックＳＲＳの電力オフセット（第２のＡ−ＳＲＳ電力オフセット）を用いて、アピリオディックＳＲＳの送信電力を計算することもできる。つまり、端末１０２は、ＳＲＳインディケータが含まれるＤＣＩフォーマットの種類と上りリンク電力制御に関するパラメータの設定を関連付けてアピリオディックＳＲＳの送信電力を計算することができる。
【０２１２】
ＤＣＩフォーマットの種類によって、異なる上りリンク電力制御に関するパラメータの設定を用いるか否かは、ＲＲＣ信号によって端末１０２毎に通知されてもよい。つまり、第１および第２のＤＣＩフォーマット間で、同じ上りリンク電力制御に関するパラメータの設定を用いるか否かは、ＲＲＣ信号によって通知されてもよい。
【０２１３】
また、図１を用いて説明すると、端末１０２は、上りリンク１０６に対して、第１の上りリンク電力制御に関するパラメータの設定を用いてパスロスおよび上りリンク送信電力を計算し、その送信電力において上りリンク信号を送信するように制御されてもよい。上りリンク１０８に対して、第２の上りリンク電力制御に関するパラメータの設定を用いてパスロスおよび上りリンク送信電力を計算し、その送信電力において上りリンク信号を送信するように制御されてもよい。
【０２１４】
また、変形例１と２を含む上記第３の実施形態において、第１および第２のパスロスは、異なる値が設定されたフィルタ係数によって計算されてもよい。つまり、第１および第２のパスロスはそれぞれ第１および第２のフィルタ係数から計算されてもよい。
【０２１５】
（第４の実施形態）
次に、第４の実施形態について説明する。第４の実施形態では、基地局１０１が、端末１０２に対して基地局１０１またはＲＲＨ１０３との接続処理に必要なパラメータの設定方法について説明する。
【０２１６】
同じキャリアコンポーネント、同じタイミング（上りリンクサブフレーム）で基地局（マクロ基地局）１０１向けの上りリンク送信電力の上りリンク信号の送信とＲＲＨ１０３向けの上りリンク送信電力の上りリンク信号の送信が行われると、符号間干渉、帯域外輻射による干渉、所望ダイナミックレンジの拡大などの問題が生じる。
【０２１７】
基地局１０１は、基地局１０１向けの上りリンク信号の送信とＲＲＨ１０３向けの上りリンク信号の送信を時間方向で分離するように端末１０２を制御する。つまり、基地局１０１は、端末１０２が基地局１０１へ上りリンク信号を送信するタイミングとＲＲＨ１０３へ上りリンク信号を送信するタイミングと、が異なるように各上りリンク信号（ＰＵＳＣＨ、ＰＵＣＣＨ（ＣＱＩ、ＰＭＩ、ＳＲ、ＲＩ、Ａｃｋ／Ｎａｃｋ）、ＵＬ  ＤＭＲＳ、ＳＲＳ、ＰＲＡＣＨ）の送信タイミングを設定する。すなわち、基地局１０１は、各上りリンク信号に対して基地局１０１向けとＲＲＨ１０３向けの送信が重複しないように設定する。なお種々の上りリンク物理チャネルは、前述する各上りリンク信号（ＰＵＳＣＨ、ＰＵＣＣＨ（ＣＱＩ、ＰＭＩ、ＳＲ、ＲＩ、Ａｃｋ／Ｎａｃｋ）、ＵＬ  ＤＭＲＳ、ＳＲＳ、ＰＲＡＣＨ）のうち少なくとも一つ（または１種類）の上りリンク物理チャネル（上りリンク信号）を含んでいる。
【０２１８】
基地局１０１は、基地局１０１向けの上りリンク信号の送信タイミング（上りリンクサブフレーム）のサブセットとＲＲＨ１０３向けの上りリンク信号の送信タイミング（上りリンクサブフレーム）のサブセットを設定し、そのサブセットに応じて各端末をスケジューリングしてもよい。
【０２１９】
また、基地局１０１は、基地局１０１向けに送信される上りリンク信号とＲＲＨ１０３向けに送信される上りリンク信号に設定される送信電力が適切に行われるように、上りリンク電力制御に関するパラメータの設定も基地局１０１向けとＲＲＨ１０３向けとで適切に設定する。つまり、基地局１０１は、端末１０２に対して適切な上りリンク送信電力制御を行うことができる。
【０２２０】
まず、基地局１０１の時間方向における制御について説明する。基地局１０１向けの上りリンクサブフレームサブセットを第１の上りリンクサブセット（第１の上りリンクサブフレームサブセット）、ＲＲＨ１０３向けの上りリンクサブフレームサブセットを第２の上りリンクサブセット（第２の上りリンクサブフレームサブセット）とすると、基地局１０１は、端末１０２が基地局１０１と接続するかＲＲＨ１０３と接続するかによって各上りリンク信号を第１のサブセットか第２のサブセットのいずれかに含まれるように種々のパラメータの値を設定する。
【０２２１】
各上りリンク信号の送信サブフレームと送信周期の設定について説明する。チャネル品質指標（ＣＱＩ：Channel Quality Indicator）とプリコーディングマトリックス指標（ＰＭＩ：Precoding Matrix Indicator）はＣＱＩ−ＰＭＩ設定インデックス（cqi-pmi-ConfigIndex）によって送信サブフレームと送信周期が設定される。また、ランク指標（ＲＩ：Rank Indicator）は、ＲＩ設定インデックスによって送信サブフレームと送信周期が設定される。また、ＳＲＳ（Sounding Reference Signal）は、セル固有ＳＲＳサブフレーム設定（srs-SubframeConfig）でセル固有のＳＲＳ送信サブフレーム（送信サブフレームと送信周期）が設定され、端末固有ＳＲＳ設定インデックス（srs-ConfigIndex）によって、セル固有のＳＲＳ送信サブフレームのサブセットである端末固有のＳＲＳ送信サブフレームが設定される。ＰＲＡＣＨは、ＰＲＡＣＨ設定インデックス（prach-ConfigIndex）によって送信サブフレームが設定される。また、ＳＲ（Scheduling Request）は、ＳＲ設定（sr-ConfigIndex）によって、送信タイミングが設定される。
【０２２２】
ＣＱＩ−ＰＭＩ設定インデックスとＲＩ設定インデックスは、ＣＱＩレポート設定（CQI-ReportConfig）に含まれているＣＱＩレポートピリオディック（CQI-ReportPeriodic）にて設定される。また、ＣＱＩレポート設定は、物理設定Ｄｅｄｉｃａｔｅｄに含まれている。
【０２２３】
セル固有ＳＲＳサブフレーム設定は、セル固有サウンディングＵＬ設定（SoundingRS-UL-ConfigCommon）で設定され、端末固有ＳＲＳ設定インデックスは、端末固有サウンディングＵＬ設定（SoundingRS-UL-ConfigDedicated）で設定される。セル固有サウンディングＵＬ設定は、セル固有無線リソース設定ＳＩＢおよびセル固有無線リソース設定に含まれる。端末固有サウンディングＵＬ設定は、端末固有無線リソース設定に含まれる。
【０２２４】
ＰＲＡＣＨ設定インデックスは、ＰＲＡＣＨ設定情報（PRACH-ConfigInfo）で設定される。ＰＲＡＣＨ設定情報は、ＰＲＡＣＨ設定ＳＩＢ（PRACH-ConfigSIB）およびＰＲＡＣＨ設定（PRACH-Config）に含まれる。ＰＲＡＣＨ設定ＳＩＢは、セル固有無線リソース設定ＳＩＢに含まれ、ＰＲＡＣＨ設定は、セル固有無線リソース設定に含まれる。
【０２２５】
ＳＲ設定インデックスは、スケジューリングリクエスト設定（SchedulingRequestConfig）に含まれている。スケジューリングリクエスト設定は、物理設定Ｄｅｄｉｃａｔｅｄに含まれている。
【０２２６】
また、ＰＵＳＣＨやアピリオディックＣＳＩ（Channel State Information）、アピリオディックＳＲＳは、上りリンクグラントを検出した下りリンクサブフレームと関連付けられた上りリンクサブフレームで送信されるため、上りリンクグラントを通知するタイミングを制御することによって、基地局１０１は端末１０２に対して第１の上りリンクサブフレームサブセットで送信するか第２の上りリンクサブフレームサブセットで送信するかを制御することができる。ここで、アピリオディックＣＳＩ（Ａ−ＣＳＩ：Aperiodic CSI）は、ＣＳＩインディケータ（ＣＳＩリクエスト）によって送信要求があった場合に送信されるＣＳＩのことである。また、ＣＳＩインディケータは、２ビットで示される情報と関連付けられている。例えば、ＣＳＩインディケータが‘００’の場合には、ＣＳＩを送信しない。ＣＳＩインディケータが‘０１’の場合には、サービングセルｃのＣＳＩを送信する。ＣＳＩインディケータが‘１０’の場合には、第１のセルグループ（セルセット）のＣＳＩを送信する。ＣＳＩインディケータが‘１１’の場合には、第２のセルグループ（セルセット）のＣＳＩを送信する。また、ＣＳＩインディケータが０〜３のインデックスで表されるとすると、インデックス０（第１の値）の場合には、ＣＳＩを送信しない。インデックス１（第２の値）の場合には、サービングセルｃのＣＳＩを送信する。インデックス２（第３の値）の場合には、第１のセルグループ（セルセット）のＣＳＩを送信する。インデックス３（第４の値）の場合には、第２のセルグループ（セルセット）のＣＳＩを送信する。
【０２２７】
基地局１０１は、各上りリンク信号の送信タイミングに関するインデックスを第１の上りリンクサブセットまたは、第２の上りリンクサブセットに含まれるように設定することで、基地局１０１向けの上りリンク信号とＲＲＨ１０３向けの上りリンク信号が互いに干渉元にならないように端末の上りリンク送信制御を行うことができる。
【０２２８】
また、各上りリンク信号のリソース割り当て、送信タイミング、送信電力制御は、セカンダリーセルに対しても設定可能である。具体的に述べると、セル／端末固有ＳＲＳ設定がセカンダリーセル固有に設定される。また、ＰＵＳＣＨの送信タイミングや送信リソースは、上りリンクグラントによって指示される。
【０２２９】
第３の実施形態でも示したように、上りリンク送信電力制御に関するパラメータの設定については、セカンダリーセル固有に設定可能である。
【０２３０】
ＰＲＡＣＨの送信電力の制御について説明する。ＰＲＡＣＨは、プリアンブル初期受信目標電力（preambleInitialReceivedTargetPower）によって、ＰＲＡＣＨの初期送信電力が計算される。基地局１０１と端末１０２間でランダムアクセスが失敗した場合には、送信電力を一定量増加して送信する電力ランピングステップ（powerRampingStep）が設定される。また、電力を増加して送信した物理ランダムアクセスチャネル（ＰＲＡＣＨ：Physical Random Access Channel）によるランダムアクセスが失敗し続け、端末１０２の最大送信電力またはＰＲＡＣＨの最大送信回数を超えた場合には、端末１０２はランダムアクセスが失敗したと判断し、ランダムアクセス問題（ＲＡＰ：Random Access Problem）が生じたことを上位層へ通知する。上位層にランダムアクセス問題が通知された場合には、無線リソース障害（ＲＬＦ：Radio Link Failure）が生じたと判断する。
【０２３１】
セル固有無線リソース設定には、端末１０２の最大送信電力を表すＰ＿ＭＡＸが含まれる。また、セカンダリーセル固有無線リソース設定にもＰ＿ＭＡＸが含まれる。基地局１０１は、プライマリーセルまたはセカンダリーセル固有に端末１０２の最大送信電力を設定することができる。
【０２３２】
また、ＰＵＳＣＨ、ＰＵＣＣＨ、ＳＲＳの上りリンク送信電力については、第３の実施形態で示した通りである。
【０２３３】
一例として、基地局１０１は、システム情報で通知されるセル固有／端末固有無線リソース設定および物理設定Ｄｅｄｉｃａｔｅｄに含まれるＰＵＳＣＨ／ＰＵＣＣＨ／ＳＲＳ／ＰＲＡＣＨの時間軸上の設定（インデックス）は、まず、第１の上りリンクサブフレームサブセットに含まれるように設定する。ＲＲＣ接続確立後、基地局１０１とＲＲＨ１０３とで端末１０２毎にチャネル測定等を行うことによって端末１０２がどちら（基地局１０１、ＲＲＨ１０３）に近いのかを把握する。基地局１０１は、測定した端末１０２がＲＲＨ１０３よりも基地局１０１の方に近い、と判断した場合には、特に設定を変えず、測定した端末１０２が基地局１０１よりもＲＲＨ１０３の方に近い、と判断した場合には、ＲＲＨ１０３との接続に適した再設定情報（例えば、送信電力制御情報、送信タイミング情報）をその端末１０２へ通知する。ここで、送信電力制御情報は、各上りリンク信号に対する送信電力制御の総称である。例えば、上りリンク電力制御に関するパラメータの設定に含まれる種々の情報要素やＴＰＣコマンドが送信電力制御情報に含まれる。また、送信タイミング情報は、各上りリンク信号に対する送信タイミングを設定するための情報の総称である。例えば、送信タイミング情報は、送信タイミングに関する制御情報（ＳＲＳサブフレーム設定やＣＱＩ−ＰＭＩ設定インデックスなど）が含まれている。
【０２３４】
基地局１０１向けまたはＲＲＨ１０３向けの上りリンク信号の送信制御（上りリンク送信タイミング制御）について説明する。基地局１０１は、各端末の測定結果によって端末１０２が基地局１０１に近いのかＲＲＨ１０３に近いのか判断する。測定結果（測定レポート）によって、基地局１０１は、端末１０２がＲＲＨ１０３よりも基地局１０１の方に近い、と判断した場合には、第１の上りリンクサブフレームサブセットに含まれるように各上りリンク信号の送信タイミング情報を設定し、送信電力情報を基地局１０１向けに適した値に設定する。この際、基地局１０１は、端末１０２に対して特に再設定のための情報を通知しない場合もある。つまり、初期設定のまま、特に更新しない場合もある。また、基地局１０１は、端末１０２が基地局１０１よりもＲＲＨ１０３の方に近い、と判断した場合には、第２の上りリンクサブフレームサブセットに含まれるように各上りリンク信号の送信タイミング情報を設定し、送信電力情報をＲＲＨ１０３向けに適した値に設定する。すなわち、基地局１０１は、送信タイミングを変えることで、基地局１０１向けの上りリンク信号とＲＲＨ１０３向けの上りリンク信号を制御し、互いの信号が干渉しないように端末１０２を制御することができる。ここで、基地局１０１と通信を行う端末１０２を端末Ａ、ＲＲＨ１０３と通信を行う端末１０２を端末Ｂとする。基地局１０１は、端末Ｂに対しては、端末Ａと送信タイミングが同じにならないように送信タイミングが含まれる種々の設定インデックスを設定することができる。例えば、端末固有のＳＲＳサブフレーム設定を端末Ａと端末Ｂで異なる値に設定してもよい。
【０２３５】
また、第３の実施形態で示したように、基地局１０１は、第１の上りリンクサブフレームサブセットと第２の上りリンクサブフレームサブセットに対してそれぞれ測定対象を関連付けることができる。
【０２３６】
上記の手順を、より具体的に説明する。基地局１０１および／またはＲＲＨ１０３は、ＰＲＡＣＨの時間軸上の設定として第１の上りリンクサブフレームサブセット内のサブフレームを指定する報知情報を報知する。初期アクセス前の端末１０２あるいはＲＲＣアイドル状態の端末１０２は、取得された報知情報に基づいて、第１の上りリンクサブフレームサブセット内のいずれかのサブフレームにおけるＰＲＡＣＨリソースを用いて初期アクセスを試る。このとき、ＰＲＡＣＨの送信電力は、基地局１０１あるいは基地局１０１とＲＲＨ１０３とが送信するＣＲＳを参照して設定される。そのため、比較的高い送信電力となり、ＰＲＡＣＨは基地局１０１に到達する。
【０２３７】
ランダムアクセス手続きによるＲＲＣ接続確立後あるいはＲＲＣ接続確立手順中に、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが設定される。ここで、これらのリソースは、すべて第１の上りリンクサブフレームサブセット内のサブフレームにおけるリソースが設定される。また、基地局１０１は、第１の上りリンクサブフレームサブセット内のサブフレームにおけるＰＵＳＣＨや、第１の上りリンクサブフレームサブセット内のサブフレームにおけるＰＵＣＣＨでＡｃｋ／Ｎａｃｋを送信するようなＰＤＳＣＨを端末１０２にスケジューリングする（割り当てる）。このとき、ＰＵＳＣＨやＰＵＣＣＨやＳＲＳの送信電力は、基地局１０１あるいは基地局１０１とＲＲＨ１０３とが送信するＣＲＳを参照して設定される。そのため、比較的高い送信電力となり、ＰＵＳＣＨやＰＵＣＣＨやＳＲＳは基地局１０１に到達する。このように、比較的高い送信電力（基地局１０１と端末１０２との間の損失を補償するような送信電力）で上りリンク送信を行う端末１０２は、第１の上りリンクサブフレームサブセット内のサブフレームのみを用いる。なお、周期的ＣＳＩ（Ｐ−ＣＳＩ：Periodic CSI）には、ＣＱＩ，ＰＭＩ，ＲＩのうち少なくとも一つが含まれる。
【０２３８】
次に基地局１０１は、端末１０２が基地局１０１に向けて上りリンク信号を送信すべきであるか、あるいはＲＲＨ１０３に向けて上りリンク信号を送信すべきであるかを判定（判断）する。言い換えると、端末１０２が基地局１０１と端末１０２との間の損失を補償するような送信電力で送信すべきであるか、ＲＲＨ１０３と端末１０２との間の損失を補償するような送信電力で送信すべきであるかを判定する。この判定基準としては、上記で説明したように、端末１０２の位置が基地局１０１とＲＲＨ１０３のいずれに近いかを、測定結果から算出してもよいし、他の判定基準を用いることもできる。例えば、端末１０２が第１の上りリンクサブフレームサブセット内のサブフレームで送信したＳＲＳなどの信号をＲＲＨ１０３が受信し、受信信号の電力に基づいて判定することもできる。基地局１０１が、端末１０２が基地局１０１に向けて上りリンク信号を送信すべきと判定した場合、第１の上りリンクサブフレームサブセット内のサブフレームのみを用いた上りリンク通信を継続する。
【０２３９】
基地局１０１が、端末１０２がＲＲＨ１０３に向けて上りリンク信号を送信すべきと判定した場合、これらのリソースにおいて、比較的低い送信電力（ＲＲＨ１０３と端末１０２との間の損失を補償するような送信電力）で上りリンク送信を行うように、上りリンク電力制御に関するパラメータが設定される。ここで、送信電力を低くする設定としては、上記各実施形態で説明した方法を用いることができる。あるいは、閉ループ送信電力制御を繰り返して徐々に電力を低くする方法や、ハンドオーバ手続きによってシステム情報内のＣＲＳ電力値や伝送路損失補償係数αの設定を更新する方法など、他の方法を用いることもできる。
【０２４０】
また、基地局１０１が、端末１０２がＲＲＨ１０３に向けて上りリンク信号を送信すべきと判定した場合、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが再設定される。ここで、これらのリソースは、すべて第２の上りリンクサブフレームサブセット内のサブフレームにおけるリソースが設定される。また、ハンドオーバ手続き（モビリティ制御手続き）によって、システム情報内のＰＲＡＣＨリソースの設定を更新する。ここで、ＰＲＡＣＨリソースは、すべて第２の上りリンクサブフレームサブセット内のサブフレームにおけるリソースが設定される。また、基地局１０１は、第２の上りリンクサブフレームサブセット内のサブフレームにおけるＰＵＳＣＨや、第２の上りリンクサブフレームサブセット内のサブフレームにおけるＰＵＣＣＨでＡｃｋ／Ｎａｃｋを送信するようなＰＤＳＣＨを端末１０２にスケジューリングする（割り当てる）。このように、比較的低い送信電力（ＲＲＨ１０３と端末１０２との間の損失を補償するような送信電力）で上りリンク送信を行う端末１０２は、第２の上りリンクサブフレームサブセット内のサブフレームのみを用いる。
【０２４１】
以上のように、比較的高い送信電力（基地局１０１と端末１０２との間の損失を補償するような送信電力）で上りリンク送信を行う端末１０２は、第１の上りリンクサブフレームサブセット内のサブフレームを用い、比較的低い送信電力（ＲＲＨ１０３と端末１０２との間の損失を補償するような送信電力）で上りリンク送信を行う端末１０２は、第２の上りリンクサブフレームサブセット内のサブフレームのみを用いる。これにより、基地局１０１が受信するサブフレームとＲＲＨ１０３が受信するサブフレームとを時間軸上で分離することができる。そのため、受信電力が大きい信号と小さい信号とを同時に受信処理する必要が無くなるため、干渉を抑制することができる。また、基地局１０１あるいはＲＲＨ１０３における所要ダイナミックレンジを狭くすることができる。
【０２４２】
ここで、キャリアアグリゲーション時の基地局１０１向けまたはＲＲＨ１０３向けの上りリンク信号の送信制御（上りリンク送信リソース制御）について説明する。基地局１０１は、端末１０２に対して２つのキャリアコンポーネント（第１のキャリアコンポーネント、第２のキャリアコンポーネント）を設定し、第１のキャリアコンポーネントをプライマリーセル、第２のキャリアコンポーネントをセカンダリーセルとして設定した場合を想定する。測定結果によって、基地局１０１は、端末１０２がＲＲＨ１０３よりも基地局１０１の方に近い（端末Ａ）、と判断した場合、セカンダリーセルをデアクティベーションに設定する。つまり、端末Ａは、セカンダリーセルを使用せず、プライマリーセルでのみ使用して通信を行う。また、基地局１０１は、端末１０２が基地局１０１よりもＲＲＨ１０３の方に近い（端末Ｂ）、と判断した場合には、セカンダリーセルをアクティベーションにする。つまり、端末Ｂは、プライマリーセルだけでなく、セカンダリーセルも使用して基地局１０１およびＲＲＨ１０３と通信を行う。基地局１０１は、端末Ｂのセカンダリーセルの設定に対してＲＲＨ１０３向けの送信に適したリソース割り当て、送信電力制御を設定する。つまり、基地局１０１は、端末Ｂに対してセカンダリーセルのパスロス測定はＲＲＨ１０３から送信されることを想定してパスロス計算および上りリンク送信電力を計算するように制御する。ただし、端末Ｂがセカンダリーセルを介して送信する上りリンク信号は、ＰＵＳＣＨ、ＰＵＳＣＨ復調用ＵＬ  ＤＭＲＳ、ＳＲＳである。ＰＵＣＣＨ（ＣＱＩ、ＰＭＩ、ＲＩ）、ＰＵＣＣＨ復調用ＵＬ  ＤＭＲＳ、ＰＲＡＣＨは、プライマリーセルを介して送信される。例えば、端末Ｂが上位層によってＰＵＳＣＨとＰＵＣＣＨの同時送信が許可された場合、プライマリーセルでＰＵＣＣＨを送信し、セカンダリーセルでＰＵＳＣＨを送信するように制御される。この際、端末Ｂは、基地局１０１によってプライマリーセルへの送信電力を基地局１０１向けに制御され、セカンダリーセルへの送信電力をＲＲＨ１０３向けに制御される。また、端末Ａが上位層によってＰＵＳＣＨとＰＵＣＣＨの同時送信が許可された場合、ＰＵＳＣＨとＰＵＣＣＨともにプライマリーセルを介して送信するように基地局１０１によって制御される。すなわち、基地局１０１は、送信リソースを変えることで、基地局１０１向けの上りリンク信号とＲＲＨ１０３向けの上りリンク信号を制御し、互いの信号が干渉しないように端末１０２を制御することができる。
【０２４３】
また、基地局１０１は、端末Ｂに対しては、ハンドオーバを利用することで、第１のキャリアコンポーネントをセカンダリーセル、第２のキャリアコンポーネントをプライマリーセルとして再設定することができる。この際、端末Ｂは、上述の端末Ａと同様の処理を行う。つまり、端末Ｂは、セカンダリーセルをデアクティベーションする。つまり、端末Ｂは、セカンダリーセルを使用せず、プライマリーセルを介してのみＲＲＨ１０３と通信を行う。この際、端末Ｂは、プライマリーセルを介して、すべての上りリンク信号を送信するように制御される。また、この際の上りリンク送信電力は、すべてＲＲＨ１０３向けの上りリンク送信電力制御が行われる。すなわち、ＰＵＳＣＨ、ＰＵＣＣＨ、ＰＲＡＣＨ、ＳＲＳがＲＲＨ１０３向けの送信電力に再設定される。この際の再設定情報は、ＲＲＣコネクションリコンフィグレーションに含まれる。
【０２４４】
また、基地局１０１は、キャリアコンポーネントまたはセルに対して上りリンク送信電力によるアクセス（送信）制限（ac-BarringFactor）を設けることで、第２のキャリアコンポーネントを介して高い送信電力で通信が行われないように端末を制御することができる。
【０２４５】
また、第３の実施形態で示したように、基地局１０１は、第１のキャリアコンポーネントと第２のキャリアコンポーネントまたは、プライマリーセルとセカンダリーセルに対してそれぞれ測定対象を関連付けることができる。
【０２４６】
上記の手順を、異なる観点から説明する。基地局１０１とＲＲＨ１０３は、２つの下りリンクキャリアコンポーネント（コンポーネントキャリア）および２つの上りリンクキャリアコンポーネント（コンポーネントキャリア）の部分集合となるキャリアコンポーネントの組み合わせを用いて通信を行う。基地局１０１および／またはＲＲＨ１０３は、第２の下りリンクキャリアコンポーネントにおいて、初期アクセスを制限する（初期アクセスさせないような）報知情報を報知する。一方、第１の下りリンクキャリアコンポーネントにおいては、初期アクセスを可能とするような報知情報を報知する（初期アクセスを制限するような報知情報を報知しない）。初期アクセス前の端末あるいはＲＲＣアイドル状態の端末１０２は、取得された報知情報に基づいて、第２の上りリンクキャリアコンポーネントではなく、第１の上りリンクキャリアコンポーネントにおけるＰＲＡＣＨリソースを用いて初期アクセスを試る。このとき、ＰＲＡＣＨの送信電力は、第１の下りリンクキャリアコンポーネントにおいて基地局１０１あるいは基地局１０１とＲＲＨ１０３とが送信するＣＲＳを参照して設定される。そのため、比較的高い送信電力となり、ＰＲＡＣＨは基地局１０１に到達する。
【０２４７】
ランダムアクセス手続きによるＲＲＣ接続確立後あるいはＲＲＣ接続確立手順中に、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが設定される。ここで、これらのリソースは、第１の上りリンクキャリアコンポーネントにおけるリソース、すなわちプライマリーセル（ＰＣｅｌｌ：第１の下りリンクキャリアコンポーネントと第１の上りリンクキャリアコンポーネントとを有するセル）におけるリソースが設定される。また、基地局１０１は、第１の上りリンクキャリアコンポーネントにおけるＰＵＳＣＨ端末１０２にスケジューリングする（割り当てる）。さらに、端末１０２は、第１の下りリンクキャリアコンポーネントにおけるＰＤＳＣＨに対するＡｃｋ／Ｎａｃｋを、第１の上りリンクキャリアコンポーネントにおけるＰＵＣＣＨを用いて送信する。このとき、ＰＵＳＣＨやＰＵＣＣＨやＳＲＳの送信電力は、ＰＣｅｌｌにおいて基地局１０１あるいは基地局１０１とＲＲＨ１０３とが送信するＣＲＳを参照して設定される。そのため、比較的高い送信電力となり、ＰＵＳＣＨやＰＵＣＣＨやＳＲＳは基地局１０１に到達する。
【０２４８】
キャリアアグリゲーションを行う場合は、第２の下りリンクキャリアコンポーネントを有する（上りリンクキャリアコンポーネントを有しない）セルとしてセカンダリセル（ＳＣｅｌｌ）を設定する。ＳＣｅｌｌにおける周期的ＣＳＩやＡｃｋ／Ｎａｃｋ用の準静的に割り当てられるＰＵＣＣＨリソースは、第１の上りリンクキャリアコンポーネントにおけるリソース、すなわちＰＣｅｌｌにおけるリソースが設定される。また、端末１０２は、第２の下りリンクキャリアコンポーネント（ＳＣｅｌｌ）におけるＰＤＳＣＨに対するＡｃｋ／Ｎａｃｋを、第１の上りリンクキャリアコンポーネント（ＰＣｅｌｌ）におけるＰＵＣＣＨを用いて送信する。このとき、ＰＵＳＣＨやＰＵＣＣＨやＳＲＳの送信電力は、ＰＣｅｌｌにおいて基地局１０１あるいは基地局１０１とＲＲＨ１０３とが送信するＣＲＳを参照して設定される。そのため、比較的高い送信電力となり、ＰＵＳＣＨやＰＵＣＣＨやＳＲＳは基地局１０１に到達する。このように、キャリアアグリゲーションを行うか否かによらず、比較的高い送信電力（基地局１０１と端末１０２との間の損失を補償するような送信電力）で上りリンク送信を行う端末１０２は、第１の上りリンクキャリアコンポーネントのみを用いる。
【０２４９】
次に、基地局１０１は、端末１０２が基地局１０１に向けて上りリンク信号を送信すべきであるか、あるいはＲＲＨ１０３に向けて上りリンク信号を送信すべきであるかを判定する。言い換えると、端末１０２が基地局１０１と端末１０２との間の損失を補償するような送信電力で送信すべきであるか、ＲＲＨ１０３と端末１０２との間の損失を補償するような送信電力で送信すべきであるかを判定する。この判定基準としては、上記で説明した方法を用いることができる。基地局１０１が、端末１０２が基地局１０１に向けて上りリンク信号を送信すべきと判定した場合、第１の上りリンクキャリアコンポーネントのみを用いた上りリンク通信、すなわち第１の下りリンクキャリアコンポーネントと第１の上りリンクキャリアコンポーネントとを有するセルをＰＣｅｌｌとした通信を継続する。
【０２５０】
基地局１０１が、端末１０２がＲＲＨ１０３に向けて上りリンク信号を送信すべきと判定した場合、ハンドオーバ手続きによってＰＣｅｌｌを変更する。すなわち、第１の下りリンクキャリアコンポーネントと第１の上りリンクキャリアコンポーネントとを有するＰＣｅｌｌから、第２の下りリンクキャリアコンポーネントと第２の上りリンクキャリアコンポーネントとを有するＰＣｅｌｌに変更する。このハンドオーバ手続の中で、ハンドオーバ後に比較的低い送信電力（ＲＲＨ１０３と端末１０２との間の損失を補償するような送信電力）で上りリンク送信を行うように、上りリンク電力制御に関するパラメータが設定される。例えば、システム情報内のＣＲＳ電力値や伝送路損失補償係数αや上りリンク送信電力の初期値の設定を更新する方法など、他の方法を用いることもできる。また、初期アクセスを制限しないようなシステム情報を設定する。
【０２５１】
また、ＰＣｅｌｌが変更された場合、第２の上りリンクキャリアコンポーネントにおけるランダムアクセス手続きが行われ、ＲＲＣ接続が確立される。このランダムアクセス手続きによるＲＲＣ接続確立後あるいはＲＲＣ接続確立手順中に、周期的ＣＳＩやＡｃｋ／Ｎａｃｋ用の準静的に割り当てられるＰＵＣＣＨリソースと、準静的に割り当てられるＳＲＳリソースと、準静的に割り当てられるＳＲ用のＰＵＣＣＨリソースとが再設定される。ここで、これらのリソースは、すべて第２の上りリンクキャリアコンポーネントにおけるリソースが設定される。基地局１０１は、第２の上りリンクキャリアコンポーネントにおけるＰＵＳＣＨや、第２の上りリンクキャリアコンポーネントにおけるＰＵＣＣＨでＡｃｋ／Ｎａｃｋを送信するようなＰＤＳＣＨを端末１０２にスケジューリングする（割り当てる）。このとき、ＰＵＳＣＨやＰＵＣＣＨやＳＲＳの送信電力は、比較的低い送信電力（ＲＲＨ１０３と端末１０２との間の損失を補償するような送信電力）となるように、上りリンク電力制御に関するパラメータが設定される。
【０２５２】
キャリアアグリゲーションを行う場合は、第１の下りリンクキャリアコンポーネントを有する（上りリンクキャリアコンポーネントを有しない）セルとしてＳＣｅｌｌを設定する。ＳＣｅｌｌにおける周期的ＣＳＩやＡｃｋ／Ｎａｃｋ用の準静的に割り当てられるＰＵＣＣＨリソースは、第２の上りリンクキャリアコンポーネントにおけるリソース、すなわちＰＣｅｌｌにおけるリソースが設定される。また、端末１０２は、ＳＣｅｌｌにおけるＰＤＳＣＨに対するＡｃｋ／Ｎａｃｋを、第２の上りリンクキャリアコンポーネントにおけるＰＵＣＣＨを用いて送信する。このとき、ＰＵＣＣＨの送信電力は、比較的低い送信電力（ＲＲＨ１０３と端末１０２との間の損失を補償するような送信電力）となるように、上りリンク電力制御に関するパラメータが設定される。このように、キャリアアグリゲーションを行うか否かによらず、比較的低い送信電力（ＲＲＨ１０３と端末１０２との間の損失を補償するような送信電力）で上りリンク送信を行う端末１０２は、第２の上りリンクキャリアコンポーネントのみを用いる。
【０２５３】
以上のように、比較的高い送信電力（基地局１０１と端末１０２との間の損失を補償するような送信電力）で上りリンク送信を行う端末１０２は、第１の上りリンクキャリアコンポーネントを用い、比較的低い送信電力（ＲＲＨ１０３と端末１０２との間の損失を補償するような送信電力）で上りリンク送信を行う端末１０２は、第２の上りリンクキャリアコンポーネントのみを用いる。これにより、基地局１０１が受信するサブフレームとＲＲＨ１０３が受信するサブフレームとを周波数軸上で分離することができる。そのため、受信電力が大きい信号と小さい信号とを同時に受信処理する必要が無くなるため、干渉を抑制することができる。また、基地局１０１あるいはＲＲＨ１０３における所要ダイナミックレンジを狭くすることができる。
【０２５４】
ここで、上りリンクグラントが含まれる制御チャネル（ＰＤＣＣＨ）領域による基地局１０１向けまたはＲＲＨ１０３向けの上りリンク信号の送信制御（上りリンク送信電力制御）について説明する。基地局１０１は、測定結果からある端末（端末Ａ）が基地局１０１に近いと判断した場合、端末Ａのダイナミックな上りリンク信号の送信制御を第１の制御チャネル（ＰＤＣＣＨ）領域でのみ行う。また、基地局１０１は、測定結果からある端末（端末Ｂ）がＲＲＨ１０３に近いと判断した場合、端末Ｂのダイナミックな上りリンク信号の送信制御を第２の制御チャネル（Ｘ−ＰＤＣＣＨ）領域でのみ行う。つまり、基地局１０１は、端末１０２に基地局１０１向けの上りリンク信号の送信を行わせたい場合には、上りリンクグラントを第１の制御チャネル領域に含めて端末１０２へ通知し、端末１０２にＲＲＨ１０３向けの上りリンク信号の送信を行わせたい場合には、第２の制御チャネル領域に含めて端末１０２へ通知する。さらに、基地局１０１は、上りリンクグラントに含まれる上りリンク信号の送信電力制御の補正値であるＴＰＣコマンドを利用することで、基地局１０１向けまたはＲＲＨ１０３向けの上りリンク信号の送信電力制御を行うことができる。基地局１０１は、上りリンクグラントを通知する制御チャネル領域によって上りリンクグラントに含まれるＴＰＣコマンドの値を基地局１０１向けまたはＲＲＨ１０３向けに設定する。すなわち、基地局１０１は、基地局１０１向けの上りリンク送信電力を高くしたい場合には、第１の制御チャネル領域のＴＰＣコマンドの電力補正値を高く設定し、ＲＲＨ１０３向けの上りリンク送信電力を低くしたい場合には、第２の制御チャネル領域のＴＰＣコマンドの電力補正値を低くなるように設定する。基地局１０１は、端末Ａに対しては、第１の制御チャネル領域によって上りリンク信号の送信および上りリンク送信電力制御を行い、端末Ｂに対しては、第２の制御チャネルによって上りリンク信号の送信および上りリンク送信電力制御を行う。つまり、基地局１０１は、基地局１０１向けのＴＰＣコマンド（送信電力制御コマンド）を第１の値に設定し、ＲＲＨ１０３向けのＴＰＣコマンド（送信電力制御コマンド）を第２の値に設定することによって、端末１０２の上りリンク送信電力制御を行うことができる。基地局１０１は、第１の値を第２の値よりも電力補正値が高くなるように設定してもよい。
【０２５５】
また、第３の実施形態で示したように、基地局１０１は、第１の制御チャネル領域と第２の制御チャネル領域に対してそれぞれ測定対象を関連付けることができる。
【０２５６】
また、第４の実施形態では、基地局１０１は、システム情報に含まれる物理ランダムアクセスチャネルの送信タイミング情報を第１のサブフレームサブセット内のサブフレームに設定し、種々の上りリンク物理チャネルの送信タイミング情報を第１のサブフレームサブセット内のサブフレームに設定し、一部の端末１０２に対して無線リソース制御情報の再設定を行う場合に、無線リソース制御信号に含まれる物理ランダムアクセスチャネルの送信タイミング情報を、第１のサブフレームサブセットとは異なる第２のサブフレームサブセット内のサブフレームに設定するとともに、種々の上りリンク物理チャネルの送信タイミング情報を第２のサブフレームサブセット内のサブフレームに設定する。
【０２５７】
さらに、基地局１０１は、第１のサブフレームサブセットに関連付けて、種々の上りリンク信号の送信電力制御情報を第１の送信電力制御情報として設定し、一部の端末１０２に対して無線リソース制御情報の再設定を行う場合に、第２のサブフレームサブセットに関連付けて、種々の上りリンク信号の送信電力制御情報を第２の送信電力制御情報として設定する。
【０２５８】
さらに、基地局１０１は、第１のサブフレームサブセットにおいて上りリンク信号を送信させる端末１０２に対しては、第１の送信電力制御情報を設定し、第２のサブフレームサブセットにおいて上りリンク信号を送信させる端末１０２に対しては、第２の送信電力制御情報を設定する。
【０２５９】
また、第４の実施形態では、基地局１０１は、第１の下りリンクキャリアコンポーネントおよび第２の下りリンクキャリアコンポーネントを介して信号を送信し、プライマリーセルとして第１の下りリンクキャリアコンポーネントが設定された端末１０２に対しては、第１の送信電力制御情報をプライマリーセル固有の送信電力制御情報として設定し、プライマリーセルとして第２の下りリンクキャリアコンポーネントが設定された端末１０２に対しては、第２の送信電力制御情報をプライマリーセル固有の送信電力制御情報として設定する。
【０２６０】
さらに、基地局１０１は、第１の上りリンクキャリアコンポーネントおよび第２の上りリンクキャリアコンポーネントを介して信号を受信し、第１の上りリンクキャリアコンポーネントを介して通信を行う端末１０２に対しては、第１の送信電力制御情報を設定し、第２の上りリンクキャリアコンポーネントを介して通信を行う端末１０２に対しては、第２の送信電力制御情報を設定する。
【０２６１】
基地局１０１は、基地局１０１とアクセス（通信、接続）する端末１０２と、ＲＲＨ１０３とアクセスする端末１０２を時間、周波数、上りリンクグラントを含む制御チャネル領域によって各端末１０２に対して上りリンク信号の送信を制御することで適切な送信タイミング制御、適切な無線リソース制御、適切な上りリンク送信電力制御を行うことができる。また、基地局１０１は、受信した上りリンク信号の時間、周波数リソースによって自装置宛に送信された信号であるかを判定し、受信信号を復調するか否かを判定することもできる。また、ＲＲＨ１０３は、受信した上りリンク信号の時間、周波数リソースによって自装置宛に送信された信号であるかを判定し、受信信号を復調するか否かを判定することもできる。例えば、プライマリーセルである第１の上りリンクキャリアコンポートネントを介して上りリンク信号を受信した場合には、自装置宛の信号であると判定し、受信した上りリンク信号の復調処理を行うが、セカンダリ−セルである第２の上りリンクキャリアコンポートネントを介して上りリンク信号を受信した場合には、自装置宛の信号ではないと判定し、受信した上りリンク信号の復調処理を行わないように制御することもできる。また、第１のサブフレームサブセット内の上りリンクサブフレームで上りリンク信号を受信した場合には、自装置宛の信号であると判定し、受信した上りリンク信号の復調処理を行うが、第２のサブフレームサブセット内の上りリンクサブフレームで上りリンク信号を受信した場合には、自装置宛の信号ではないと判定し、受信した上りリンク信号の復調処理を行わないように制御することもできる。また、ＲＲＨ１０３についても同様の処理を行うことができ、プライマリーセルである第１の上りリンクキャリアコンポートネントを介して上りリンク信号を受信した場合には、自装置宛の信号ではないと判定し、受信した上りリンク信号の復調処理を行わないが、セカンダリ−セルである第２の上りリンクキャリアコンポートネントを介して上りリンク信号を受信した場合には、自装置宛の信号であると判定し、受信した上りリンク信号の復調処理を行うように制御することもできる。また、第１のサブフレームサブセット内の上りリンクサブフレームで上りリンク信号を受信した場合には、自装置宛の信号ではないと判定し、受信した上りリンク信号の復調処理を行わないが、第２のサブフレームサブセット内の上りリンクサブフレームで上りリンク信号を受信した場合には、自装置宛の信号であると判定し、受信した上りリンク信号の復調処理を行うように制御することもできる。
【０２６２】
基地局１０１は、システム情報に含まれる上りリンク信号に関する送信電力制御情報および送信タイミング情報はすべて、基地局１０１に対して適切な設定になるように種々のパラメータを設定する。初期接続確立（ＲＲＣコネクションエスタブリッシュメント）後、基地局１０１と端末１０２が通信を行っていく中で、チャネル測定などの結果によって、基地局１０１は、端末１０２が基地局１０１に近いかＲＲＨ１０３に近いかを判断する。基地局１０１は、端末１０２が基地局１０１の方に近い、と判断した場合には、特に設定情報を通知しない、もしくは、より基地局１０１との通信に適した送信電力制御情報、送信タイミング制御情報、送信リソース制御情報を設定し、ＲＲＣコネクションリコンフィグレーションを通じて端末１０２へ通知する。また、基地局１０１は、端末１０２がＲＲＨ１０３に近いと判断した場合には、ＲＲＨ１０３との通信により適した送信電力制御情報、送信タイミング制御情報、送信リソース制御情報を設定し、ＲＲＣコネクションリコンフィグレーションを通じて端末１０２へ通知する。
【０２６３】
（第５の実施形態）
次に、第５の実施形態について説明する。第５の実施形態では、基地局１０１は、複数（２つ以上）の上りリンク電力制御に関するパラメータの設定（例えば、第１および第２の上りリンク電力制御に関するパラメータの設定）を含むＲＲＣ信号を端末１０２へ通知し、上りリンク信号の送信指示を含むＤＣＩフォーマットを端末１０２へ通知する。端末１０２は、ＤＣＩフォーマットを受信し、ＤＣＩフォーマットの種類を判定し、受信したＤＣＩフォーマットが第１のＤＣＩフォーマットの場合には、第１の上りリンク電力制御に関するパラメータの設定に基づいてパスロスおよび上りリンク信号の送信電力を計算し、受信したＤＣＩフォーマットが第２のＤＣＩフォーマットの場合には、第２の上りリンク電力制御に関するパラメータの設定に基づいてパスロスおよび上りリンク信号の送信電力を計算し、上りリンク送信電力において上りリンク信号を送信する。ここで、第１のＤＣＩフォーマットが上りリンクグラント、第２のＤＣＩフォーマットが下りリンクアサインメントであってもよい。また、第１のＤＣＩフォーマットが下りリンクアサインメント、第２のＤＣＩフォーマットが上りリンクグラントであってもよい。つまり、第１と第２のＤＣＩフォーマットは異なる種類のＤＣＩフォーマットであればよい。例えば、第１のＤＣＩフォーマットはＤＣＩフォーマット０、第２のＤＣＩフォーマットはＤＣIフォーマット１Ａであればよい。また、第１のＤＣＩフォーマットはＤＣＩフォーマット４、第２のＤＣＩフォーマットはＤＣＩフォーマット２Ｂ／２Ｃであってもよい。
【０２６４】
また、第１と第２のＤＣＩフォーマットは、同じ種類のＤＣＩフォーマット（例えば、ＤＣＩフォーマット０）であっても、ＤＣＩフォーマットに含まれる種々の制御情報（制御フィールド）のうち少なくとも一つの制御情報に対して異なる値が設定されていれば、第１および第２のＤＣＩフォーマットとみなすことができる。例えば、ＤＣＩフォーマット０には、ＴＰＣコマンドに関する制御情報が含まれているが、そのＴＰＣコマンドの値（インデックス）の違いによって、第１と第２のＤＣＩフォーマットを区別してもよい。ここでは、ＴＰＣコマンドについて一例を挙げたが他の制御情報であってもよい。例えば、ＤＣＩフォーマット０には、ＵＬ  ＤＭＲＳのサイクリックシフトを指示する情報が含まれる。ＵＬ  ＤＭＲＳのサイクリックシフトを指示する情報が異なれば、第１と第２のＤＣＩフォーマットとして区別してもよい。例えば、ＵＬ  ＤＭＲＳのサイクリックシフトを指示する情報が第１の値であれば、第１のＤＣＩフォーマット、ＵＬ  ＤＭＲＳのサイクリックシフトを指示する情報が第２の値であれば、第２のＤＣＩフォーマットとして区別してもよい。
【０２６５】
また、ＤＣＩフォーマットに複数の上りリンク電力制御に関するパラメータの設定の切り替えを示す情報フィールド（または情報ビット）が設定されてもよい。つまり、その切り替えを示す情報によって、例えば、２つの上りリンク電力制御に関するパラメータの設定を切り替えることができる。ここで、基地局１０１は、この２つの上りリンク電力制御に関するパラメータの設定を異なる用途のために設定することができる。ＤＣＩフォーマットで端末１０２の上りリンク電力制御を行うことで、よりダイナミックなスケジューリングを行うことができる。例えば、ＲＲＨ１０３とだけ通信を行う場合と、基地局１０１とＲＲＨ１０３で構成される協調通信を行う場合では適切な上りリンク送信電力制御は異なる。基地局１０１は、より適切なスケジューリングを行うために、ＤＣＩフォーマットにおいて上りリンク電力制御をダイナミックに行うことができる。ＳＲＳのようなチャネル測定用の参照信号においては、参照ポイント毎に適切な送信電力で送信されることが望ましい。
【０２６６】
基地局１０１は、複数の上りリンク電力制御に関するパラメータの設定を１つの端末１０２に対して設定することで、複数の基地局（基地局１、基地局２、基地局３、…）または複数のＲＲＨ（ＲＲＨ１、ＲＲＨ２、ＲＲＨ３、…）に対して適切な上りリンク送信電力を選択することができ、複数の基地局１０１（または複数のＲＲＨ１０３）間で接続している他の端末への干渉を抑制することができる。つまり、基地局１０１（またはＲＲＨ１０３）は、端末１０２に近い方（パスロスが小さい方）を上りリンクの受信点（Uplink Reception Point）として基地局１０１またはＲＲＨ１０３を選択することができ、受信点である基地局１０１またはＲＲＨ１０３は、近い方の上りリンク送信電力制御に適したパラメータを端末１０２に対して設定することができる。例えば、近い方の基地局（ＲＲＨ）とは、計算したパスロスが小さいパスロス参照リソースを送信した基地局１０１（ＲＲＨ１０３）のことであり、遠い方の基地局とは、計算したパスロスが大きいパスロス参照リソースを送信した基地局１０１（ＲＲＨ１０３）のことである。端末１０２は、パスロス参照リソースの違いによって基地局１０１とＲＲＨ１０３（複数の下りリンク送信点および上りリンク受信点、複数の参照ポイント）を識別することができる。
【０２６７】
また、基地局１０１は、ＲＲＣ信号を介して通知した複数の上りリンク電力制御に関するパラメータの設定（ここでは、第１および第２の上りリンク電力制御に関するパラメータの設定）をＤＣＩフォーマットの種類に応じてその切り替えを端末１０２に指示することができる。基地局１０１は、端末１０２が接続しているセル（基地局１０１やＲＲＨ１０３）で設定された種々のパラメータによって、適切な上りリンク送信電力制御を行うことができる。つまり、複数の受信点（ここでは、基地局１０１とＲＲＨ１０３）と接続している端末１０２は、受信点（参照ポイント）毎に適切な上りリンク送信電力制御を行うことによって最適なスループットを得ることができる。上りリンク送信電力の切り替え（上りリンク送信電力制御）をダイナミックに行えることによって受信点（参照ポイント）が密集した地域であっても他の受信点への干渉および他の受信点と接続している端末１０２への干渉を軽減することができる。つまり、同じ周波数リソースを用いて通信している端末への干渉を抑制することができる。
【０２６８】
例えば、第１および第２の上りリンク電力制御に関するパラメータの設定が設定される場合、基地局１０１は、ＤＣＩフォーマットにそれらの切り替えを示す情報が追加されるようにＲＲＣ信号で端末１０２に通知してもよい。
【０２６９】
端末１０２が基地局１０１に接続している場合には、上りリンク物理チャネル（上りリンク信号）が基地局１０１向けに設定された第１の上りリンク電力制御に関するパラメータの設定を用いて上りリンク送信電力を計算する。また、端末１０２がＲＲＨ１０３に接続している場合には、上りリンク物理チャネルがＲＲＨ１０３向けに設定された第２の上りリンク電力制御に関するパラメータの設定を用いて上りリンク送信電力を計算する。または、第１および第２の上りリンク電力制御に関するパラメータの設定から得られる上りリンク送信電力は、予め基地局１０１（またはＲＲＨ１０３）と端末１０２間の距離に応じて減衰する電力を補償する標準ＰＵＳＣＨ電力が設定されてもよい。つまり、端末１０２は、第１と第２の上りリンク電力制御に関するパラメータの設定を切り替えることによって送信電力が比較的高いまたは送信電力が比較的低い上りリンク信号を切り替えて送信することができる。ここで、比較的高い送信電力とは、他の端末に対して干渉元にならない程度または高いパスロスを補償する程度の送信電力のことである。また、比較的低い送信電力とは、受信点に送信信号が到達し得る程度または低いパスロスを補償する程度の送信電力のことである。
【０２７０】
また、ＤＣＩフォーマットに２つの上りリンク電力制御に関するパラメータの設定の切り替えを示す情報（情報ビット）を含んでもよい。例えば、切り替えを示す情報が第１の値（例えば、‘０’）である場合には、端末１０２は、第１の上りリンク制御に関するパラメータの設定に基づいて上りリンク送信電力を計算し、切り替えを示す情報が第２の値（例えば、‘１’）である場合には、端末１０２は、第２の上りリンク制御に関するパラメータの設定に基づいて上りリンク送信電力を設定する。
【０２７１】
その切り替えを示す情報は、ＤＣＩフォーマットに含まれる制御情報と関連付けられてもよい。例えば、ＵＬ  ＤＭＲＳのサイクリックシフトインデックスの値と切り替えを指示する情報が関連付けられてもよい。
【０２７２】
また、その切り替えを示す情報は、ＤＣＩフォーマットに含まれる少なくとも１つの制御情報が所定の値である場合に、ＤＣＩフォーマットに切り替えを指示する情報が含まれていると端末１０２が認識するコードポイントで示されてもよい。例えば、端末１０２は、基地局１０１またはＲＲＨ１０３から送信されたＤＣＩフォーマットに含まれている第１の制御情報に所定の情報（値）が設定されている場合、そのＤＣＩフォーマットに含まれている情報を読み替えることができる。この時、端末１０２と基地局１０１（またはＲＲＨ１０３）から構成される通信システムにおいては、第１の制御情報に設定されている所定の情報を所定のコードポイントとして定義することができる。ここで、第１の制御情報が仮想リソースブロックの集中配置／分散配置識別情報とリソースブロック割り当て情報とで構成される場合の所定のコードポイントとは、仮想リソースブロックの集中配置／分散配置識別情報が１ビットで示され、リソースブロック割り当て情報が５ビットで示される場合、その１ビットが‘０’を示し、その５ビットがすべて‘１’を示した場合のことである。端末１０２は、このコードポイントを検出した場合にのみ、ＤＣＩフォーマットにその切り替えを指示する情報が含まれていることを認識することができる。つまり、所定のコードポイントは、１つの制御情報の所定の情報だけで構成しなくてもよい。すなわち、複数の制御情報がそれぞれ所定の情報である時にだけ、端末１０２は所定のコードポイントとみなし、ＤＣＩフォーマットにその切り替えを指示する情報が含まれていると認識する。例えば、仮想リソースブロックの集中／分散配置を識別する情報とリソースブロック配置情報がそれぞれ所定の情報で示された場合、その指示情報がＤＣＩフォーマットに含まれていると認識する。それ以外の場合は、端末１０２は、仮想リソースブロックの集中／分散配置を識別する情報とリソースブロック配置情報に基づいてリソース割り当てを行う。例えば、コードポイントを構成する制御情報は、ＵＬ  ＤＭＲＳのサイクリックシフトに関する情報（Cyclic shift for DM RS and OCC index）とＰＵＳＣＨの周波数ホッピングの許可情報の所定の情報から構成されてもよい。また、ＤＣＩフォーマットに含まれる変調符号化方式（ＭＣＳ：Modulation and Coding Scheme）情報、ＨＡＲＱプロセス番号（HARQ process number）情報、ＮＤＩ（New Data Indicator）情報がそれぞれ所定の情報である場合に、端末１０２は、所定のコードポイントと認識し、ＤＣＩフォーマットにその指示情報が含まれていると認識する。コードポイントを検出した場合、端末１０２は、ＤＣＩフォーマットのコードポイントに使用されていない制御情報の一部またはすべてをその切り替えを指示する情報として認識することができる。例えば、その切り替えを指示する情報として認識される制御情報は、仮想リソースブロックの集中配置／分散配置識別情報であってもよい。また、その切り替えを指示する情報として認識される制御情報は、リソースブロック割り当て情報であってもよい。また、その切り替えを指示する情報として認識される制御情報は、ＳＲＳリクエストであってもよい。また、その切り替えを指示する情報として認識される制御情報は、��ＳＩリクエストであってもよい。また、その切り替えを指示する情報として認識される制御情報は、ＵＬ  ＤＭＲＳのサイクリックシフトに関する情報であってもよい。その切り替えを指示する情報として認識される制御情報は、前述した制御情報を複数用いて表されてもよい。
【０２７３】
マクロ基地局１０１だけがＰＤＣＣＨまたは制御情報を含むＲＲＣ信号を送信する場合において、マクロ基地局１０１によって端末１０２はマクロ基地局１０１向けの上りリンク信号送信を行うかＲＲＨ１０３向けの上りリンク信号送信をＤＣＩフォーマットで指示することができる。つまり、マクロ基地局１０１は、端末１０２の位置または送信電力の損失を想定して適切な上りリンク送信電力制御が行える上りリンクの受信点に対して上りリンク信号を送信するように制御することができる。
【０２７４】
種々の上りリンク物理チャネル（ＰＵＳＣＨ、ＰＵＣＣＨ、ＳＲＳ、ＰＲＡＣＨ）に関する上りリンク電力制御に関するパラメータの設定をそれぞれ２セット以上設定することもできる。一例として、種々の上りリンク物理チャネルに対して２セットの上りリンク電力制御に関するパラメータの設定が設定された場合、ＤＣＩフォーマットにそれらの切り替えを指示する情報が含まれる。それは、１ビットで示されてもよい。例えば、端末１０２は、受信したその切り替えを指示する情報が第１の値（例えば、‘０’）を示している場合には、第１の上りリンク電力制御に関するパラメータの設定を用いて種々の上りリンク送信電力を計算する。その切り替えを指示する情報が第２の値（例えば、‘１’）を示している場合には、第２の上りリンク電力制御に関するパラメータの設定を用いて種々の上りリンク送信電力を計算する。
【０２７５】
例えば、ＤＣＩフォーマットに第１および第２の上りリンク電力制御に関するパラメータの設定と関連付けられた制御情報を含んでもよい。つまり、端末１０２は、その制御情報に第１の上りリンク電力制御に関するパラメータの設定を用いて上りリンク送信電力を計算することが指示された場合、言い換えると、第１の電力制御が指示された場合、第１の上りリンク電力制御に関するパラメータの設定に基づいて上りリンク送信電力を計算する。また、端末１０２は、その制御情報に第２の上りリンク電力制御に関するパラメータの設定を用いて上りリンク送信電力を計算することが指示された場合、言い換えると、第２の電力制御が指示された場合、第２の上りリンク電力制御に関するパラメータの設定に基づいて上りリンク送信電力を計算する。この時、第１および第２の上りリンク電力制御に関するパラメータの設定はＲＲＣ信号に含まれて端末１０２へ通知される。同様にＤＣＩフォーマットにそれらの切り替えを指示する情報が、２ビットで示されてもよい。また、端末１０２は、その制御情報に第３の上りリンク電力制御に関するパラメータの設定を用いて上りリンク送信電力を計算することが指示された場合、言い換えると、第３の電力制御が指示された場合、第３の上りリンク電力制御に関するパラメータの設定に基づいて上りリンク送信電力を計算してもよいし、制御情報に第４の上りリンク電力制御に関するパラメータの設定を用いて上りリンク送信電力を計算することが指示された場合、言い換えると、第４の電力制御が指示された場合、第４の上りリンク電力制御に関するパラメータの設定に基づいて上りリンク送信電力を計算してもよい。このように制御情報に複数の上りリンク電力制御に関するパラメータの設定から選択された上りリンク電力制御に関するパラメータを用いて上りリンク送信電力を計算することが指示された場合、選択された上りリンク電力制御に関するパラメータの設定に基づいて上りリンク送信電力を計算してもよい。
【０２７６】
また、ＤＣＩフォーマットに含まれるＡ−ＳＲＳの送信要求を示すＳＲＳリクエスト（ＳＲＳインディケータ）が示す情報により、複数のＡ−ＳＲＳのパラメータセットの中からＡ−ＳＲＳに使用するパラメータセットが一意に選択される。ここでＳＲＳリクエストと関連付けられたＡ−ＳＲＳのパラメータセットに上りリンク電力制御に関するパラメータの設定が含まれてもよい。つまり、第１のＳＲＳ（Ａ−ＳＲＳ）パラメータセットに第１の上りリンク電力制御に関するパラメータの設定が含まれてもよいし、第２のＳＲＳ（Ａ−ＳＲＳ）パラメータセットに第２の上りリンク電力制御に関するパラメータの設定が含まれてもよい。同様に第３のＳＲＳ（Ａ−ＳＲＳ）パラメータセットに第３の上りリンク電力制御に関するパラメータの設定が含まれてもよいし、第４のＳＲＳ（Ａ−ＳＲＳ）パラメータセットに第４の上りリンク電力制御に関するパラメータの設定が含まれてもよい。このように複数のＳＲＳ（Ａ−ＳＲＳ）パラメータセットと複数の上りリンク電力制御に関するパラメータの設定がそれぞれ関連付けられていてもよいし、それは４つ以上のＳＲＳ（Ａ−ＳＲＳ）パラメータセットと４つ以上の上りリンク電力制御に関するパラメータの設定であってもよい。なお、ＳＲＳ（Ａ−ＳＲＳ）のパラメータセットには、ＳＲＳのサイクリックシフトが含まれる。また、ＳＲＳのパラメータセットには、ＳＲＳの送信帯域幅が含まれる。また、ＳＲＳのパラメータセットには、ＳＲＳのアンテナポート数が含まれる。また、ＳＲＳのパラメータセットには、ＳＲＳの周波数オフセットである送信コームが含まれる。また、ＳＲＳのパラメータセットには、ホッピング帯域幅が含まれる。
【０２７７】
基地局１０１は、端末１０２の上りリンク電力制御に関するパラメータの設定を切り替えることで、端末１０２に対してインプリシットに上りリンクの受信点の切り替えを制御することができる。
【０２７８】
高速移動をしている端末１０２または送受信ポイントが頻繁に切り替わる端末１０２においては、ダイナミックに上りリンク送信電力制御を行うことができ、適切なスループットを得られ易くなる。
【０２７９】
なお、本実施形態における第１および第２の上りリンク電力制御に関するパラメータの設定にはそれぞれパスロス参照リソースが含まれてもよい。また、パスロス参照リソースは、第３の実施形態で示したものであってもよい。つまり、パスロス参照リソースは、アンテナポートに関連付けられた情報を含んでいても良いし、第２の実施例記載の第３の参照信号設定と関連付けられた情報を含んでも良い。またアンテナポートに関連付けられたとは、アンテナポート０に関連付けられた、つまりセル固有参照信号（CRS）に関連付けられていても良いし、アンテナポート１５から２２に関連付けられた、つまり伝送路状況測定用参照信号（CSI-RS）に関連付けられていても良い。さらに、本実施形態における第１および第２の上りリンク電力制御に関するパラメータの設定には第３の実施形態で示したものであってもよい。つまり、セル内のフラクショナル送信電力制御に用いられる減衰係数であるα（つまり伝送路損失補償係数）であってもよいし、ＰＯ＿ＮＯＭＩＮＡＬ＿ＰＵＳＣＨ，ｃやＰＯ＿ＵＥ＿ＰＵＳＣＨ、ｃ（つまりＰＵＳＣＨの標準電力に関するセル固有または端末固有の電力制御パラメータ）であってもよい。さらにサウンディング参照信号の電力オフセットやフィルタ係数であってもよい。ＰＯ＿ＮＯＭＩＮＡＬ＿ＰＵＣＣＨ，ｃやＰＯ＿ＵＥ＿ＰＵＣＣＨ、ｃ（つまりＰＵＣＣＨの標準電力に関するセル固有または端末固有の電力制御パラメータ）であってもよい。
【０２８０】
（第６の実施形態）
次に、第６の実施形態について説明する。第６の実施形態では、基地局１０１は、複数のパスロス測定用参照信号の設定情報を含むＲＲＣ信号を端末１０２へ通知し、ＤＣＩフォーマット（ＰＤＣＣＨ）を端末１０２へ送信する。端末１０２は、ＲＲＣ信号に含まれる情報に従って、複数のパスロス測定を同時に行い、検出したＤＣＩフォーマットが第１のＤＣＩフォーマットである場合、第１のパスロス測定に基づいて計算した上りリンク送信電力において上りリンク信号を送信し、検出したＤＣＩフォーマットが第２のＤＣＩフォーマットである場合には、第２のパスロス測定に基づいて計算した上りリンク送信電力において上りリンク信号を送信する。
【０２８１】
ここで、第１と第２のＤＣＩフォーマットが異なる種類のＤＣＩフォーマットである場合について述べる。一例として、第１のＤＣＩフォーマットが上りリンクグラントの場合、ＰＵＳＣＨをスケジューリングするために設定した上りリンク送信電力制御に含まれるパスロス参照リソースに基づいてパスロスを計算し、そのパスロスから上りリンク送信電力を計算する。また、第２のＤＣＩフォーマットが下りリンクアサインメントである場合には、協調通信を行うために設定した上りリンク送信電力制御に含まれるパスロス参照リソースに基づいてパスロスを計算し、そのパスロスから上りリンク送信電力を計算する。つまり、ＤＣＩフォーマットの種類とパスロス参照リソースを関連付けることによって、端末１０２は、通信状況に適したパスロス測定を行うことができ、適切な上りリンク送信電力制御を行うことができる。なお、種々のＤＣＩフォーマットと関連付けられるパスロス参照リソースはそれぞれ異なる測定対象（パスロス測定用参照信号）が設定されてもよい。ここで示す測定対象は、第１および第２の実施形態で示したものと同様であってもよい。また、ここで示すパスロス参照リソースは、第３の実施形態で示したものと同様であってもよい。また、ここで示すパスロス参照リソースは、下りリンクのアンテナポートと関連付けられてもよい。また、ここで示すパスロス参照リソースは、下りリンク参照信号と関連付けられてもよい。
【０２８２】
さらに、第１および第２のＤＣＩフォーマットにＡ−ＳＲＳの送信要求を示すＳＲＳインディケータ（ＳＲＳリクエスト）が含まれる場合もある。この時、Ａ−ＳＲＳの送信電力は、各ＤＣＩフォーマットと関連付けられたパスロス参照リソースに基づいて計算したパスロスを用いて計算される。つまり、ＳＲＳインディケータが含まれるＤＣＩフォーマットが上りリンクグラントの場合には、ＰＵＳＣＨをスケジューリングするために設定した上りリンク送信電力制御に含まれるパスロス参照リソース（第１のパスロス参照リソース）に基づいてパスロスを計算し、そのパスロスからＡ−ＳＲＳの送信電力を計算する。また、ＳＲＳインディケータが含まれるＤＣＩフォーマットが下りリンクアサインメントの場合には、協調通信を行うために設定した上りリンク送信電力制御に含まれるパスロス参照リソース（第２のパスロス参照リソース）に基づいてパスロスを計算し、そのパスロスからＡ−ＳＲＳの送信電力を計算する。
【０２８３】
基地局１０１は、ＤＣＩフォーマットにおいて、パスロス参照リソースを切り替えることで適切なパスロス測定に応じた動的なスケジューリングを行うことができる。
【０２８４】
また、Ｐ−ＳＲＳは、ＲＲＣ信号でパスロスの計算に使用するパスロス参照リソースが設定され、Ａ−ＳＲＳは、ＤＣＩフォーマットの種類によってインプリシットにパスロス参照リソースが切り替えられてもよい。つまり、端末１０２は、ＲＲＣ信号に含まれる情報に従って、Ｐ−ＳＲＳの送信電力用のパスロス参照リソースが通知され、Ａ−ＳＲＳの送信電力用のパスロス参照リソースはＤＣＩフォーマットの種類に基づいて決定されてもよい。また、Ａ−ＳＲＳ用のパスロス参照リソースはＤＣＩフォーマットに含まれるＡ−ＳＲＳのパスロス参照リソースを指示する情報に基づいて決定されてもよい。
【０２８５】
また、ＰＵＳＣＨ、ＰＵＣＣＨ、Ｐ−ＳＲＳ、Ａ−ＳＲＳのうち少なくとも一つの上りリンク物理チャネルのパスロス参照リソースは独立に設定されてもよい。
【０２８６】
また、第１および第２のＤＣＩフォーマットは、同じ種類であってもＤＣＩフォーマットに含まれる制御情報が異なる情報（異なる値）で示されている場合であってもよい。例えば、その制御情報がインデックスで示されている場合には、そのインデックスが異なる値に割り当てられていれば、異なるＤＣＩフォーマットとしてみなすことができる。
【０２８７】
第１および第２のＤＣＩフォーマットにＳＲＳインディケータが含まれる場合、ＳＲＳインディケータが含まれるＤＣＩフォーマットの種類と関連付けてＡ−ＳＲＳ用のパスロス参照リソースを決定してもよい。
【０２８８】
端末１０２が基地局１０１と接続している場合には、上りリンク物理チャネル（上りリンク信号）が基地局１０１向けに設定された上りリンク電力制御に関するパラメータの設定（第１の上りリンク電力制御に関するパラメータの設定）を用いて上りリンク送信電力を計算する。また、端末１０２がＲＲＨ１０３に接続している場合には、上りリンク物理チャネルがＲＲＨ１０３向けに設定された上りリンク電力制御に関するパラメータの設定（第２の上りリンク電力制御に関するパラメータの設定）を用いて上りリンク送信電力を計算する。それらの上りリンク電力制御に関するパラメータの再設定に関する情報はＲＲＣ信号で通知される。
【０２８９】
また、ＤＣＩフォーマットには、どのパスロス参照リソースを用いてパスロスを計算するかを指示するための情報（パスロス参照リソース指示情報）が含まれてもよい。つまり、指示情報が第１および第２の値（複数の値）で構成されており、その指示情報が第１の値（例えば、インデックスが‘０’）である場合には、端末１０２は、第１のパスロス参照リソースを用いてパスロスを計算し、その指示情報が第２の値（例えば、インデックスが‘１’）である場合には、端末１０２は、第２のパスロス参照リソースを用いてパスロスを計算する。この指示情報は、Ａ−ＳＲＳのパスロス参照リソースのみを設定するものであってもよい。また、この指示情報は、すべての上りリンク物理チャネルのパスロス参照リソースを設定するものであってもよい。つまり、この指示情報は、少なくとも一つの上りリンク物理チャネルのパスロス参照リソースを指示することができる。
【０２９０】
その指示情報は、ＤＣＩフォーマットに含まれる制御情報と関連付けられてもよい。例えば、ＵＬ  ＤＭＲＳのサイクリックシフトインデックスの値と切り替えを指示する情報が関連付けられてもよい。
【０２９１】
また、その指示情報は、ＤＣＩフォーマットに含まれる少なくとも１つの制御情報が所定の値である場合に、ＤＣＩフォーマットにその指示情報が含まれていると端末１０２が認識するコードポイントで示されてもよい。例えば、端末１０２は、基地局１０１またはＲＲＨ１０３から送信されたＤＣＩフォーマットに含まれている第１の制御情報に所定の情報（値）が設定されている場合、そのＤＣＩフォーマットに含まれている情報を読み替えることができる。この時、端末１０２と基地局１０１（またはＲＲＨ１０３）から構成される通信システムにおいては、第１の制御情報に設定されている所定の情報を所定のコードポイントとして定義することができる。ここで、第１の制御情報が仮想リソースブロックの集中配置／分散配置識別情報とリソースブロック割り当て情報とで構成される場合の所定のコードポイントとは、仮想リソースブロックの集中配置／分散配置識別情報が１ビットで示され、リソースブロック割り当て情報が５ビットで示される場合、その１ビットが‘０’を示し、その５ビットがすべて‘１’を示した場合のことである。端末１０２は、このコードポイントを検出した場合にのみ、ＤＣＩフォーマットにその指示情報が含まれていることを認識することができる。つまり、所定のコードポイントは、１つの制御情報の所定の情報だけで構成しなくてもよい。すなわち、複数の制御情報がそれぞれ所定の情報である時にだけ、端末１０２は所定のコードポイントとみなし、ＤＣＩフォーマットにその指示情報が含まれていると認識する。例えば、仮想リソースブロックの集中／分散配置を識別する情報とリソースブロック配置情報がそれぞれ所定の情報で示された場合、その指示情報がＤＣＩフォーマットに含まれていると認識する。それ以外の場合は、端末１０２は、仮想リソースブロックの集中／分散配置を識別する情報とリソースブロック配置情報に基づいてリソース割り当てを行う。例えば、コードポイントを示す制御情報は、ＵＬ  ＤＭＲＳのサイクリックシフトに関する情報（Cyclic shift for DM RS and OCC index）とＰＵＳＣＨの周波数ホッピングの許可情報の所定の情報から構成されてもよい。また、ＤＣＩフォーマットに含まれる変調符号化方式（ＭＣＳ：Modulation and Coding Scheme）情報、ＨＡＲＱプロセス番号（HARQ process number）情報、ＮＤＩ（New Data Indicator）情報がそれぞれ所定の情報である場合に、端末１０２は、所定のコードポイントと認識し、ＤＣＩフォーマットにその指示情報が含まれていると認識する。コードポイントを検出した場合、端末１０２は、ＤＣＩフォーマットのコードポイントに使用されていない制御情報の一部またはすべてをその切り替えを指示する情報として認識することができる。例えば、その切り替えを指示する情報として認識される制御情報は、仮想リソースブロックの集中配置／分散配置識別情報であってもよい。また、その切り替えを指示する情報として認識される制御情報は、リソースブロック割り当て情報であってもよい。また、その切り替えを指示する情報として認識される制御情報は、ＳＲＳリクエストであってもよい。また、その切り替えを指示する情報として認識される制御情報は、ＣＳＩリクエストであってもよい。また、その切り替えを��示する情報として認識される制御情報は、ＵＬ  ＤＭＲＳのサイクリックシフトに関する情報であってもよい。その切り替えを指示する情報として認識される制御情報は、前述した制御情報を複数用いて示されてもよい。
【０２９２】
基地局１０１は、端末１０２のパスロス参照リソースを切り替えることで、端末１０２に対してインプリシットに上りリンクの受信点（参照ポイント）の切り替えを制御することができる。
【０２９３】
また、ＤＣＩフォーマット４に含まれるＳＲＳインディケータ（ＳＲＳリクエスト）は複数のインデックス（値、番号）で表される。例えば、ＤＣＩフォーマット４に第１のＡ−ＳＲＳパラメータセットと関連付けられた‘ＳＲＳインディケータインデックス１’が設定されたＤＣＩフォーマット４を第１のＤＣＩフォーマット、ＤＣＩフォーマット４に第２のＡ−ＳＲＳパラメータセットと関連付けられた‘ＳＲＳインディケータインデックス２’が設定されたＤＣＩフォーマット４を第２のＤＣＩフォーマットとすることもできる。つまり、Ａ−ＳＲＳにおいては、ＳＲＳインディケータインデックスとパスロス参照リソースとを関連付けられてもよい。また、Ａ−ＳＲＳのパスロス参照リソースは、Ａ−ＳＲＳパラメータセットに含まれるＡ−ＳＲＳパラメータの一つとして設定されてもよい。また、基地局１０１は、端末１０２に対して上りリンクの受信点と関連付けられたパスロス参照リソースから計算したＡ−ＳＲＳ用のパスロスに基づいてＡ−ＳＲＳの送信電力を計算し、受信点はそのＡ−ＳＲＳに基づいてチャネル測定を行うことで、適切な受信点の切り替え（再設定）および適切なリソース割り当てを行うことができる。つまり、基地局１０１は、適切な上りリンクスケジューリングをダイナミックに行うことができる。また、言い換えると、端末１０２は、ＳＲＳインディケータインデックスが第１の値（例えば、ＳＲＳインディケータインデックス１）の場合には、第１のパスロス参照リソースに基づいてＡ−ＳＲＳのパスロスを計算し、ＳＲＳインディケータインデックスが第２の値（例えば、ＳＲＳインディケータインデックス２）の場合には、第２のパスロス参照リソースに基づいてＡ−ＳＲＳのパスロスを計算する。ＳＲＳインディケータに含まれる複数のインデックスのうち少なくとも一つのインデックスは、基地局１０１またはＲＲＨ１０３へ再接続を行うためのバックホール（backhaul）のために設定されたパスロス参照リソースと関連付けられてもよい。また、ＳＲＳインディケータに含まれる複数のインデックスのうち少なくとも一つのインデックスは、端末１０２が接続している参照ポイント（基地局１０１またはＲＲＨ１０３）のために設定されたパスロス参照リソースと関連付けられてもよい。ＳＲＳインディケータインデックスとパスロス参照リソースが関連付けられてもよい。基地局１０１、端末１０２、ＲＲＨ１０３から構成される通信システムにおいて、予めバックホール用のパスロス参照リソースとして設定されてもよい。
【０２９４】
また、Ｐ−ＳＲＳは、ＲＲＣ信号でパスロスの計算に使用するパスロス参照リソースが切り替えられ、Ａ−ＳＲＳは、ＤＣＩフォーマットに含まれるスロス参照リソースの切り替えを指示する情報によってパスロス参照リソースが切り替えられてもよい。つまり、端末１０２は、ＲＲＣ信号に含まれる情報に従って、Ｐ−ＳＲＳの送信電力用のパスロス参照リソースが通知され、Ａ−ＳＲＳの送信電力用のパスロス参照リソースはＤＣＩフォーマットに含まれる情報に従って通知される。
【０２９５】
また、複数の上りリンク受信点それぞれに送信する上りリンク信号のためのパスロス参照リソースが独立に設定されてもよい。つまり、上りリンク受信点（参照ポイント）とパスロス参照リソースとが関連付けられてもよい。
【０２９６】
また、ＤＣＩフォーマットには、第１および第２のパスロス参照リソースと関連付けられた制御情報が含まれてもよい。例えば、端末１０２は、その制御情報に第１のパスロス制御が設定されていた場合、第１のパスロス参照リソースに基づいてパスロスを計算する。また、端末１０２は、その制御情報に第２のパスロス制御が設定された場合、第２のパスロス参照リソースに基づいてパスロスを計算する。端末１０２は、その制御情報に基づいて第１または第２のパスロス参照リソースを切り替えてパスロスを計算し、そのパスロスの計算結果から上りリンク物理チャネルの送信電力を計算し、その送信電力において上りリンク物理チャネルを送信することができる。また、また、端末１０２は、その制御情報に第３のパスロス制御が設定された場合、第３のパスロス参照リソースに基づいてパスロスを計算する。また、端末１０２は、その制御情報に第４のパスロス制御が設定された場合、第４のパスロス参照リソースに基づいてパスロスを計算する。
【０２９７】
また、Ａ−ＳＲＳのパスロス参照リソースがＤＣＩフォーマットによって切り替えられた（再設定された）場合、Ｐ−ＳＲＳのパスロス参照リソースも切り替えられてもよい（再設定されてもよい）。
【０２９８】
（第７の実施形態）
次に、第７の実施形態について説明する。第７の実施形態では、基地局１０１は、上りリンク物理チャネルを設定し、上りリンク物理チャネルそれぞれに対してパスロス参照リソースを設定し、その設定情報を含むＲＲＣ信号を端末１０２へ通知する。端末１０２は、ＲＲＣ信号に含まれる情報（設定情報、制御情報）に従って、上りリンク物理チャネルを設定し、上りリンク物理チャネルそれぞれに対して上りリンク電力制御に関するパラメータを設定し、その上りリンク電力制御に関するパラメータに基づいて種々の上りリンク物理チャネルの送信電力を設定し、その送信電力において上りリンク物理チャネルを送信する。
【０２９９】
また、種々の上りリンク物理チャネルに対するパスロス参照リソースがＲＲＣ信号を介して通知される場合、ＰＵＳＣＨの送信電力を計算するためのパスロス参照リソースは、端末固有ＰＵＳＣＨ設定（PUSCH-ConfigDedicated）に設定され得る。ＰＵＣＣＨの送信電力を計算するためのパスロス参照リソースは、端末固有ＰＵＣＣＨ設定（PUCCH-ConfigDedicated）に設定され得る。Ｐ−ＳＲＳの送信電力を計算するためのパスロス参照リソースは、端末固有サウンディング参照信号ＵＬ設定（SoundingRS-UL-ConfigDedicated）に設定され得る。Ａ−ＳＲＳの送信電力を計算するためのパスロス参照リソースは、ＳＲＳ設定アピリオディック（SRS-ConfigAp）に設定され得る。ＰＲＡＣＨの送信電力を計算するためのパスロス参照リソースは、ＰＲＡＣＨ設定情報（PRACH-ConfigInfo）に設定され得る。これらの設定情報は、基地局１０１から端末１０２へＲＲＣ信号で通知される。つまり、パスロス参照リソースは、種々の上りリンク物理チャネルの端末固有のパラメータの設定にセットされ得る。つまり、基地局１０１は、端末１０２に割り当てる各上りリンク物理チャネルのパスロス参照リソースを端末１０２毎に設定し、その設定情報をＲＲＣ信号に含めて通知する。なお、パスロス参照リソースは、アンテナポートに関連付けられた情報を含んでいてもよいし、第２の実施例記載の第３の参照信号設定と関連付けられた情報を含んでもよい。またアンテナポートに関連付けられたとは、アンテナポート０に関連付けられた、つまりセル固有参照信号（CRS）に関連付けられていてもよいし、アンテナポート１５から２２に関連付けられた、つまり伝送路状況測定用参照信号（CSI-RS）に関連付けられてもよい。
【０３００】
また、種々の上りリンク物理チャネルに対するパスロス参照リソースは、セル固有のパラメータ設定に含まれて設定されてもよい。
【０３０１】
また、種々の上りリンク物理チャネル（ＰＵＳＣＨ、ＰＵＣＣＨ、ＳＲＳ（Ｐ−ＳＲＳ、Ａ−ＳＲＳ）、ＰＲＡＣＨ）に対するパスロス参照リソースはそれぞれ、端末固有上りリンク電力制御に関するパラメータの設定（UplinkPowerControlDedicated）に設定されてもよい。種々の上りリンク物理チャネルに対するパスロス参照リソースはそれぞれ、セル固有上りリンク電力制御に関するパラメータの設定（UplinkPowerControlCommon）に設定されてもよい。なお、上述した種々の上りリンク信号と種々の上りリンク物理チャネルは、同義である。
【０３０２】
上りリンク物理チャネルの種類によって受信する基地局１０１（またはＲＲＨ１０３）が異なる場合、複数の基地局のうち、端末１０２に近い方（パスロスの小さい方）の基地局１０１を基地局Ａ、端末１０２から遠い方（パスロスの大きい方）の基地局１０１を基地局Ｂとし、基地局ＡにＰＵＳＣＨ、基地局ＢにＳＲＳを送信するとする。異なる基地局から共通のパスロス参照リソースが送信されるため、それらは合成され、端末１０２に受信される。どちらの上りリンク物理チャネルも同じパスロス参照リソースからパスロスを計算し、それぞれの送信電力を計算すると、合成されたパスロス参照リソースの受信電力からパスロスを計算するため、基地局Ａと端末１０２間、基地局Ｂと端末１０２間の正確なパスロスが得られなくなる。そのため、基地局Ａに対しては、適切な送信電力よりも高い送信電力でＰＵＳＣＨを送信することになり、基地局Ｂに対しては、適切な電力よりも低い電力でＳＲＳを送信することになると、基地局Ａでは、端末１０２から送信されるＰＵＳＣＨは他の端末の干渉元になり、基地局Ｂでは、端末１０２から送信されるＳＲＳから適切なチャネル測定が行えなくなり、適切なスケジューリングができなくなる。特に、ＳＲＳは、基地局１０１と端末１０２間のチャネル測定を行うために必要なチャネルであり、そのチャネル測定結果から上りリンクスケジューリングを行うため、基地局Ａと端末１０２間、基地局Ｂと端末１０２間で適切なチャネル測定が行われないと端末１０２に対して最も近い基地局１０１を選択することができず、適切な送信電力で、適切なスループットを得ることが難しくなる。なお、この時、端末１０２と基地局１０１間の距離（端末１０２から近いか遠いか）は、パスロスによって推定される。つまり、基地局１０１（またはＲＲＨ１０３）は、パスロスが小さければ端末１０２との距離が近いと判断し、パスロスが大きければ端末１０２との距離が遠いと判断する。なお、パスロスの大きさについては閾値に基づいて判定されてもよい。基地局１０１は、端末１０２に近い方の受信点と端末１０２を接続するように制御する。
【０３０３】
複数のパスロス参照リソースからそれぞれパスロスを計算することのできる端末１０２は、それぞれのパスロスの計算結果を種々の上りリンク物理チャネルの送信電力制御に用いてもよい。つまり、端末１０２は、種々の上りリンク物理チャネルの送信電力を、各上りリンク物理チャネルに設定されたパスロス参照リソースによるパスロスの計算結果に基づいて設定してもよい。例えば、ＰＵＳＣＨには第１のパスロス参照リソース、ＰＵＣＣＨには第２のパスロス参照リソース、ＰＲＡＣＨには第３のパスロス参照リソース、Ｐ−ＳＲＳには第４のパスロス参照リソース、Ａ−ＳＲＳには第５のパスロス参照リソースが設定されてもよい。なお、これらのパスロス参照リソースは、第３の実施形態で示したものであってもよい。また、これらのパスロス参照リソースは、アンテナポートと関連付けられた下りリンク参照信号であってもよい。また、これらのパスロス参照リソースは、下りリンクのアンテナポートで指定されてもよい。ここで、これらのパスロス参照リソースの設定情報は、ＲＲＣ信号で端末１０２へ通知されてもよい。また、これらのパスロス参照リソースの設定情報は、ＤＣＩフォーマットに含まれて端末１０２へ通知されてもよい。ここで、これらのパスロス参照リソースの設定情報は、各上りリンク物理チャネルのセル固有または端末固有の設定に含まれてもよい。また、これらのパスロス参照リソースの設定情報は、各上りリンク物理チャネルの設定に含まれる上りリンク電力制御に関するパラメータの設定に含まれてもよい。また、種々の上りリンク物理チャネルに設定されるパスロス参照リソースは、独立に設定されてもよく、それらは必ずしも同じ種類のパスロス参照リソースが設定されていなくてもよい。つまり、それらのパスロス参照リソースにはアンテナポートに関連付けられた情報が同じものでなくてもよい。
【０３０４】
また、一部の上りリンク物理チャネルには、複数のパスロス参照リソースが設定されてもよい。例えば、Ａ−ＳＲＳはＳＲＳリクエストの値に対応したパラメータセットが設定可能であり、それぞれに対してパスロス参照リソースを設定することができる。例えば、Ａ−ＳＲＳのパスロス参照リソースは、第１から第４のパスロス参照リソースが設定されてもよい。また、Ｐ−ＳＲＳには第５のパスロス参照リソースが設定されてもよい。
【０３０５】
ＰＵＳＣＨ、ＰＵＣＣＨ、ＰＲＡＣＨ、Ｐ−ＳＲＳが同じパスロス参照リソースに基づいてパスロスを計算し、Ａ−ＳＲＳは、それとは異なるパスロス参照リソースに基づいてパスロスを計算することもできる。つまり、一部の上りリンク物理チャネルについては、パスロス参照リソースが独立に設定されてもよい。また、上りリンク物理チャネルのうち少なくとも一つは、パスロス参照リソースがＲＲＣ信号で通知されてもよい。また、上りリンク物理チャネルのうち少なくとも一つは、パスロス参照リソースがＤＣＩフォーマットで通知されてもよい。
【０３０６】
複数の基地局１０１およびＲＲＨ１０３（複数の参照ポイント）によって送信された同じ種類のパスロス参照リソースは、端末１０２において合成される。合成されたパスロス参照リソースを基にパスロスを計算すると、端末１０２から遠い方の参照ポイントにおけるパスロスを反映することができず、そのパスロスを用いて上りリンク送信電力を計算し、上りリンク信号を送信すると、遠い方の参照ポイントに到達しない可能性がある。また、合成されたパスロス参照リソースの受信電力を基にパスロスを計算し、上りリンク送信電力を計算すると、端末１０２から送信された上りリンク信号の上りリンク送信電力が比較的低い場合には、基地局１０１やＲＲＨ１０３に到達せず、また、上りリンク送信電力が比較的高い場合には、他の端末への干渉元になる。
【０３０７】
また、基地局１０１およびＲＲＨ１０３（複数の下りリンク送信点）から送信された合成された下りリンク信号は、端末１０２においてそれらの下りリンク信号を分離することができないため、基地局１０１およびＲＲＨ１０３それぞれから送信された下りリンク信号に基づいたパスロスを正確に測定することができない。基地局１０１は、必要に応じて、複数の下りリンク送信点から送信された下りリンク信号のパスロスを測定するために、下りリンク送信点毎にパスロス参照リソースを設定する必要がある。
【０３０８】
端末１０２が基地局１０１とＲＲＨ１０３（または複数の参照ポイント）に対してＰＲＡＣＨを送信する場合、それぞれに送信するＰＲＡＣＨの送信電力の計算に使用されるパスロス参照リソースは異なってもよい。つまり、基地局１０１とＲＲＨ１０３へのＰＲＡＣＨの送信電力制御は、基地局１０１とＲＲＨ１０３それぞれから送信されたパスロス参照リソースに基づいて行われてもよい。また、基地局１０１向けまたはＲＲＨ１０３向けのランダムアクセスを行うために、基地局１０１は、端末１０２に対してＰＲＡＣＨのパスロス参照リソースの切り替えを指示する情報をＲＲＣ信号に含めて通知することもでき、端末１０２は、ＲＲＣ信号に含まれる切り替え情報によってＰＲＡＣＨのパスロス参照リソースを設定（再設定）することができる。
【０３０９】
また、端末１０２には、種々の上りリンク物理チャネルに対してそれぞれ異なる値が設定された上りリンク電力設定に関するパラメータまたはパラメータセットが設定され得る。図３４は、各上りリンク物理チャネルに設定される上りリンク電力制御に関するパラメータの一例である。図３４では、ＰＵＣＣＨ、ＰＵＳＣＨ、Ｐ−ＳＲＳ、Ａ−ＳＲＳの端末固有の設定（端末固有ＰＵＣＣＨ設定―ｖ１１ｘ０（PUCCH-ConfigDedicated-v11x0）、端末固有ＰＵＳＣＨ設定―ｖ１１ｘ０（PUSCH-ConfigDedicated-v11x0）、端末固有サウンディング参照信号ＵＬ設定―ｖ１１ｘ０（SoundingRS-UL-ConfigDedicated-v11x0）アピリオディックＳＲＳ設定―ｒ１１（SRS-ConfigAp-r11））それぞれに対して上りリンク電力制御に関するパラメータの設定（UplinkPowerControl）が設定される。また、ＰＲＡＣＨおよびランダムアクセスチャネル（ＲＡＣＨ：Random Access Channel）については、パワーランピングステップ（powerRampingStep）とプリアンブル初期受信目標電力（preambleInitialReceivedTargetPower）が設定される。上りリンク電力制御に関するパラメータの設定は図２２で示したものであってもよい。これらの設定にパスロス参照リソースが設定されてもよい。なお、パスロス参照リソースは、アンテナポートに関連付けられた情報を含んでいても良いし、第２の実施例記載の第３の参照信号設定と関連付けられた情報を含んでも良い。またアンテナポートに関連付けられたとは、アンテナポート０に関連付けられた、つまりセル固有参照信号（CRS）に関連付けられていても良いし、アンテナポート１５から２２に関連付けられた、つまり伝送路状況測定用参照信号（CSI-RS）に関連付けられていても良い。
【０３１０】
例えば、パスロスを考慮しなかった場合、比較的高い送信電力になるように設定された種々の電力制御パラメータセット（第１の電力制御パラメータセット）と比較的低い送信電力になるように設定された種々の電力制御パラメータセット（第２の電力制御パラメータセット）が端末１０２に対して設定される。基地局１０１は、ＲＲＣ信号またはＤＣＩフォーマット（ＰＤＣＣＨ）に第１と第２の電力制御パラメータセットの切り替えを示す情報を含めて端末１０２へ通知する。端末１０２はその情報に基づいて種々の上りリンク物理チャネルに関してそれぞれ上りリンク送信電力を計算し、上りリンク物理チャネル（上りリンク信号）を送信する。なお、これらの電力制御パラメータセットに含まれる種々のパラメータの値は、測定報告の結果やＳＲＳによるチャネル測定結果、端末１０２の電力余力値を通知するパワーヘッドルームレポート（ＰＨＲ：Power Headroom Reporting）に含まれる測定結果などを考慮して基地局１０１によって設定される。
【０３１１】
例えば、各上りリンク物理チャネルには、上りリンク電力制御に関するパラメータセットの切り替えを指示する情報が設定されてもよい。また、その切り替えを指示する情報は、ＲＲＣ信号で端末１０２毎に通知されてもよい。また、その切り替えを指示する情報は、ＤＣＩフォーマットに含まれてもよい。
【０３１２】
ＤＣＩフォーマットに２つの上りリンク電力制御に関するパラメータセットの切り替えを指示する情報（情報ビット）を含んでもよい。例えば、切り替えを指示する情報が第１の値（例えば、‘０’）である場合には、端末１０２は、第１の上りリンク制御に関するパラメータの設定に基づいて上りリンク送信電力を計算し、切り替えを指示する情報が第２の値（例えば、‘１’）である場合には、端末１０２は、第２の上りリンク制御に関するパラメータの設定に基づいて上りリンク送信電力を設定する。
【０３１３】
その切り替えを指示する情報は、ＤＣＩフォーマットに含まれる制御情報と関連付けられてもよい。例えば、ＵＬ  ＤＭＲＳのサイクリックシフトインデックスの値と切り替えを指示する情報が関連付けられてもよい。
【０３１４】
また、その切り替えを指示する情報は、ＤＣＩフォーマットに含まれる少なくとも１つの制御情報が所定の値である場合に、ＤＣＩフォーマットに切り替えを指示する情報が含まれていると端末１０２が認識するコードポイントで示されてもよい。例えば、端末１０２は、基地局１０１またはＲＲＨ１０３から送信されたＤＣＩフォーマットに含まれている第１の制御情報に所定の情報（値）が設定されている場合、そのＤＣＩフォーマットに含まれている情報を読み替えることができる。この時、端末１０２と基地局１０１（またはＲＲＨ１０３）から構成される通信システムにおいては、第１の制御情報に設定されている所定の情報を所定のコードポイントとして定義することができる。ここで、第１の制御情報が仮想リソースブロックの集中配置／分散配置識別情報とリソースブロック割り当て情報とで構成される場合の所定のコードポイントとは、仮想リソースブロックの集中配置／分散配置識別情報が１ビットで示され、リソースブロック割り当て情報が５ビットで示される場合、その１ビットが‘０’を示し、その５ビットがすべて‘１’を示した場合のことである。端末１０２は、このコードポイントを検出した場合にのみ、ＤＣＩフォーマットにその切り替えを指示する情報が含まれていることを認識することができる。つまり、所定のコードポイントは、１つの制御情報の所定の情報だけで構成しなくてもよい。すなわち、複数の制御情報がそれぞれ所定の情報である時にだけ、端末１０２は所定のコードポイントとみなし、ＤＣＩフォーマットにその切り替えを指示する情報が含まれていると認識する。例えば、仮想リソースブロックの集中／分散配置を識別する情報とリソースブロック配置情報がそれぞれ所定の情報で示された場合、その切り替えを指示する情報がＤＣＩフォーマットに含まれていると認識する。それ以外の場合は、端末１０２は、仮想リソースブロックの集中／分散配置を識別する情報とリソースブロック配置情報に基づいてリソース割り当てを行う。例えば、コードポイントを構成する制御情報は、ＵＬ  ＤＭＲＳのサイクリックシフトに関する情報（Cyclic shift for DM RS and OCC index）とＰＵＳＣＨの周波数ホッピングの許可情報の所定の情報から構成されてもよい。また、ＤＣＩフォーマットに含まれる変調符号化方式（ＭＣＳ：Modulation and Coding Scheme）情報、ＨＡＲＱプロセス番号（HARQ process number）情報、ＮＤＩ（New Data Indicator）情報がそれぞれ所定の情報である場合に、端末１０２は、所定のコードポイントと認識し、ＤＣＩフォーマットにその指示情報が含まれていると認識する。コードポイントを検出した場合、端末１０２は、ＤＣＩフォーマットのコードポイントに使用されていない制御情報の一部またはすべてをその切り替えを指示する情報として認識することができる。例えば、その切り替えを指示する情報として認識される制御情報は、仮想リソースブロックの集中配置／分散配置識別情報であってもよい。また、その切り替えを指示する情報として認識される制御情報は、リソースブロック割り当て情報であってもよい。また、その切り替えを指示する情報として認識される制御情報は、ＳＲＳリクエストであってもよい。また、その切り替えを指示する情報として認識��れる制御情報は、ＣＳＩリクエストであってもよい。また、その切り替えを指示する情報として認識される制御情報は、ＵＬ  ＤＭＲＳのサイクリックシフトに関する情報であってもよい。その切り替えを指示する情報として認識される制御情報は、前述した制御情報を複数用いて表されてもよい。
【０３１５】
例えば、ＰＵＳＣＨでは、複数のＰＯ＿ＮＯＭＩＮＡＬ＿ＰＵＳＣＨやＰＯ＿ＵＥ＿ＰＵＳＣＨが設定される。ＰＵＣＣＨでは、複数のＰＯ＿ＮＯＭＩＮＡＬ＿ＰＵＣＣＨやＰＯ＿ＵＥ＿ＰＵＣＣＨが設定される。また、種々の電力制御パラメータ毎に複数設定されてもよい。また、パラメータセット毎に複数設定されてもよい。また、ＳＲＳには、複数のＳＲＳ電力オフセットが設定されてもよい。ＰＲＡＣＨには、複数のランダムアクセスプリアンブルの初期受信電力やパワーランピングステップが設定されてもよい。端末１０２は、これらのパラメータを基に上りリンク物理チャネルの送信電力を設定する。つまり、少なくとも一部の上りリンク物理チャネルに対しては、複数の上りリンク電力制御に関するパラメータが設定されてもよい。つまり、一部の上りリンク物理チャネルに対しては、上りリンク電力制御に関する第１および第２のパラメータが設定されてもよい。これらの電力制御に関するパラメータの設定情報をその切り替えを指示する情報によってダイナミックに制御されてもよい。
【０３１６】
種々の上りリンク物理チャネルにはそれぞれ１つの上りリンク電力制御に関するパラメータが設定される。この上りリンク電力制御に関するパラメータとは、前述したセル固有または端末固有に設定される上りリンク電力制御に関するパラメータの設定のうち、少なくとも一つの電力制御パラメータを含んでもよい。例えば、ＰＯ＿ＮＯＭＩＮＡＬ＿ＰＵＳＣＨやＰＯ＿ＵＥ＿ＰＵＳＣＨが設定されてもよい。また、ＰＯ＿ＮＯＭＩＮＡＬ＿ＰＵＣＣＨやＰＯ＿ＵＥ＿ＰＵＣＣＨが設定されてもよい。また、ＳＲＳ電力オフセットが設定されてもよい。また、ランダムアクセスプリアンブルの初期受信電力やパワーランピングステップが設定されてもよい。また、フィルタ係数や伝送路損失補償係数αであってもよい。
【０３１７】
また、基地局１０１は、端末１０２毎に送信する下りリンク参照信号の送信電力を設定することができる。基地局１０１は、端末固有ＰＤＳＣＨ設定（PDSCH-ConfigDedicated）に第２の参照信号電力（referenceSignalPower2）を設定し、その設定情報を端末１０２へ通知してもよい。例えば、第２の参照信号電力は、ＤＬ  ＤＭＲＳやＣＳＩ−ＲＳの送信電力として設定されてもよい。また、第２の参照信号電力だけでなく、下りリンクアンテナポートに係る参照信号電力を設定してもよい。また、パスロス参照リソース毎に参照信号電力が設定されてもよい。また、アンテナポートに関連付けられた情報と参照信号電力が関連付けられてもよい。
【０３１８】
また、基地局１０１は、端末１０２毎に種々の下りリンク参照信号または下りリンクアンテナポートと関連付けられた下りリンク参照信号の送信電力を設定してもよい。
【０３１９】
また、基地局１０１は、各上りリンク物理チャネルのセル固有のパラメータ設定にパスロス参照リソースを追加してもよい。
【０３２０】
また、基地局１０１は、各上りリンク物理チャネルの端末固有のパラメータ設定にパスロス参照リソースを追加してもよい。
【０３２１】
複数のパスロス参照リソースと複数の上りリンク電力制御に関するパラメータの設定が関連付けられてもよい。例えば、ＰＵＳＣＨのパスロス参照リソースがＣＲＳアンテナポート０に設定されていた場合、端末１０２は、第１の上りリンク電力制御に関するパラメータの設定に基づいてＰＵＳＣＨの送信電力を計算してもよい。また、ＰＵＳＣＨのパスロス参照リソースがＣＳＩ−ＲＳアンテナポート１５に設定されていた場合、端末１０２は、第２の上りリンク電力制御に関するパラメータの設定に基づいてＰＵＳＣＨの送信電力を計算してもよい。
【０３２２】
また、一部の上りリンク物理チャネルに関しては、複数のパスロス参照リソースが設定されてもよい。例えば、第１のパスロス参照リソースと第２のパスロス参照リソースは異なるアンテナポートに関連付けられた情報が含まれる。また、第１のパスロス参照リソースと第２のパスロス参照リソースは異なる下りリンク参照信号が設定される。一例として、第１のパスロス参照リソースはＣＲＳ、第２のパスロス参照リソースはＣＳＩ−ＲＳであってもよい。また、別の例としては、第１のパスロス参照リソースはアンテナポート１５に設定されたリソース、第１のパスロス参照リソースはアンテナポート２２に設定されたリソースであってもよい。第１および第２のパスロス参照リソースは、アンテナポートに関連付けられた情報のうちの一つであればよい。
【０３２３】
種々の上りリンク物理チャネルに対してそれぞれ上りリンク電力制御に関するパラメータの設定が設定されてもよく、例えば、ＰＵＳＣＨには第１の上りリンク電力制御に関するパラメータの設定、ＰＵＣＣＨには第２の上りリンク電力制御に関するパラメータの設定、ＰＲＡＣＨには第３の上りリンク電力制御に関するパラメータの設定、Ｐ−ＳＲＳには第４の上りリンク電力制御に関するパラメータの設定、Ａ−ＳＲＳには第５の上りリンク電力制御に関するパラメータの設定が設定されてもよい。第１から第５の上りリンク電力制御に関するパラメータの設定に設定される電力制御パラメータは必ずしも一致していなくてもよい。例えば、第１から第３の上りリンク電力制御に関するパラメータの設定は端末固有の設定だけが含まれてもよい。また、第４および第５の上りリンク電力制御に関するパラメータの設定にはセル固有および端末固有の設定が含まれてもよい。また、第１から第５の上りリンク電力制御に関するパラメータの設定にはそれぞれセル固有および端末固有の設定が含まれてもよいが、種々の電力制御パラメータの値は必ずしも一致していなくてもよい。つまり、種々の電力制御パラメータの値は同じ値が設定されていなくてもよい。つまり、異なる値が設定された電力制御に関するパラメータがそれぞれ第１および第２の電力制御に関するパラメータとして構成されてもよい。
【０３２４】
また、種々の上りリンク物理チャネルに対して１つの上りリンク電力制御に関するパラメータの設定が設定されてもよい。つまり、種々の上りリンク物理チャネルに対して同じ電力制御パラメータのセットが設定されてもよいが、上りリンク物理チャネル毎に電力制御パラメータに含まれる値は決定される。
【０３２５】
また、少なくとも一部の上りリンク物理チャネルには複数の上りリンク電力制御に関するパラメータの設定が設定されてもよい。例えば、Ａ−ＳＲＳの送信要求を示すＳＲＳリクエスト（ＳＲＳインディケータ）と関連付けられたＳＲＳパラメータセットにそれぞれ上りリンク電力制御に関するパラメータの設定が含まれてもよい。つまり、ＳＲＳパラメータセットが４つ設定された場合、４つの上りリンク電力制御に関するパラメータの設定が設定される。また、ＰＲＡＣＨにおいても複数の上りリンク電力制御に関するパラメータの設定が設定されてもよい。また、ＰＵＳＣＨにおいても複数の上りリンク電力制御に関するパラメータの設定が設定されてもよい。
【０３２６】
また、少なくとも一部の上りリンク物理チャネルに第１および第２の上りリンク電力制御に関するパラメータ（または電力制御パラメータセット）が設定された場合、第１および第２の上りリンク電力制御に関するパラメータは異なるパラメータが設定される。また、第１および第２の上りリンク電力制御に関するパラメータはそれぞれ異なる値が設定される。また、第１および第２の上りリンク電力制御に関するパラメータセットに含まれる種々のパラメータは、必ずしも同じパラメータが設定されなくてもよい。一例として、第１の上りリンク電力制御に関するパラメータセットに含まれる種々のパラメータはＳＲＳ電力オフセットのみで、第２の上りリンク電力制御に関するパラメータセットに含まれる種々のパラメータはＳＲＳ電力オフセットと標準ＰＵＳＣＨ電力が設定されてもよい。また、別の例では、第１の上りリンク電力制御に関するパラメータセットに含まれる種々のパラメータは、セル固有の上りリンク電力制御に関するパラメータの設定に含まれる種々のパラメータ、第２の上りリンク電力制御に関するパラメータセットに含まれる種々のパラメータは、端末固有の上りリンク電力制御に関するパラメータの設定に含まれる種々のパラメータであってもよい。また、別の例では、第１および第２の上りリンク電力制御に関するパラメータセットに含まれる種々のパラメータは、セル固有および端末固有上りリンク電力制御に関するパラメータの設定に含まれる種々のパラメータが設定されてもよい。つまり、上りリンク電力制御に関するパラメータセットには図２２に示したパラメータが少なくとも一つが含まれていればよい。また、上りリンク電力制御に関するパラメータセットにはパスロス参照リソースのみが含まれているだけでもよい。
【０３２７】
種々の上りリンク物理チャネルに対してそれぞれ上りリンク電力制御に関するパラメータの設定またはパスロス参照リソースが設定されると、端末１０２は、その設定に基づいて各上りリンク物理チャネルの送信電力を計算することができる。Ｐ−ＳＲＳやＡ−ＳＲＳを参照ポイントの切り替えを行うためのバックホール用または事前調査用のチャネル測定に使用することができる。基地局１０１は、ＳＲＳによるチャネル測定結果から端末１０２に対して常に適切な参照ポイントで通信を行うように制御することができる。
【０３２８】
基地局１０１は、上りリンク物理チャネル毎に上りリンク電力制御に関するパラメータの設定を設定することで、種々の上りリンク物理チャネルの上りリンク送信電力制御を参照ポイント（上りリンク受信点）毎に適切に行うことができる。例えば、端末１０２がパスロスの小さい参照ポイントと通信を行うことができれば、ＰＵＳＣＨやＰＵＣＣＨに割り当てることのできる送信電力も高くなるため、１６ＱＡＭや６４ＱＡＭなどの高変調度の変調方式を適用して上りリンク通信を行うことができるのでスループットが向上する。
【０３２９】
（第８の実施形態）
次に、第８の実施形態について説明する。第８の実施形態では、基地局１０１は、第１または第２のＴＰＣコマンドを含むＤＣＩフォーマットを端末１０２へ通知する。端末１０２は、第１の状態においてＤＣＩフォーマットを検出すると、そのＤＣＩフォーマットに含まれるＴＰＣコマンドを第１のＴＰＣコマンドであると判断し、復調処理を行い、電力補正値を得る。端末１０２は、第２の上代においてＤＣＩフォーマットを検出すると、そのＤＣＩフォーマットに含まれるＴＰＣコマンドを第２のＴＰＣコマンドであると判断し、復調処理を行い、電力補正値を得る。電力補正値にはＰＵＳＣＨの電力補正値δＰＵＳＣＨ，ｃやＰＵＣＣＨの電力補正値δＰＵＣＣＨ，ｃがある。また、これらのＴＰＣコマンドから得られる電力補正地にはＳＲＳの電力補正値δＳＲＳ，ｃが含まれ得る。ここでいう復調処理とは、ＴＰＣコマンドから電力補正値を得ることである。
【０３３０】
端末１０２は、第１の状態である場合に、ＤＣＩフォーマットを検出すると、ＤＣＩフォーマットに含まれるＴＰＣコマンドを第１のＴＰＣコマンドであると判断し、復調処理を行い、第１のＴＰＣコマンドに設定されている電力補正値を検出する。また、端末１０２は、第２の状態である場合に、ＤＣＩフォーマットを検出すると、ＤＣＩフォーマットに含まれるＴＰＣコマンドを第２のＴＰＣコマンドであると判断し、復調処理を行い、第２のＴＰＣコマンドに設定されている電力補正値を検出する。それらの電力補正値を上りリンク信号の送信電力に反映し、その送信電力において上りリンク信号を送信する。ここで、第１のＴＰＣコマンドと第２のＴＰＣコマンドは、異なるビット数で構成されている。また、第１のＴＰＣコマンドと第２のＴＰＣコマンドは、テーブル管理されている電力補正値のうち少なくとも１つの電力補正値が異なる。
【０３３１】
図３５は、第１のＴＰＣコマンドフィールドと第２のＴＰＣコマンドフィールドを構成するビットの数またはインデックスの数が異なる場合の一例を示す図である。図３５（ａ）は、第１のＴＰＣコマンドフィールドを示し、第１のＴＰＣコマンドフィールドは２ビット（インデックス０〜３）で構成されている。図３５（ｂ）は、第２のＴＰＣコマンドフィールドを示し、第２のＴＰＣコマンドフィールドは３ビット（インデックス０〜８）で構成されている。図に示した電力補正値は、一例であり、この値に限ったものではない。また、ＰＵＳＣＨの電力補正値について記載したが、ＰＵＣＣＨやＳＲＳでも同様に示すことができる。
【０３３２】
図３６は、第１のＴＰＣコマンドフィールドと第２のＴＰＣコマンドフィールドが異なるテーブルで管理されている場合について示した図である。第１のＴＰＣコマンドフィールドと第２のＴＰＣコマンドフィールドに記されている電力補正値は、すべて一致しているわけではなく、少なくとも１つの電力補正値については異なる値が設定されてもよい。つまり、第１のＴＰＣコマンドフィールドと第２のＴＰＣコマンドフィールドは、同じビット数で構成されるが、そこに設定される電力補正値は異なる値が設定されてもよい。また、ＰＵＳＣＨの電力補正値について記載したが、ＰＵＣＣＨやＳＲＳでも同様に示すことができる。
【０３３３】
例えば、端末１０２は、第１の状態である場合に、ＤＣＩフォーマットを検出すると、ＤＣＩフォーマットに含まれるＴＰＣコマンドが２ビット（第１のビット数）であると判断し、復調処理を行い、ＴＰＣコマンドを検出するが、第２の状態である場合に、ＤＣＩフォーマットを受信すると、ＤＣＩフォーマットに含まれるＴＰＣコマンドが３ビット（第２のビット数）であると判断し、復調処理を行い、ＴＰＣコマンドを検出する。基地局１０１と端末１０２間で２ビットの場合と３ビットの場合のＴＰＣコマンドに関連付けられたインデックス（ＴＰＣコマンドインデックス）と電力補正値（Accumulated, Absolute）がそれぞれテーブル管理されている。このテーブルをＴＰＣコマンドフィールドと呼称する。なお、第２の状態におけるＴＰＣコマンドフィールドは４ビットで構成されてもよい。第２の状態におけるＴＰＣコマンドフィールドは４ビット以上の整数で構成されてもよい。第２の状態におけるＴＰＣコマンドフィールドを構成する第２のビット数は３ビット以上の整数であってもよい。また、ここでは、第１のビット数を２ビット、第２のビット数を３ビットとしたが、第１のビット数を３ビット、第２のビット数を４ビットにしてもよい。また、第１のビット数を１ビット、第２のビット数を２ビットにしてもよい。つまり、第１のビット数と第２のビット数が異なるビット数であればよい。なお、端末１０２の状態によってビット数が変わるＴＰＣコマンドは、ＰＵＳＣＨに対するＴＰＣコマンドだけであってもよい。また、端末１０２の状態によってビット数が変わるＴＰＣコマンドは、ＰＵＣＣＨに対するＴＰＣコマンドだけであってもよい。
【０３３４】
ここで、第１の状態の端末１０２とは、ＣＳＩ−ＲＳに関するパラメータの設定情報であるＣＳＩ−ＲＳ設定（ＣＳＩ−ＲＳＣｏｎｆｉｇ）が１つだけ設定された端末１０２であり、第２の状態の端末１０２とは、ＣＳＩ−ＲＳ設定が２つ以上設定された端末１０２である。また、第１の状態の端末１０２とは、第１の送信モードが設定された端末１０２であり、第２の状態の端末１０２とは、第２の送信モードが設定された端末１０２である。また、第１の状態に関する設定情報が基地局１０１から端末１０２へ通知され、第２の状態に関する設定情報が基地局１０１から端末１０２へ通知される。また、第１の状態の端末１０２とは、パスロス参照リソースがＣＲＳに設定された端末１０２であり、第２の状態の端末１０２とは、パスロス参照リソースにＣＲＳ以外の下りリンク参照信号が設定された端末１０２である。また、第１の状態の端末１０２とは、ＲＳＲＰ測定に使用される下りリンク参照信号（ＤＲＳ）がＣＲＳの端末１０２であり、第２の状態の端末１０２とは、ＲＳＲＰ測定に使用されるＤＲＳがＣＳＩ−ＲＳの端末１０２である。また、第１の状態の端末１０２とは、第１の制御チャネル領域でのみ制御信号を受信する端末１０２であり、第２の状態の端末１０２とは、第１および／または第２の制御チャネル領域で下りリンク制御信号（ＰＤＣＣＨ、Ｘ−ＰＤＣＣＨ）を検出することのできる端末１０２である。
【０３３５】
また、第１の状態の端末１０２と第２の状態の端末１０２とでは、少なくとも１種類のＤＣＩフォーマットについてＤＣＩフォーマットサイズが異なってもよい。つまり、第１の状態と第２の状態で、同じＤＣＩフォーマットに対してＤＣＩフォーマットのサイズが変わってもよい。例えば、ＤＣＩフォーマットのサイズとはＤＣＩフォーマットを構成するビットの数であってもよい。また、第２の測定対象設定で設定された参照信号が異なる場合を異なる状態として端末１０２は認識してもよい。
【０３３６】
端末１０２は、第１の状態でＤＣＩフォーマットを検出すると、どの下りリンクサブフレームにおいてもＤＣＩフォーマットに含まれるＴＰＣコマンドが第１のＴＰＣコマンドであると判断し、復調処理を行う。端末１０２は第２の状態では、第１のサブフレームサブセットに含まれる下りリンクサブフレームにおいてＤＣＩフォーマットを検出すると、ＤＣＩフォーマットに含まれるＴＰＣコマンドを第１のＴＰＣコマンドとして判断し、復調処理を行い、第２のサブフレームサブセットに含まれる下りリンクサブフレームにおいてＤＣＩフォーマットを検出すると、ＤＣＩフォーマットに含まれるＴＰＣコマンドを第２のＴＰＣコマンドとして判断し、復調処理を行う。例えば、端末１０２は、第１の状態でＤＣＩフォーマットを検出すると、どのサブフレームにおいてもＴＰＣコマンドが２ビットであると判断し、復調処理を行い、電力補正値を得る。端末１０２は、第２の状態でＤＣＩフォーマットを受信すると、第１のサブフレームサブセットにおいてはＴＰＣコマンドが２ビットであると判断し、復調処理を行うが、第２のサブフレームサブセットにおいてはＴＰＣコマンドが３ビットであると判断し、復調処理を行い、電力補正値を得る。
【０３３７】
端末１０２は、第１の状態において第１および第２の制御チャネル領域でＤＣＩフォーマットを検出すると、ＤＣＩフォーマットに含まれるＴＰＣコマンドを第１のＴＰＣコマンドとして復調処理を行う。端末１０２は、第２の状態において第１の制御チャネル領域でＤＣＩフォーマットを検出すると、ＤＣＩフォーマットに含まれるＴＰＣコマンドを第１のＴＰＣコマンドとして復調処理を行い、第２の制御チャネルでＤＣＩフォーマットを検出すると、ＤＣＩフォーマットに含まれるＴＰＣコマンドを第２のＴＰＣコマンドとして復調処理を行う。例えば、端末１０２は、第１の状態で第１および第２の制御チャネル領域においてＤＣＩフォーマットを検出すると、ＴＰＣコマンドが２ビットであると判断し、復調処理を行う。端末１０２は、第２の状態で、第１の制御チャネル領域においてＤＣＩフォーマットを受信すると、ＴＰＣコマンドが２ビットであると判断し、復調処理を行うが、第２の制御チャネル領域においてＤＣＩフォーマットを受信すると、ＴＰＣコマンドが３ビットであると判断し、復調処理を行う。これらの復調処理を行うことによって電力補正値を得ることができる。なお、第１の制御チャネル領域や第２の制御チャネル領域は第１の実施形態や第３の実施形態で示したものと同様である。例えば、第１の制御チャネル領域とはＰＤＣＣＨが割り当てられる領域（リソース）であり、第２の制御チャネル領域とはＸ−ＰＤＣＣＨが割り当てられる領域（リソース）である。
【０３３８】
端末１０２は、第１の状態においてはどの種類のＤＣＩフォーマットに対してもＤＣＩフォーマットに含まれるＴＰＣコマンドは第１のＴＰＣコマンドであると判断し、復調処理を行う。端末１０２は、第２の状態においてはどの種類のＤＣＩフォーマットに対してもＤＣＩフォーマットに含まれるＴＰＣコマンドは第２のＴＰＣコマンドであると判断し、復調処理を行う。例えば、端末１０２は、第１の状態ではどのＤＣＩフォーマットに対しても、ＴＰＣコマンドが２ビットであると判断し、復調処理を行う。端末１０２は、第２の状態ではどのＤＣＩフォーマットに対しても、ＴＰＣコマンドが３ビットであると判断し、復調処理を行う。
【０３３９】
また、端末１０２は、第１の状態においてはどの種類のＤＣＩフォーマットに対してもＤＣＩフォーマットに含まれるＴＰＣコマンドは第１のＴＰＣコマンドであると判断し、復調処理を行う。端末１０２は、第２の状態においては、第１のＤＣＩフォーマットを検出すると、第１のＤＣＩフォーマットに含まれるＴＰＣコマンドを第１のＴＰＣコマンドとして復調し、第２のＤＣＩフォーマットを検出すると、第２のＤＣＩフォーマットに含まれるＴＰＣコマンドを第２のＴＰＣコマンドとして復調処理を行い、電力補正値を検出する。例えば、端末１０２は、第１の状態ではどのＤＣＩフォーマットに対しても、ＴＰＣコマンドが２ビットであると判断し、復調処理を行う。端末１０２は、第２の状態で第１のＤＣＩフォーマットを受信すると、ＴＰＣコマンドが２ビットであると判断し、復調処理を行うが、第２のＤＣＩフォーマットを受信すると、ＴＰＣコマンドが３ビットであると判断し、復調処理を行う。これらの復調処理を行うことでＴＰＣコマンドに設定された電力補正値を得ることができる。
【０３４０】
端末１０２は、第１の状態においてはプライマリーセルやセカンダリーセルに因らず、サービングセルからＤＣＩフォーマットを検出しても、そのＤＣＩフォーマットに含まれるＴＰＣコマンドを第１のＴＰＣコマンドとして復調処理を行う。端末１０２は、第２の状態においては、プライマリーセルでＤＣＩフォーマットを検出すると、そのＤＣＩフォーマットに含まれるＴＰＣコマンドは、第１のＴＰＣコマンドであると判断し、復調処理を行い、セカンダリーセルでＤＣＩフォーマットを検出すると、そのＤＣＩフォーマットに含まれるＴＰＣコマンドを第２のＴＰＣコマンドであると判断し、復調処理を行い、電力補正値を検出する。例えば、端末１０２は、第１の状態では、プライマリーセルやセカンダリーセルに因らず、そのセルからＤＣＩフォーマットを検出しても、そのＤＣＩフォーマットに含まれるＴＰＣコマンドが２ビットであると判断し、復調処理を行う。その一方で、端末１０２は、第２の状態でＤＣＩフォーマットを検出した場合、プライマリーセルではそのＤＣＩフォーマットに含まれるＴＰＣコマンドを２ビットとして復調処理を行い、セカンダリーセルではそのＴＰＣコマンドを３ビットとして復調処理を行う。ここで、復調処理とは、ＴＰＣコマンドに設定されているインデックス（ＴＰＣコマンドインデックス）と関連付けられた電力補正値を検出することである。
【０３４１】
端末１０２は、パスロス参照リソースが第１の参照信号にセットされている場合にＤＣＩフォーマットを検出すると、そのＤＣＩフォーマットに含まれるＴＰＣコマンドを第１のＴＰＣコマンドであると認識し、復調処理を行う。端末１０２は、パスロス参照リソースが第１の参照信号にセットされている場合にＤＣＩフォーマットを検出すると、そのＤＣＩフォーマットに含まれるＴＰＣコマンドを第２のＴＰＣコマンドであると認識し、復調処理を行う。例えば、端末１０２は、パスロス参照リソースが第１の参照信号に設定された場合には、ＤＣＩフォーマットを検出すると、ＴＰＣコマンドが２ビットであると判断し、復調処理を行う。端末１０２は、パスロス参照リソースが第２の参照信号に設定された場合には、ＴＰＣコマンドが３ビットであると判断し、復調処理を行う。なお、第１の参照信号はＣＲＳ、第２の参照信号は、ＣＳＩ−ＲＳであってもよい。また、第１および第２の参照信号はアンテナポートに関する情報によって設定されてもよい。また、第１の参照信号は、第１のＣＳＩ−ＲＳＣｏｎｆｉｇ、第２の参照信号は、第２のＣＳＩ−ＲＳＣｏｎｆｉｇであってもよい。
【０３４２】
つまり、第１および第２の状態は、セル毎に設定されてもよい。サブフレームサブセット毎に設定されてもよい。ＤＣＩフォーマットが含まれるＰＤＣＣＨ領域によって識別されてもよい。
【０３４３】
つまり、端末１０２は、端末１０２に設定された状態と上りリンク信号を送信するタイミングやリソースによって上りリンク信号の送信電力を計算するために使用する電力制御パラメータ値の拡張を行うことができ、より適切な上りリンク信号の送信電力制御を行うことができる。
【０３４４】
端末１０２は、第１の状態でＤＣＩフォーマットを受信すると、どのサブフレームにおいてもＴＰＣコマンドに設定されている第１のインデックスから第１の電力補正値を検出する。端末１０２は、第２の状態でＤＣＩフォーマットを受信すると、第１のサブフレームサブセットにおいてはＴＰＣコマンドフィールドに設定されている第１のインデックスから第１の電力補正値を検出し、第２のサブフレームサブセットにおいてはＴＰＣコマンドフィールドに設定されている第１のインデックスから第２の電力補正値を検出する。つまり、端末１０２は、端末１０２の状態と上りリンク信号の送信タイミングによって同じインデックスであっても異なる電力補正値として検出することができる。
【０３４５】
つまり、端末１０２は、端末１０２に設定された状態と上りリンク信号を送信するタイミングやリソースによって上りリンク信号の送信電力を計算するために使用する電力制御パラメータ値の拡張を行うことができ、より適切な上りリンク信号の送信電力制御を行うことができる。
【０３４６】
端末１０２は、第１の状態が設定された場合に、ＤＣＩフォーマットを検出すると、ＤＣＩフォーマットに含まれるＴＰＣコマンドフィールドに設定されている第１のインデックスから第１の電力補正値を検出するが、第２の状態が設定された場合に、ＤＣＩフォーマットを受信すると、ＤＣＩフォーマットに含まれるＴＰＣコマンドフィールドに設定されている第１のインデックスから第２の電力補正値を得る。つまり、基地局１０１と端末１０２間で第１および第２の状態におけるＴＰＣコマンドに設定されたインデックスと電力補正値がそれぞれテーブル管理されている。
【０３４７】
つまり、第８の実施形態では、端末１０２に設定された状態によって、端末１０２は、ＴＰＣコマンドフィールドに設定されたインデックスに関連付けられた電力補正値を読み替えることができる。同じインデックスであっても端末１０２の状態によって同じ電力補正値が検出されるわけではない。
【０３４８】
（第８の実施形態の変形例１）
次に、第８の実施形態の変形例１について説明する。第８の実施形態の変形例１では、基地局１０１は、第１の状態の端末１０２に対しては、１つのＴＰＣコマンドが含まれたＤＣＩフォーマットを通知し、第２の状態の端末１０２に対しては、２つのＴＰＣコマンドが含まれたＤＣＩフォーマットを通知する。端末１０２は、第１の状態でＤＣＩフォーマットを検出した場合、１つのＴＰＣコマンドを復調し、電力補正値を得る。また、端末１０２は、第２の状態でＤＣＩフォーマットを検出した場合、２つのＴＰＣコマンドを復調し、それぞれの電力補正値を得る。この２つのＴＰＣコマンドは、異なる上りリンク物理チャネルに対するＴＰＣコマンドであり、例えば、１つのＤＣＩフォーマットにＰＵＣＣＨのＴＰＣコマンドとＳＲＳのＴＰＣコマンドが設定される。また、１つのＤＣＩフォーマットにＰＵＳＣＨのＴＰＣコマンドとＳＲＳのＴＰＣコマンドが設定される。また、１つのＤＣＩフォーマットにＰＵＳＣＨとＰＵＣＣＨのＴＰＣコマンドが設定される。なお、第１および第２の状態は、第８の実施形態で示したものと同様である。
【０３４９】
また、基地局１０１は、端末１０２の状態に応じて下りリンクアサインメントに対して１つまたは２つのＴＰＣコマンドを切り替えて設定するようにできる。つまり、基地局１０１は、端末１０２の状態に応じて物理チャネルに対するＴＰＣコマンドを所定のＤＣＩフォーマットに追加することができる。基地局１０１は、第２の状態の端末１０２に対して、上りリンクグラントには、ＰＵＳＣＨのＴＰＣコマンドのみを設定し、下りリンクアサインメントには、ＰＵＣＣＨのＴＰＣコマンドの他にＳＲＳのＴＰＣコマンドを追加することもできる。端末１０２は、状態と検出したＤＣＩフォーマットの種類に応じて、１つのＴＰＣコマンドから電力補正値を得るか、２つのＴＰＣコマンドからそれぞれ電力補正値を得るか判断することができる。
【０３５０】
端末１０２は、第１の状態において、ＳＲＳリクエストを含むＤＣＩフォーマットを検出し、そのＤＣＩフォーマットが下りリンクアサインメントである場合、直近のＤＣＩフォーマットに含まれたＰＵＳＣＨのＴＰＣコマンドに設定された電力補正値に基づいてＡ−ＳＲＳの送信電力を計算し、第２の状態において、ＳＲＳリクエストを含むＤＣＩフォーマットを検出し、そのＤＣＩフォーマットが下りリンクアサインメントである場合、そのＤＣＩフォーマットに含まれるＳＲＳのＴＰＣコマンドから得られるＳＲＳの電力補正値に基づいてＡ−ＳＲＳの送信電力を計算する。第２の状態において、検出したＤＣＩフォーマットが上りリンクグラントである場合には、そのＤＣＩフォーマットに含まれるＰＵＳＣＨのＴＰＣコマンドに設定されている電力補正値に基づいてＳＲＳの送信電力を計算する。
【０３５１】
例えば、端末１０２は、第２の状態においては、ＤＣＩフォーマット１ＡにＰＵＣＣＨのＴＰＣコマンドだけでなく、ＳＲＳのＴＰＣコマンドも追加されると認識し、復調処理を行い、ＰＵＣＣＨの電力補正値とＳＲＳの電力補正値を得ることができる。また、端末１０２は、第２の状態においては、ＤＣＩフォーマット４に対してＰＵＳＣＨのＴＰＣコマンドだけでなく、ＳＲＳのＴＰＣコマンドが追加されたと認識し、復調処理を行い、ＰＵＳＣＨの電力補正値だけでなく、ＳＲＳの電力補正値も得ることができる。また、端末１０２は、第２の状態においては、ＤＣＩフォーマット２Ｂ／２Ｃを検出した場合、検出したＤＣＩフォーマット２Ｂ／２ＣからＰＵＣＣＨのＴＰＣコマンドだけでなく、ＳＲＳのＴＰＣコマンドも検出することができ、それぞれの電力補正値を得ることができ、それらの電力補正値からそれぞれの上りリンク送信電力を計算することができる。
【０３５２】
基地局１０１は、第１の状態の端末１０２に対しては、第１および第２の制御チャネル領域に配置するＤＣＩフォーマットに含まれるＴＰＣコマンド（第１のＴＰＣコマンド）を１つだけ設定する。基地局１０１は、第２の状態の端末１０２に対しては、第１の制御チャネル領域に配置するＤＣＩフォーマットには、１つのＴＰＣコマンド（第１のＴＰＣコマンド）を設定し、第２の制御チャネル領域に配置するＤＣＩフォーマットには２つのＴＰＣコマンド（第１および第２のＴＰＣコマンド）を設定する。端末１０２は、第１の状態において第１および第２の制御チャネル領域でＤＣＩフォーマットを検出すると、ＤＣＩフォーマットに含まれるＴＰＣコマンドを第１のＴＰＣコマンドとして認識し、復調処理を行い、電力補正値を取得することができる。端末１０２は、第２の状態において第１の制御チャネル領域でＤＣＩフォーマットを検出すると、そのＤＣＩフォーマットに含まれるＴＰＣコマンドを第１のＴＰＣコマンドであると認識し、復調処理を行い、電力補正値を得ることができ、第２の状態において第２の制御チャネル領域でＤＣＩフォーマットを検出すると、そのＤＣＩフォーマットには第１および第２のＴＰＣコマンドが含まれていると判断し、復調処理を行い、第１および第２のＴＰＣコマンドからそれぞれ電力補正値を得ることができる。
【０３５３】
基地局１０１は、第１の状態の端末１０２に対しては、どの下りリンクサブフレームに対しても第１のＴＰＣコマンドを含むＤＣＩフォーマットを通知する。第２の状態の端末１０２に対しては、第１のサブフレームサブセットに含まれる下りリンクサブフレームで送信するＤＣＩフォーマットに第１のＴＰＣコマンドを設定し、第２のサブフレームサブセットに含まれる下りリンクサブフレームで送信するＤＣＩフォーマットに第１および第２のＴＰＣコマンドを設定する。端末１０２は、第１の状態において第１および第２のサブフレームサブセットに含まれる下りリンクサブフレームでＤＣＩフォーマットを検出すると、ＤＣＩフォーマットに含まれるＴＰＣコマンドを第１のＴＰＣコマンドとして認識し、復調処理を行い、電力補正値を取得することができる。端末１０２は、第２の状態において第１のサブフレームサブセットに含まれる下りリンクサブフレームでＤＣＩフォーマットを検出すると、そのＤＣＩフォーマットに含まれるＴＰＣコマンドを第１のＴＰＣコマンドであると認識し、復調処理を行い、電力補正値を得ることができ、第２の状態において第２のサブフレームサブセットに含まれる下りリンクサブフレームでＤＣＩフォーマットを検出すると、そのＤＣＩフォーマットには第１および第２のＴＰＣコマンドが含まれていると判断し、復調処理を行い、第１および第２のＴＰＣコマンドからそれぞれ電力補正値を得ることができる。
【０３５４】
基地局１０１は、第１の状態の端末１０２に対しては、どのサービングセルに対しても第１のＴＰＣコマンドを含むＤＣＩフォーマットを通知する。第２の状態の端末１０２に対しては、プライマリーセルで送信するＤＣＩフォーマットに第１のＴＰＣコマンドを設定し、セカンダリーセルで送信するＤＣＩフォーマットに第１および第２のＴＰＣコマンドを設定する。端末１０２は、第１の状態においてＤＣＩフォーマットを検出すると、ＤＣＩフォーマットに含まれるＴＰＣコマンドを第１のＴＰＣコマンドとして認識し、復調処理を行い、電力補正値を取得することができる。端末１０２は、第２の状態においてプライマリーセルでＤＣＩフォーマットを検出すると、そのＤＣＩフォーマットに含まれるＴＰＣコマンドを第１のＴＰＣコマンドであると認識し、復調処理を行い、電力補正値を得ることができ、第２の状態においてセカンダリーセルでＤＣＩフォーマットを検出すると、そのＤＣＩフォーマットには第１および第２のＴＰＣコマンドが含まれていると判断し、復調処理を行い、第１および第２のＴＰＣコマンドからそれぞれ電力補正値を得ることができる。
【０３５５】
端末１０２は、ＤＣＩフォーマットにＳＲＳリクエストによる送信要求が含まれている場合、第１の状態では、ＰＵＳＣＨのＴＰＣコマンドから得られた電力補正値を基にＳＲＳの送信電力を計算し、第２の状態では、ＳＲＳのＴＰＣコマンドから得られた電力補正値を基にＳＲＳの送信電力を計算することができる。
【０３５６】
第１のＴＰＣコマンドからＰＵＳＣＨの電力補正値を得ることができ、第２のＴＰＣコマンドからＳＲＳの電力補正値を得ることができてもよい。また、第１のＴＰＣコマンドからＰＵＣＣＨの電力補正値を得ることができ、第２のＴＰＣコマンドからＳＲＳの電力補正値を得ることができてもよい。また、第１のＴＰＣコマンドからＰＵＳＣＨの電力補正値を得ることができ、第２のＴＰＣコマンドからＰＵＣＣＨの電力補正値を得ることができてもよい。
【０３５７】
ＳＲＳにおいてＤＬ  ＣｏＭＰに対するフィードバックを行うために必要なＳＲＳの送信電力制御を適切かつダイナミックに行うことができる。
【０３５８】
端末１０２の状態によって、ダイナミックに複数の上りリンク物理チャネルに対するＴＰＣコマンドを設定することができ、ダイナミックな送信電力制御を行うことができる。
【０３５９】
（第８の実施形態の変形例２）
次に、第８の実施形態の変形例２について説明する。基地局１０１は、第１の状態の端末１０２に対しては、第１の端末固有ＰＵＳＣＨ電力を通知し、第２の状態の端末１０２に対しては、第２の端末固有ＰＵＳＣＨ電力を通知する。第１の端末固有ＰＵＳＣＨ電力と第２の端末固有ＰＵＳＣＨ電力はそれぞれ異なる範囲がサポートされており、第２の状態の端末１０２は、第１の状態の端末１０２よりも高いおよび／または低い端末固有ＰＵＳＣＨ電力を設定することができる。なお、第１および第２の状態は、第８の実施形態で示したものと同様である。
【０３６０】
基地局１０１は、第１の状態の端末１０２に対しては、第１の端末固有ＰＵＣＣＨ電力を通知し、第２の状態の端末１０２に対しては、第２の端末固有ＰＵＣＣＨ電力を通知する。第１の端末固有ＰＵＣＣＨ電力と第２の端末固有ＰＵＣＣＨ電力はそれぞれ異なる範囲がサポートされており、第２の状態の端末１０２は、第１の状態の端末１０２よりも高いおよび／または低い端末固有ＰＵＣＣＨ電力を設定することができる。
【０３６１】
基地局１０１は、第１の状態の端末１０２に対しては、第１のＳＲＳ電力オフセットを通知し、第２の状態の端末１０２に対しては、第２のＳＲＳ電力オフセットを通知する。第１のＳＲＳ電力オフセットと第２のＳＲＳ電力オフセットはそれぞれ異なる範囲がサポートされており、第２の状態の端末１０２は、第１の状態の端末１０２よりも高いおよび／または低いＳＲＳ電力オフセットを設定することができる。
【０３６２】
基地局１０１は、第１の端末固有ＰＵＳＣＨ電力と第２の端末固有ＰＵＳＣＨ電力を設定する。なお、第１の端末固有ＰＵＳＣＨ電力と第２の端末固有ＰＵＳＣＨ電力は、異なる範囲を有する。第１の端末固有ＰＵＳＣＨ電力の範囲は、［−８，７］で刻み幅は１ｄＢであるが、例えば、第２の端末固有ＰＵＳＣＨ電力の範囲は、［−１５，１０］であってもよい。また、第２の端末固有ＰＵＳＣＨ電力の範囲は、［−２０，１５］であってもよい。つまり、第２の端末固有ＰＵＳＣＨ電力の範囲は、第１の端末固有ＰＵＳＣＨ電力の範囲よりも広く設定されてもよい。第２の端末固有ＰＵＳＣＨ電力の刻み幅は、１ｄＢであってもよいし、２ｄＢであってもよいし、２ｄＢ以上の整数であってもよい。
【０３６３】
基地局１０１は、第１の端末固有ＰＵＣＣＨ電力と第２の端末固有ＰＵＣＣＨ電力を設定する。なお、第１の端末固有ＰＵＣＣＨ電力と第２の端末固有ＰＵＣＣＨ電力は、異なる範囲を有する。第１の端末固有ＰＵＣＣＨ電力の範囲は、［−８，７］で刻み幅は１ｄＢであるが、例えば、第２の端末固有ＰＵＣＣＨ電力の範囲は、［−１５，１０］であってもよい。また、第２の端末固有ＰＵＣＣＨ電力の範囲は、［−２０，１５］であってもよい。つまり、第２の端末固有ＰＵＣＣＨ電力の範囲は、第１の端末固有ＰＵＳＣＨ電力の範囲よりも広く設定されてもよい。第２の端末固有ＰＵＣＣＨ電力の刻み幅は、１ｄＢであってもよいし、２ｄＢであってもよいし、２ｄＢ以上の整数であってもよい。
【０３６４】
ランダムアクセスプリアンブルの初期受信電力とパワーランピングステップを第１の状態と第２の状態それぞれに対して設定することができ、それらの範囲は異なっていてもよい。
【０３６５】
端末１０２は、第１の状態でのＳＲＳの電力オフセットの範囲は［０，１５］であり、第２の状態でのＳＲＳの電力オフセットの範囲は、［−５，２０］であってもよい。つまり、第２の状態でのＳＲＳの電力オフセットを第１の状態での電力オフセットの最高値よりも高い値に設定できるようにしてもよいし、最低値よりも低い値が設定できるようにしてもよい。
【０３６６】
基地局１０１は端末１０２に対して第１の上りリンク電力制御に関するパラメータの設定と第２の上りリンク電力制御に関するパラメータの設定を通知する。第１および第２の上りリンク電力制御に関するパラメータの設定に含まれる電力制御パラメータそれぞれに関して、異なる範囲（レベル、レンジ）や刻み幅（ランプアップステップ／ランプダウンステップ）を有してもよい。
【０３６７】
なお、上記各実施形態では、情報データ信号、制御情報信号、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０３６８】
なお、上記各実施形態では、上りリンク送信電力制御とは、上りリンク物理チャネル（ＰＵＳＣＨ、ＰＵＣＣＨ、ＰＲＡＣＨ、ＳＲＳ）の送信電力制御のことであり、送信電力制御とは、種々の上りリンク物理チャネルの送信電力の計算に使用する種々のパラメータの切り替えまたは（再）設定を含んでいる。
【０３６９】
なお、上記各実施形態では、基地局１０１と端末１０２とＲＲＨ１０３からなる下りリンク／上りリンク協調通信について説明したが、２つ以上の基地局１０１と端末１０２からなる協調通信、２つ以上の基地局１０１とＲＲＨ１０３と端末１０２からなる協調通信、２つ以上の基地局１０１またはＲＲＨ１０３と端末１０２からなる協調通信、２つ以上の基地局１０１と２つ以上のＲＲＨ１０３と端末１０２からなる協調通信、２つ以上の送信ポイント／受信ポイントからなる協調通信においても適用可能である。また、異なるセルＩＤを有する基地局１０１（複数の基地局）からなる協調通信においても適用可能である。また、異なるセルＩＤを有する基地局１０１およびＲＲＨ１０３からなる協調通信においても適用可能である。また、異なるセルＩＤを有するＲＲＨ１０３（複数のＲＲＨ）からなる協調通信においても適用可能である。つまり、前述する協調通信は、複数の基地局１０１、複数の端末１０２、複数のＲＲＨ１０３から構成される通信システムにおいても適用可能である。また、前述する協調通信は、複数の送信点および複数の受信点から構成される通信システムにおいても適用可能である。また、それらの送信点および受信点は、複数の基地局１０１、複数の端末１０２、複数のＲＲＨ１０３から構成されてもよい。また、上記各実施形態では、パスロスの計算結果から端末１０２が基地局１０１またはＲＲＨ１０３に近い方（パスロスが小さい方）に適した上りリンク送信電力制御を行われることについて説明したが、パスロスの計算結果から端末１０２が基地局１０１またはＲＲＨ１０３のうち遠い方（パスロスが大きい方）に適した上りリンク送信電力制御を行われることについても同様の処理を行うことができる。
【０３７０】
なお、上記各実施形態では、基地局１０１およびＲＲＨ１０３は、下りリンクの送信点であり、上りリンクの受信点である。また、端末１０２は、下りリンクの受信点であり、上りリンクの送信点である。
【０３７１】
本発明に関わる基地局１０１および端末１０２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３７２】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１０１および端末１０２の一部、または全部を典型的には集積回路であるＬＳＩとして実現してもよい。基地局１０１および端末１０２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０３７３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０３７４】
本発明は、無線基地局装置や無線端末装置や無線通信システムや無線通信方法に用いて好適である。
【符号の説明】
【０３７５】
１０１、３７０１  基地局
１０２、３７０２、３７０３、３８０４、３９０４  端末
１０３、３８０２、３９０２  ＲＲＨ
１０４、３８０３、３９０３  回線
１０５、１０７、３７０４、３７０５、３８０５、３８０６  下りリンク
１０６、１０８、３９０５、３９０６  上りリンク
５０１  上位層処理部
５０３  制御部
５０５  受信部
５０７  送信部
５０９  チャネル測定部
５１１  送受信アンテナ
５０１１  無線リソース制御部
５０１３  ＳＲＳ設定部
５０１５  送信電力設定部
５０５１  復号化部
５０５３  復調部
５０５５  多重分離部
５０５７  無線受信部
５０７１  符号化部
５０７３  変調部
５０７５  多重部
５０７７  無線送信部
５０７９  下りリンク参照信号生成部
６０１  上位層処理部
６０３  制御部
６０５  受信部
６０７  送信部
６０９  チャネル測定部
６１１  送受信アンテナ
６０１１  無線リソース制御部
６０１３  ＳＲＳ制御部
６０１５  送信電力制御部
６０５１  復号化部
６０５３  復調部
６０５５  多重分離部
６０５７  無線受信部
６０７１  符号化部
６０７３  変調部
６０７５  多重部
６０７７  無線送信部
６０７９  上りリンク参照信号生成部
３８０１、３９０１  マクロ基地局
【図１】
0005990815.tif 000011
【図２】
0005990815.tif 000012
【図３】
0005990815.tif 000013
【図４】
0005990815.tif 000014
【図５】
0005990815.tif 000015
【図６】
0005990815.tif 000016
【図７】
0005990815.tif 000017
【図８】
0005990815.tif 000018
【図９】
0005990815.tif 000019
【図１０】
0005990815.tif 000020
【図１１】
0005990815.tif 000021
【図１２】
0005990815.tif 000022
【図１３】
0005990815.tif 000023
【図１４】
0005990815.tif 000024
【図１５】
0005990815.tif 000025
【図１６】
0005990815.tif 000026
【図１７】
0005990815.tif 000027
【図１８】
0005990815.tif 000028
【図１９】
0005990815.tif 000029
【図２０】
0005990815.tif 000030
【図２１】
0005990815.tif 000031
【図２２】
0005990815.tif 000032
【図２３】
0005990815.tif 000033
【図２４】
0005990815.tif 000034
【図２５】
0005990815.tif 000035
【図２６】
0005990815.tif 000036
【図２７】
0005990815.tif 000037
【図２８】
0005990815.tif 000038
【図２９】
0005990815.tif 000039
【図３０】
0005990815.tif 000040
【図３１】
0005990815.tif 000041
【図３２】
0005990815.tif 000042
【図３３】
0005990815.tif 000043
【図３４】
0005990815.tif 000044
【図３５】
0005990815.tif 000045
【図３６】
0005990815.tif 000046
【図３７】
0005990815.tif 000047
【図３８】
0005990815.tif 000048
【図３９】
0005990815.tif 000049